(57)【要約】      （修正有）【課題】無線通信システムにおいてユーザ機器（ＵＥ）が複数のヌメロロジをサポートするセルによってサービングされる場合に、ＵＥが測定を実行する方法及び装置を提供する。【解決手段】ＵＥは異なるヌメロロジをサポートするセルによってサービングされ、データ受信用の第１のヌメロロジを設定し、第２のヌメロロジで測定を実行する。【選択図】図３８
2018026819.tif 000002
【特許請求の範囲】
【請求項１】
測定を実行する方法であって、
ユーザ機器（ＵＥ）により、データ受信用の第１のヌメロロジを設定するステップと、
前記ＵＥにより、第２のヌメロロジで測定を実行するステップと、
を含む、方法。
【請求項２】
前記ＵＥが、異なるヌメロロジをサポートするセルによってサービングされる、請求項１に記載の方法。
【請求項３】
前記第２のヌメロロジが、所定ヌメロロジ、固定ヌメロロジ、既定ヌメロロジ、同期を得るのに用いられるヌメロロジ、又は前記ＵＥが同期信号を受信したヌメロロジである、請求項１に記載の方法。
【請求項４】
前記ＵＥが、特定の時間周波数リソースに対する測定を実行し、前記特定の時間周波数リソースが、同期信号と同じ送信時間間隔にある、請求項１に記載の方法。
【請求項５】
前記ＵＥが前記第２のヌメロロジの測定を実行する場合にデータ受信が利用できない、請求項１に記載の方法。
【請求項６】
前記ＵＥが、前記測定が実行される場合に、ダウンリンク制御チャネルをモニタリングしない、請求項１に記載の方法。
【請求項７】
前記ＵＥにより、前記測定の測定ギャップを設定するステップをさらに含む、請求項１に記載の方法。
【請求項８】
前記測定が、無線リンクモニタリング（ＲＬＭ）測定、無線リソース管理（ＲＲＭ）測定、又は周波数内ＲＲＭ測定である、請求項１に記載の方法。
【請求項９】
測定を実行する方法であって、
ＵＥにより、第１のヌメロロジで第１の種類の測定を実行するステップと、
前記ＵＥにより、第２のヌメロロジで第２の種類の測定を実行するステップと、
を含む、方法。
【請求項１０】
前記第１のヌメロロジが、所定ヌメロロジ、固定ヌメロロジ、既定ヌメロロジ、同期を得るのに用いられるヌメロロジ、又は前記ＵＥが同期信号を受信したヌメロロジである、請求項９に記載の方法。
【請求項１１】
前記第１の種類の測定が、無線リンクモニタリング（ＲＬＭ）測定又は無線リソース管理（ＲＲＭ）測定である、請求項９に記載の方法。
【請求項１２】
前記第２の種類の測定が、チャネル状態情報（ＣＳＩ）測定である、請求項９に記載の方法。
【請求項１３】
前記第１の種類の測定及び前記第２の種類の測定が、異なる帯域幅部分で実行される、請求項９に記載の方法。
【請求項１４】
測定を実行する方法であって、
ＵＥにより、データ受信用の第１のヌメロロジを設定するステップと、
前記ＵＥにより、固定ヌメロロジで基準信号のチャネル状態情報（ＣＳＩ）測定を実行するステップと、
を含む、方法。
【請求項１５】
データチャネル及び前記基準信号が、同じリソースブロック上で送信される、請求項１４に記載の方法。
【請求項１６】
データチャネル及び前記基準信号が、異なるシンボル上で送信される、請求項１４に記載の方法。
【請求項１７】
前記ＵＥに、前記第１のヌメロロジのリソース配分を導出する第１の帯域幅が設定される、請求項１４に記載の方法。
【請求項１８】
前記ＵＥに、測定を実行する第２の帯域幅が設定された、請求項１４に記載の方法。
【請求項１９】
前記ＵＥに、前記ＵＥをサービングするセルのシステム帯域幅である第３の帯域幅が設定された、請求項１４に記載の方法。
【請求項２０】
前記第１の帯域幅が、前記第１のヌメロロジの最大帯域幅である、請求項１７に記載の方法。
【発明の詳細な説明】
【技術分野】
【０００１】
本願は、２０１６年８月１２日に出願された米国仮特許出願第６２／３７４，３９２号の利益を主張するものであり、そのすべての開示内容は参照により本明細書に援用される。
【０００２】
本開示は一般的に、無線通信ネットワークに関し、より詳細には、無線通信システムにおいてヌメロロジ帯域幅を決定する方法及び装置に関する。
【背景技術】
【０００３】
移動体通信機器との大量データの通信に対する要求が急速に高まる中、従来の移動体音声通信ネットワークは、インターネットプロトコル（ＩＰ）データパケットをやり取りするネットワークへと発展している。このようなＩＰデータパケット通信は、移動体通信機器のユーザに、ボイスオーバＩＰ、マルチメディア、マルチキャスト、及びオンデマンド通信サービスを提供可能である。
【０００４】
ネットワーク構造の一例は、発展型ユニバーサル地上無線アクセスネットワーク（Ｅ−ＵＴＲＡＮ）である。Ｅ−ＵＴＲＡＮシステムは、上述のボイスオーバＩＰ及びマルチメディアサービスを実現するために、高データスループットを提供可能である。現在、次世代（例えば、５Ｇ）の新しい無線技術が３ＧＰＰ標準化機構によって議論されている。このため、現行の３ＧＰＰ標準内容に対する変更が現在提出され、３ＧＰＰ標準の発展及び確定に向けて検討されている。
【発明の概要】
【０００５】
本明細書においては、無線通信システムにおいて測定を実行する方法及び装置が開示される。一方法において、ユーザ機器は、複数のヌメロロジ（numerologies）をサポートするセルによってサービングされる。ＵＥには、データ受信用の第１のヌメロロジが設定される。ＵＥは、第２のヌメロロジで測定を実行する。
【図面の簡単な説明】
【０００６】
【図１】例示的な一実施形態に係る無線通信システムの図である。
【図２】例示的な一実施形態に係る送信機システム（アクセスネットワークとしても知られている）及び受信機システム（ユーザ機器又はＵＥとしても知られている）のブロック図である。
【図３】例示的な一実施形態に係る通信機器の機能ブロック図である。
【図４】例示的な一実施形態に係る図３のプログラムコードの機能ブロック図である。
【図５】３ＧＰＰ  ＴＲ  ３６．２１１  Ｖ１３．１．０の図６．２．２−１を再現したものであって、ダウンリンクリソースグリッドを示した図である。
【図６】３ＧＰＰ  ＴＲ  ３６．２１１  Ｖ１３．１．０の表６．２．３−１を再現したものであって、物理リソースブロックパラメータを示した図である。
【図７】３ＧＰＰ  ＴＲ  ３６．２１１  Ｖ１３．１．０の表６．１２−１を再現したものであって、直交周波数分割多重（ＯＦＤＭ）パラメータを示した図である。
【図８】３ＧＰＰ  ＴＲ  ３６．２１１  Ｖ１３．１．０の図６．１３−１を再現したものであって、ダウンリンク変調を示した図である。
【図９】３ＧＰＰ  ＴＲ  ３６．２１１  Ｖ１３．１．０の表６．６．２−１を再現したものであって、ＰＢＣＨ変調方式を示した図である。
【図１０】３ＧＰＰ  ＴＲ  ３６．２１１  Ｖ１３．１．０の表６．６．４−１を再現したものであって、フレーム構造タイプ１の場合のＰＢＣＨの反復用のフレームオフセット、スロット、及びシンボル数タプルを示した図である。
【図１１】３ＧＰＰ  ＴＲ  ３６．２１１  Ｖ１３．１．０の表６．６．４−２を再現したものであって、フレーム構造タイプ２の場合のＰＢＣＨの反復用のスロット及びシンボル数の対を示した図である。
【図１２】３ＧＰＰ  ＴＲ  ３６．２１１  Ｖ１３．１．０の表７．２−１を再現したものであって、「クラスＡ」に設定されたeMIMO-TypeによるＣＳＩプロセスを示した図である。
【図１３】３ＧＰＰ  ＴＲ  ３６．２１１  Ｖ１３．１．０の表７．２−２を再現したものであって、空間微分ＣＱＩ値のオフセットレベルへのマッピングを示した図である。
【図１４】３ＧＰＰ  ＴＲ  ３６．２１１  Ｖ１３．１．０の表７．２．１−１Ａを再現したものであって、ＵＥ固有探索空間におけるアップリンクＤＣＩフォーマットのＰＤＣＣＨ／ＥＰＤＣＣＨに対するＣＳＩリクエストフィールドを示した図である。
【図１５】３ＧＰＰ  ＴＲ  ３６．２１１  Ｖ１３．１．０の表７．２．１−１Ｂを再現したものであって、ＵＥ固有探索空間におけるアップリンクＤＣＩフォーマットのＰＤＣＣＨ／ＥＰＤＣＣＨに対するＣＳＩリクエストフィールドを示した図である。
【図１６】３ＧＰＰ  ＴＲ  ３６．２１１  Ｖ１３．１．０の表７．２．１−１を再現したものであって、ＰＵＳＣＨ  ＣＳＩレポートモードの場合のＣＱＩ及びＰＭＩフィードバックタイプを示した図である。
【図１７】３ＧＰＰ  ＴＲ  ３６．２１１  Ｖ１３．１．０の表７．２．１−４を再現したものであって、微分ＣＱＩ値のオフセットレベルへのマッピングを示した図である。
【図１８】３ＧＰＰ  ＴＲ  ３６．２１１  Ｖ１３．１．０の表７．２．１−５を再現したものであって、ダウンリンクシステム帯域幅に対するサブバンドサイズ（ｋ）及びサブバンド数（Ｍ）を示した図である。
【図１９】３ＧＰＰ  ＴＲ  ３６．２１１  Ｖ１３．１．０の表７．２．２−１を再現したものであって、ＰＵＳＣＨ  ＣＳＩレポートモードの場合のＣＱＩ及びＰＭＩフィードバックを示した図である。
【図２０】３ＧＰＰ  ＴＲ  ３６．２１１  Ｖ１３．１．０の表７．２．２−１Ａを再現したものであって、ＦＤＤ又はＦＤＤ−ＴＤＤ及び主セルフレーム構造タイプ１の場合のＩＣＱＩ／ＰＭＩのＮｐｄ及びＮＯＦＦＳＥＴ，ＣＱＩへのマッピングを示した図である。
【図２１】３ＧＰＰ  ＴＲ  ３６．２１１  Ｖ１３．１．０の表７．２．２−１Ｂを再現したものであって、ＩＲＩのＭＲＩ及びＮＯＦＦＳＥＴ，ＲＩへのマッピングを示した図である。
【図２２】３ＧＰＰ  ＴＲ  ３６．２１１  Ｖ１３．１．０の表７．２．２−１Ｃを再現したものであって、ＴＤＤ又はＦＤＤ−ＴＤＤ及び主セルフレーム構造タイプ２の場合のＩＣＱＩ／ＰＭＩのＮｐｄ及びＮＯＦＦＳＥＴ，ＣＱＩへのマッピングを示した図である。
【図２３】３ＧＰＰ  ＴＲ  ３６．２１１  Ｖ１３．１．０の表７．２．２−１Ｄを再現したものであって、ＲＩレポートが設定された場合のＩＣＲＩのＭＣＲＩへのマッピングを示した図である。
【図２４】３ＧＰＰ  ＴＲ  ３６．２１１  Ｖ１３．１．０の表７．２．２−１Ｅを再現したものであって、各設定ＣＳＩ−ＲＳリソースにおけるアンテナポートの数が１つである場合のＩＣＲＩのＭＣＲＩ及びＮＯＦＦＳＥＴ，ＣＲＩへのマッピングを示した図である。
【図２５】３ＧＰＰ  ＴＲ  ３６．２１１  Ｖ１３．１．０の表７．２．２−２を再現したものであって、ダウンリンクシステム帯域幅に対するサブバンドサイズ（ｋ）及び帯域幅部分（Ｊ）を示した図である。
【図２６−１】３ＧＰＰ  ＴＲ  ３６．２１１  Ｖ１３．１．０の表７．２．２−３を再現したものであって、ＰＵＣＣＨレポートモード及びモード状態ごとのＰＵＣＣＨレポートタイプペイロードサイズを示した図である。
【図２６−２】３ＧＰＰ  ＴＲ  ３６．２１１  Ｖ１３．１．０の表７．２．２−３を再現したものであって、ＰＵＣＣＨレポートモード及びモード状態ごとのＰＵＣＣＨレポートタイプペイロードサイズを示した図である。
【図２７】３ＧＰＰ  ＴＲ  ３６．２１１  Ｖ１３．１．０の表７．２．３−０を再現したものであって、ＣＳＩ基準リソースを前提とするＰＤＳＣＨ送信方式を示した図である。
【図２８】３ＧＰＰ  ＴＲ  ３６．２１１  Ｖ１３．１．０の表７．２．３−１を再現したものであって、４ビットＣＱＩテーブルを示した図である。
【図２９】３ＧＰＰ  ＴＳ  ３６．１３３  Ｖ１３．４．０の表７．６．１−１を再現したものであって、非同期の場合のＰＤＣＣＨ／ＰＣＦＩＣＨ送信パラメータを示した図である。
【図３０】３ＧＰＰ  ＴＳ  ３６．１３３  Ｖ１３．４．０の表７．６．１−２を再現したものであって、同期の場合のＰＤＣＣＨ／ＰＣＦＩＣＨ送信パラメータを示した図である。
【図３１】３ＧＰＰ  ＴＳ  ３６．１３３  Ｖ１３．４．０の表８．１．２．１−１を再現したものであって、ＵＥによってサポートされるギャップパターン設定を示した図である。
【図３２】３ＧＰＰ  ＴＳ  ３６．１３３  Ｖ１３．４．０の図８．１．２．１−１を再現したものであって、ＭＣＧ及びＳＣＧ上の測定ギャップ及び総中断時間を示した図である。
【図３３】例示的な一実施形態を示した図である。
【図３４】例示的な一実施形態を示した図である。
【図３５】例示的な一実施形態を示した図である。
【図３６】例示的な一実施形態を示した図である。
【図３７】例示的な一実施形態を示した図である。
【図３８】ユーザ機器（ＵＥ）側の例示的な一実施形態のフロー図である。
【図３９】ＵＥ側の例示的な一実施形態のフロー図である。
【図４０】ＵＥ側の例示的な一実施形態のフロー図である。
【発明を実施するための形態】
【０００７】
以下に記載される例示的な無線通信システム及び機器は、無線通信システムを採用し、ブロードキャストサービスをサポートする。無線通信システムは、音声、データ等の様々な種類の通信を提供するため、広く展開されている。これらのシステムは、符号分割多重アクセス（ＣＤＭＡ）、時間分割多重アクセス（ＴＤＭＡ）、直交周波数分割多重アクセス（ＯＦＤＭＡ）、３ＧＰＰ  ＬＴＥ（ロングタームエボリューション）無線アクセス、３ＧＰＰ  ＬＴＥ−Ａ若しくはＬＴＥ−アドバンスト（ロングタームエボリューションアドバンスト）、３ＧＰＰ２  ＵＭＢ（超モバイル広帯域）、ＷｉＭａｘ、又はその他何らかの変調技術に基づき得る。
【０００８】
特に、以下に記載される例示的な無線通信システム及び機器は、本明細書において３ＧＰＰと称する「第３世代パートナーシッププロジェクト」という名称のコンソーシアムにより提供された標準等、１つ又は複数の標準をサポートするように設計されることができ、RP-150465「New  SI  proposal  :  Study  on  Latency  reduction  techniques  for  LTE」、TR  36.211  V13.1.0「E-UTRA  Study  on  latency  reduction  techniques  for  LTE(Release  13)」、TS  36.331  V13.2.0「Evolved  Universal  Terrestrial  Radio  Access(E-UTRA);Radio  Resource  Control(RRC);Protocol  specification(Release  13)」、TS  36.212  V13.1.0「Evolved  Universal  Terrestrial  Radio  Access(E-UTRA);Multiplexing  and  channel  coding(Release  13)」、TS  36.213  V13.1.1「E-UTRA  Physical  layer  procedures(Release  13)」、TS  36.133  V13.4.0「Evolved  Universal  Terrestrial  Radio  Access(E-UTRA);Requirements  for  support  of  radio  resource  management」、TS  36.331  V13.2.0「E-UTRA  Radio  Resource  Control(RRC);Protocol  specification」、及びTS  36.321  V13.1.0「E-UTRA  Medium  Access  Control(MAC)protocol  specification」を含む。上掲の標準及び文書は、そのすべてが参照により本明細書に明示的に援用される。
【０００９】
図１は、本発明の一実施形態に係る多重アクセス無線通信システムを示している。アクセスネットワーク１００（ＡＮ）は、複数のアンテナグループを含んでおり、あるグループは１０４及び１０６、別のグループは１０８及び１１０、また別のグループは１１２及び１１４を含む。図１においては、各アンテナグループに対して、アンテナが２つしか示されていないが、各アンテナグループに利用されるアンテナは、これより多くてもよいし、少なくてもよい。アクセス端末１１６（ＡＴ）は、アンテナ１１２及び１１４と通信しており、アンテナ１１２及び１１４は、順方向リンク１２０を介して情報をアクセス端末１１６に送信するとともに、逆方向リンク１１８を介して情報をアクセス端末１１６から受信している。アクセス端末（ＡＴ）１２２は、アンテナ１０６及び１０８と通信しており、アンテナ１０６及び１０８は、順方向リンク１２６を介して情報をアクセス端末（ＡＴ）１２２に送信するとともに、逆方向リンク１２４を介して情報をアクセス端末（ＡＴ）１２２から受信している。ＦＤＤシステムにおいては、通信リンク１１８、１２０、１２４、及び１２６が異なる通信周波数を使用することができる。例えば、順方向リンク１２０では、逆方向リンク１１８によって使用される周波数と異なる周波数を使用してもよい。
【００１０】
アンテナの各グループ及び／又はアンテナが通信するように設計されたエリアは、アクセスネットワークのセクターと称する場合が多い。本実施形態において、アンテナグループはそれぞれ、アクセスネットワーク１００の対象エリアのセクターにおいて、アクセス端末と通信するように設計されている。
【００１１】
順方向リンク１２０及び１２６を介した通信において、アクセスネットワーク１００の送信アンテナは、異なるアクセス端末１１６及び１２２に対する順方向リンクの信号対雑音比を改善するために、ビームフォーミングを利用することができる。また、対象エリアにランダムに分散したアクセス端末への送信にビームフォーミングを使用するアクセスネットワークは、１つのアンテナからすべてのそのアクセス端末に送信を行うアクセスネットワークよりも、隣接セルのアクセス端末への干渉が少ない。
【００１２】
アクセスネットワーク（ＡＮ）は、端末との通信に用いられる固定局又は基地局とすることができ、アクセスポイント、ノードＢ、基地局、拡張型基地局、進化型ノードＢ（ｅＮＢ）、又はその他何らかの専門用語で呼ばれる場合もある。アクセス端末（ＡＴ）は、ユーザ機器（ＵＥ）、無線通信機器、端末、アクセス端末、又はその他何らかの専門用語で呼ばれる場合もある。
【００１３】
図２は、ＭＩＭＯシステム２００の送信機システム２１０（アクセスネットワークとしても知られている）及び受信機システム２５０（アクセス端末（ＡＴ）又はユーザ機器（ＵＥ）としても知られている）の実施形態の簡易ブロック図である。送信機システム２１０においては、多くのデータストリームのトラヒックデータがデータ源２１２から送信（ＴＸ）データプロセッサ２１４に提供される。
【００１４】
一実施形態において、各データストリームは、それぞれの送信アンテナを介して送信される。ＴＸデータプロセッサ２１４は、コーディングデータを提供するデータストリームに関して選択された特定のコーディング方式に基づいて、各データストリームのトラヒックデータをフォーマット、符号化、及びインターリーブする。
【００１５】
各データストリームのコーディングデータは、ＯＦＤＭ技術を用いてパイロットデータと多重化され得る。パイロットデータは代表的には、既知の様態で処理される既知のデータパターンであり、受信機システムでチャネル応答を推定するのに用いられ得る。そして、各データストリームの多重化パイロット及びコーディングデータは、変調シンボルを提供するデータストリームに関して選択された特定の変調方式（例えば、ＢＰＳＫ、ＱＰＳＫ、Ｍ−ＰＳＫ、又はＭ−ＱＡＭ）に基づいて変調（例えば、シンボルマッピング）される。各データストリームのデータレート、コーディング、及び変調は、プロセッサ２３０により実行される命令によって決定され得る。
【００１６】
そして、すべてのデータストリームの変調シンボルがＴＸ  ＭＩＭＯプロセッサ２２０に与えられ、これが（例えば、ＯＦＤＭのために）変調シンボルをさらに処理することができる。その後、ＴＸ  ＭＩＭＯプロセッサ２２０は、ＮＴ個の変調シンボルストリームをＮＴ個の送信機（ＴＭＴＲ）２２２ａ〜２２２ｔに提供する。特定の実施形態において、ＴＸ  ＭＩＭＯプロセッサ２２０は、ビームフォーミング加重をデータストリームのシンボル及びシンボルが送信されているアンテナに適用する。
【００１７】
各送信機２２２は、各シンボルストリームを受信・処理して１つ又は複数のアナログ信号を与え、さらに、これらのアナログ信号を調節（例えば、増幅、フィルタリング、及びアップコンバート）して、ＭＩＭＯチャネルを介した送信に適する変調信号を提供する。その後、送信機２２２ａ〜２２２ｔからのＮＴ個の変調信号がそれぞれ、ＮＴ個のアンテナ２２４ａ〜２２４ｔから送信される。
【００１８】
受信機システム２５０においては、送信された変調信号がＮＲ個のアンテナ２５２ａ〜２５２ｒによって受信され、各アンテナ２５２からの受信信号は、各受信機（ＲＣＶＲ）２５４ａ〜２５４ｒに提供される。各受信機２５４は、それぞれの受信信号を調節（例えば、フィルタリング、増幅、及びダウンコンバート）し、調節された信号をデジタル化してサンプルを与え、さらに、これらのサンプルを処理して対応する「受信」シンボルストリームを提供する。
【００１９】
そして、ＲＸデータプロセッサ２６０は、特定の受信機処理技術に基づいて、ＮＲ個の受信機２５４からのＮＲ個の受信シンボルストリームを受信・処理して、ＮＴ個の「検出」シンボルストリームを提供する。その後、ＲＸデータプロセッサ２６０は、各検出シンボルストリームを復調、デインターリーブ、及び復号化して、データストリームのトラヒックデータを復元する。ＲＸデータプロセッサ２６０による処理は、送信機システム２１０のＴＸ  ＭＩＭＯプロセッサ２２０及びＴＸデータプロセッサ２１４により実行される処理を補完する。
【００２０】
プロセッサ２７０は、どのプリコーディングマトリクス（後述）使用するかを周期的に決定する。プロセッサ２７０は、マトリクス指標部及びランク値部を含む逆方向リンクメッセージを構築する。
【００２１】
逆方向リンクメッセージは、通信リンク及び／又は受信データストリームに関する様々な種類の情報を含むことができる。そして、逆方向リンクメッセージは、データ源２３６からの多くのデータストリームのトラヒックデータも受信するＴＸデータプロセッサ２３８により処理され、変調器２８０により変調され、送信機２５４ａ〜２５４ｒにより調節され、送信機システム２１０に送り戻される。
【００２２】
送信機システム２１０においては、受信機システム２５０からの変調信号がアンテナ２２４により受信され、受信機２２２により調節され、復調器２４０により復調され、ＲＸデータプロセッサ２４２により処理されて、受信機システム２５０により送信された逆方向リンクメッセージを抽出する。そして、プロセッサ２３０は、ビームフォーミング加重の決定に使用するプリコーディングマトリクスを決定した後、抽出されたメッセージを処理する。
【００２３】
図３を参照して、この図は、本発明の一実施形態に係る通信機器の別の簡易機能ブロック図を示している。図３に示されるように、無線通信システムの通信機器３００は、図１のＵＥ（若しくはＡＴ）１１６及び１２２又は図１の基地局（若しくはＡＮ）１００を実現するのに利用可能であり、無線通信システムは、ＬＴＥシステムであるのが好ましい。通信機器３００は、入力機器３０２、出力機器３０４、制御回路３０６、中央演算処理装置（ＣＰＵ）３０８、メモリ３１０、プログラムコード３１２、及び送受信機３１４を含むことができる。制御回路３０６は、ＣＰＵ３０８を介してメモリ３１０内のプログラムコード３１２を実行することにより、通信機器３００の動作を制御する。通信機器３００は、キーボード、キーパッド等の入力機器３０２を介してユーザにより入力された信号を受信することができ、モニタ、スピーカ等の出力機器３０４を介して画像及び音を出力することができる。送受信機３１４は、無線信号を受信及び送信するのに用いられ、受信信号を制御回路３０６に伝達するとともに、制御回路３０６により生成された信号を無線で出力する。また、無線通信システムの通信機器３００は、図１のＡＮ１００を実現するのにも利用可能である。
【００２４】
図４は、本発明の一実施形態に係る図３のプログラムコード３１２の簡易ブロック図である。本実施形態において、プログラムコード３１２は、アプリケーションレイヤ４００、レイヤ３部４０２、及びレイヤ２部４０４を含み、レイヤ１部４０６に結合されている。レイヤ３部４０２は一般的に、無線リソース制御を実行する。レイヤ２部４０４は一般的に、リンク制御を実行する。レイヤ１部４０６は一般的に、物理的接続を実行する。
【００２５】
パケットデータ待ち時間は、性能評価の重要な測定基準の１つである。パケットデータ待ち時間を短くすると、システム性能が向上する。３ＧＰＰ  ＲＰ−１５０４６５において、検討事項は、待ち時間を短縮するいくつかの技術の調査及び標準化を目的としている。
【００２６】
３ＧＰＰ  ＲＰ−１５０４６５によれば、目標は、Ｅ−ＵＴＲＡＮ無線システムの強化を研究して、アクティブなＵＥに対するＬＴＥ  Ｕｕエアインターフェースを介したパケットデータ待ち時間を大幅に短縮するとともに、（接続状態で）長期間にわたって非アクティブであったＵＥに対するパケットデータ伝送ラウンドトリップ待ち時間を大幅に短縮することである。研究領域には、エアインターフェース容量、バッテリ寿命、制御チャネルリソース、仕様の影響、及び技術的実現可能性等のリソース効率性を含む。周波数分割二重化（ＦＤＤ）及び時間分割二重化（ＴＤＤ）の両モードが考えられる。
【００２７】
３ＧＰＰ  ＲＰ−１５０４６５によれば、研究及び文書化された２つの領域は、以下の通りである。
―  高速アップリンクアクセスソリューション
アクティブなＵＥ及び長時間にわたって非アクティブであったものの無線リソース制御（ＲＲＣ）接続が保たれているＵＥの場合は、現行の送信時間間隔（ＴＴＩ）長及び処理時間を保つ場合及び保たない場合の両者で、現在の標準により許可されたプレスケジューリングソリューションと比較して、スケジューリングされたアップリンク（ＵＬ）送信のユーザプレーン待ち時間の短縮並びにプロトコル及びシグナリング増強を伴うリソース効率の高いソリューションの獲得に焦点が当てられるものとする。
―  ＴＴＩ短縮及び短縮された処理時間
基準信号及び物理レイヤ制御シグナリングへの影響を考慮に入れて、仕様の影響を評価するとともに、０．５ｍｓと１つの直交周波数分割多重（ＯＦＤＭ）シンボルとの間のＴＴＩ長の実現可能性及び性能を研究する。
【００２８】
ＴＴＩ短縮及び処理時間の短縮は、待ち時間の短縮に効果的なソリューションと考えられる。例えば、１ｍｓ（１４個のＯＦＤＭ）シンボルから１〜７個のＯＦＤＭシンボルへと送信の時間単位を短縮可能であり、また、復号化による遅延も同様に短縮可能なためである。ＴＴＩ長を短縮することの別の利益は、伝送ブロック（ＴＢ）サイズのより細かな粒度をサポートし、その結果、不要なパディングを削減することが可能であることである。一方、ＴＴＩの長さを短縮することは、現行のシステム設計にも大きな影響を及ぼす可能性がある。物理チャネルが１ｍｓ構造に基づいて構築されているためである。短縮されたＴＴＩは、ｓＴＴＩとも呼ばれる。
【００２９】
３ＧＰＰ  ＲＰ−１５０４６５は、例えば超短待ち時間（〜０．５ｍｓ）によるマシンタイプ通信（ＭＴＣ）用の耐遅延トラヒック、高度モバイルブロードバンド（ｅＭＢＢ）用の高ピークレートによるＭＴＣ用の超低データレート等、時間及び周波数リソースに関する様々な種類の要件に対応する５Ｇの新ＲＡＴ（ＮＲ）で用いられるフレーム構造を開示している。この研究の重要な焦点は、短ＴＴＩ等の短待ち時間の側面であるが、当該研究では、様々なＴＴＩを混合／適応する別の側面も考えられる。多様なサービス及び要件のほか、当初のＮＲフレーム構造設計では、上位互換性が重要な検討事項である。初期段階／リリースでは、ＮＲのすべての特徴が含まれるわけではないためである。
【００３０】
プロトコルの待ち時間を短縮することは、異なる世代／リリース間の重要な改善である。これにより、効率を向上可能であるとともに、実時間サービス等の新たなアプリケーション要求を満たすことができる。待ち時間の短縮に採用されている１つの方法として、３Ｇの１０ｍｓからＬＴＥの１ｍｓへとＴＴＩの長さを短縮することが挙げられる。ＲＥｌ−１４のＬＴＥ−Ａ  Ｐｒｏの背景では、既存の如何なるＬＴＥヌメロロジも変更することなく（すなわち、ＬＴＥにはヌメロロジが１つだけ存在する）、ＴＴＩ内のＯＦＤＭシンボル数を減らすことによって、ＴＴＩをサブミリ秒レベル（例えば、０．１〜０．５ｍｓ）まで短縮するようにＳＩ／ＷＩが提案されている。この改善によって、極低速ながら高頻度のトラヒックというＴＣＰスロースタート問題の解決又はＮＲの想定される超短待ち時間のある程度までの満足が可能である。処理時間の短縮は、待ち時間を短くするための別の検討事項である。研究では、短ＴＴＩ及び短処理時間が常に同時に起こるかは結論が出ていない。採用された方法がレガシー制御領域の存在等の下位互換性を保つべきことから、研究には限界がある。３ＧＰＰ  ＴＲ  ３６．２１１  Ｖ１３．１．０に開示されている通り、ＬＴＥヌメロロジの簡単な説明は、以下のように引用される。
６  ダウンリンク
６．１  概説
ダウンリンク送信の最小時間−周波数単位は、リソース要素と表され、第６．２．２項で規定される。
ＰＤＳＣＨ送信をサポートする搬送波における無線フレームのダウンリンクサブフレームのサブセットは、より高いレイヤにより、ＭＢＳＦＮサブフレームとして設定可能である。各ＭＢＳＦＮサブフレームは、非ＭＢＳＦＮ領域及びＭＢＳＦＮ領域に分割される。
−  非ＭＢＳＦＮ領域は、ＭＢＳＦＮサブフレームの最初の１つ又は２つのＯＦＤＭシンボルに及ぶが、非ＭＢＳＦＮ領域の長さは、第６．７項に従って与えられる。
−  ＭＢＳＦＮサブフレームのＭＢＳＦＮ領域は、非ＭＢＳＦＮ領域に使用されないＯＦＤＭシンボルとして規定される。
フレーム構造タイプ３の場合、ＭＢＳＦＮ設定は、少なくとも１つのＯＦＤＭシンボルが占有されないか、又は、ディスカバリ信号が送信されるダウンリンクサブフレームに適用されないものする。
特別の定めのない限り、各ダウンリンクサブフレームにおける送信は、ダウンリンクサブフレーム＃０に用いられるのと同じ巡回プレフィックス長を使用するものとする。
６．１．１  物理チャネル
ダウンリンク物理チャネルは、より高いレイヤに由来する情報を搬送する一連のリソース要素に対応するとともに、３ＧＰＰ  ＴＳ  ３６．２１２と本書３ＧＰＰ  ＴＳ  ３６．２１１との間で規定されたインターフェースである。
以下のダウンリンク物理チャネルが規定されている。
−  物理ダウンリンク共有チャネルＰＤＳＣＨ
−  物理ブロードキャストチャネルＰＢＣＨ
−  物理マルチキャストチャネルＰＭＣＨ
−  物理制御フォーマットインジケータチャネルＰＣＦＩＣＨ
−  物理ダウンリンク制御チャネルＰＤＣＣＨ
−  物理ハイブリッドＡＲＱインジケータチャネルＰＨＩＣＨ
−  拡張型物理ダウンリンク制御チャネルＥＰＤＣＣＨ
−  ＭＴＣ物理ダウンリンク制御チャネルＭＰＤＣＣＨ
６．１．２  物理信号
ダウンリンク物理信号は、物理レイヤによって使用される一連のリソース要素に対応するものの、より高いレイヤに由来する情報は搬送しない。以下のダウンリンク物理信号が規定されている。
−  基準信号
−  同期信号
−  ディスカバリ信号
６．２  スロット構造及び物理リソース要素
６．２．１  リソースグリッド
各スロットにおいて送信された信号は、
（外１）
2018026819.tif 000003
個の副搬送波及び
（外２）
2018026819.tif 000004
個のＯＦＤＭシンボルから成る１つ又は複数のリソースグリッドによって記述される。リソースグリッド構造は、図６．２．２−１に示されている。その量
（外３）
2018026819.tif 000005
は、セルに設定されたダウンリンク送信帯域幅によって決まり、以下を満たすものとする。
（外４）
2018026819.tif 000006
ここで、
（外５）
2018026819.tif 000007
及び
（外６）
2018026819.tif 000008
はそれぞれ、本仕様の現行版により裏付けられた最小及び最大ダウンリンク帯域幅である。
（外７）
2018026819.tif 000009
の一連の許容値は、３ＧＰＰ  ＴＳ  ３６．１０４によって与えられる。スロット中のＯＦＤＭシンボル数は、設定された巡回プレフィックス長及び副搬送波間隔によって決まり、図６に与えられている（３ＧＰＰ  ＴＲ  ３６．２１１  Ｖ１３．１．０の表６．２．３−１の再現）。
アンテナポートは、当該アンテナポート上のシンボルが伝送されるチャネルが、同じアンテナポート上の別のシンボルが伝送されるチャネルから推測できるように規定されている。ＭＢＳＦＮ基準信号、位置決め基準信号、ＰＤＳＣＨと関連付けられたＵＥ固有基準信号、及びＥＰＤＣＣＨと関連付けられた復調基準信号の場合は、以下に与えられる限界が存在し、その中でチャネルは、同じアンテナポート上のシンボルごとに推測可能である。また、アンテナポートごとに１つのリソースグリッドが存在する。サポートされる一連のアンテナポートは、セル中の基準信号設定に依存する。
−  セル固有の基準信号は、１つ、２つ、又は４つのアンテナポートの設定をサポートしており、それぞれアンテナポートｐ＝０、ｐ∈｛０，１｝、及びｐ∈｛０，１，２，３｝上で送信される。
−  ＭＢＳＦＮ基準信号は、アンテナポートｐ＝４上で送信される。アンテナポートｐ＝４上のシンボルが伝送されるチャネルは、同じアンテナポート上の別のシンボルが伝送されるチャネルから推測できるが、これは、２つのシンボルが同じＭＢＳＦＮエリアのサブフレームに対応する場合のみである。
−  ＰＤＳＣＨと関連付けられたＵＥ固有基準信号は、アンテナポートｐ＝５、ｐ＝７、ｐ＝８又はｐ∈｛７，８，９，１０，１１，１２，１３，１４｝のうちの１つ又は複数の上で送信される。これらのうちの１つのアンテナポート上のシンボルが伝送されるチャネルは、同じアンテナポート上の別のシンボルが伝送されるチャネルから推測できるが、これは、ＰＲＢバンドリングが用いられる場合に２つのシンボルが同じサブフレーム且つ同じＰＲＧに存在する場合又はＰＲＢバンドリングが用いられない場合に２つのシンボルが同じＰＲＢ対に存在する場合のみである。
−  ＥＰＤＣＣＨと関連付けられた復調基準信号は、ｐ∈｛１０７，１０８，１０９，１１０｝のうちの１つ又は複数の上で送信される。これらのうちの１つのアンテナポート上のシンボルが伝送されるチャネルは、同じアンテナポート上の別のシンボルが伝送されるチャネルから推測できるが、これは、２つのシンボルが同じＰＲＢ対に存在する場合のみである。
−  位置決め基準信号は、アンテナポートｐ＝６上で送信される。アンテナポートｐ＝６上のシンボルが伝送されるチャネルは、同じアンテナポート上の別のシンボルが伝送されるチャネルから推測できるが、これは、より高いレイヤにより設定されたＮＰＲＳの連続ダウンリンクサブフレームから成る１つの位置決め基準信号機会においてのみである。
−  ＣＳＩ基準信号は、１つ、２つ、４つ、８つ、１２個、又は１６個のアンテナポートの設定をサポートしており、それぞれアンテナポートｐ＝１５、ｐ＝１５、１６、ｐ＝１５、・・・、１８、Ｐ＝１５、・・・、２２、ｐ＝１５、・・・、２６、及びｐ＝１５、・・・、３０上で送信される。
２つのアンテナポートが疑似共同配置と言えるのは、一方のアンテナポート上のシンボルが伝送されるチャネルの大規模な特性が、他方のアンテナポート上のシンボルが伝送されるチャネルから推測できる場合である。これら大規模な特性には、遅延拡散、ドップラ拡散、ドップラシフト、平均利得、及び平均遅延のうちの１つ又は複数を含む。
６．２．２  リソース要素
アンテナポートｐのリソースグリッドの各要素は、リソース要素と呼ばれ、スロット中の指標対（ｋ，ｌ）によって一意に識別されるが、
（外８）
2018026819.tif 000010
及び
（外９）
2018026819.tif 000011
はそれぞれ、周波数領域及び時間領域の指標である。アンテナポートｐ上のリソース要素（ｋ，ｌ）は、複素数値
（外１０）
2018026819.tif 000012
に対応する。
混乱のリスクがない場合又は特定のアンテナポートが指定されない場合、指標ｐは、省略されてもよい。
６．２．３  リソースブロック
特定の物理チャネルのリソース要素へのマッピングには、リソースブロックが用いられる。物理リソースブロック及び仮想リソースブロックが規定されている。
物理リソースブロックは、時間領域における
（外１１）
2018026819.tif 000013
個の連続ＯＦＤＭシンボル及び周波数領域における
（外１２）
2018026819.tif 000014
個の連続副搬送波として規定され、
（外１３）
2018026819.tif 000015
及び
（外１４）
2018026819.tif 000016
は、図６により与えられる（３ＧＰＰ  ＴＲ  ３６．２１１  Ｖ１３．１．０の表６．２．３−１の再現）。このように、物理リソースブロックは、時間領域における１つのスロット及び周波数領域における１８０ｋＨｚに相当する
（外１５）
2018026819.tif 000017
個のリソース要素から成る。
物理リソースブロックは、周波数領域において、０から
（外１６）
2018026819.tif 000018
まで番号付けされている。周波数領域における物理リソースブロック数ｎＰＲＢとスロット中のリソース要素（ｋ，ｌ）との関係は、以下により与えられる。
（外１７）
2018026819.tif 000019
物理リソースブロック対は、物理リソースブロック数ｎＰＲＢが同じ１つのサブフレームにおける２つの物理リソースブロックとして規定されている。
仮想リソースブロックは、物理リソースブロックと同じサイズである。２種類の仮想リソースブロックが規定されている。
局所化タイプの仮想リソースブロック
分散化タイプの仮想リソースブロック
各種類の仮想リソースブロックに対して、単一の仮想リソースブロック数ｎＶＲＢにより、サブフレームの２つのスロットにわたる一対の仮想リソースブロックが一体的に割り当てられている。
＜・・・・＞
６．１２  ＯＦＤＭベースバンド信号生成
ダウンリンクスロットにおけるＯＦＤＭシンボルｌのアンテナポートｐ上の時間連続信号
（外１８）
2018026819.tif 000020
は、以下により規定される。
（外１９）
2018026819.tif 000021
これは、０≦ｔ＜（ＮＣＰ，ｌ＋Ｎ）×Ｔｓの場合であり、
（外２０）
2018026819.tif 000022
及び
（外２１）
2018026819.tif 000023
である。変数Ｎは、副搬送波間隔Δｆ＝１５ｋＨｚの場合には２０４８、副搬送波間隔Δｆ＝７．５ｋＨｚの場合には４０９６に等しい。
スロット中のＯＦＤＭシンボルは、ｌ＝０からｌの昇順に送信されるものとするが、ＯＦＤＭシンボルｌ＞０は、スロット内の時間
（外２２）
2018026819.tif 000024
に開始となる。スロット中の最初のＯＦＤＭシンボルが通常の巡回プレフィックスを使用し、その他のＯＦＤＭシンボルが拡張された巡回プレフィックスを使用する場合、拡張巡回プレフィックスを有するＯＦＤＭシンボルの開始位置は、すべてのＯＦＤＭシンボルが拡張巡回プレフィックスを使用する場合のスロット中の開始位置と同一であるものとする。したがって、送信信号が指定されていない２つの巡回プレフィックス領域間には、時間スロットの一部が存在することになる。
図７（３ＧＰＰ  ＴＲ  ３６．２１１  Ｖ１３．１．０の表６．１２−１の再現）は、使用されるＮＣＰ，ｌの値を一覧表示している。なお、スロット内の異なるＯＦＤＭシンボルは、異なる巡回プレフィックス長を有する場合もある。
６．１３  変調及びアップコンバージョン
各アンテナポートの複素数値ＯＦＤＭベースバンド信号の搬送波周波数の変調及びアップコンバージョンは、図６．１３−１に示されている。送信に先立って必要とされるフィルタリングは、３ＧＰＰ  ＴＳ  ３６．１０４［６］の要件により規定されている。
【００３１】
ＬＴＥにおいては、最初のアクセスに対してダウンリンク（ＤＬ）ヌメロロジが１つだけ規定されており、副搬送波間隔が１５ｋＨｚである。最初のアクセス中に取得される信号及びチャネルは、１５ｋＨｚヌメロロジに基づく。セルにアクセスするため、ＵＥは、いくつかの基本情報の取得が必要となる場合がある。例えば、ＵＥはまず、セル探索又はセル選択／再選択中に行われるセルの時間／周波数同期を取得する。時間／周波数同期は、主同期信号（ＰＳＳ）又は副同期信号（ＳＳＳ）等の同期信号の受信によって得られる。同期中、セルの中心周波数は既知であり、サブフレーム／フレーム境界が得られる。ＰＳＳ又はＳＳＳが取得されたら、セルの巡回プレフィックス（ＣＰ）（例えば、通常ＣＰ又は拡張ＣＰ）及びセルの二重モード（例えば、ＦＤＤ又はＴＤＤ）が得られる。物理ブロードキャストチャネル（ＰＢＣＨ）上で搬送されたマスタ情報ブロック（ＭＩＢ）が受信されたら、システムフレーム数（ＳＦＮ）、システム帯域幅、物理制御チャネル関連情報等のいくつかの基本システム情報が得られる。ＵＥは、システム帯域幅に従って、適正なリソース要素上の適正なペイロードサイズのＤＬ制御チャネル（例えば、ＰＤＣＣＨ）を受信することになり、セルのアクセス可能性、ＵＬ帯域幅及び周波数、ランダムアクセスパラメータ等、システム情報ブロック（ＳＩＢ）中のセルアクセスに必要とされるその他のシステム情報を取得可能である。そして、ＵＥは、ランダムアクセスを実行するとともに、セルへの接続を要求することができる。接続設定が完了した後、ＵＥは、接続モードに入って、セルへのデータ送信又はセルからのデータ受信が可能となる。データ受信及び送信のためのリソース配分は、ＭＩＢ又はＳＩＢに示されたシステム帯域幅（例えば、以下の引用中の
（外２３）
2018026819.tif 000025
又は
（外２４）
2018026819.tif 000026
）に従って行われる。３ＧＰＰ  ＴＲ  ３６．２１１  Ｖ１３．１．０、３ＧＰＰ  ＴＳ  ３６．３３１  Ｖ１３．２．０、３ＧＰＰ  ＴＳ  ３６．２１２  Ｖ１３．１．０、及び３ＧＰＰ  ＴＳ  ３６．２１３  Ｖ１３．１．１からの引用は、以下の通りである。
物理ブロードキャストチャネル
ＰＢＣＨは、フレーム構造タイプ３の場合は送信されない。
６．６．１  スクランブリング
物理ブロードキャストチャネル上で送信されるビット数Ｍｂｉｔが通常巡回プレフィックスの場合に１９２０、拡張巡回プレフィックスの場合に１７２８に等しいビットｂ（０）、・・・、ｂ（Ｍｂｉｔ−１）のブロックは、変調に先立って、セル固有のシーケンスでスクランブリングされ、以下に従ってスクランブリングビット
（外２５）
2018026819.tif 000027
のブロックとなる。
（外２６）
2018026819.tif 000028
ここで、スクランブリングシーケンスｃ（ｉ）は、第７．２項によって与えられる。スクランブリングシーケンスは、ｎｆ  ｍｏｄ  ４＝０を満たす各無線フレームにおいて、
（外２７）
2018026819.tif 000029
で初期化されるものとする。
６．６．２  変調
スクランブリングビット
（外２８）
2018026819.tif 000030
のブロックは、第７．１項に記載の通り変調され、複素数値変調シンボルｄ（０）、・・・、ｄ（Ｍｓｙｍｂ−１）のブロックとなる。図９（３ＧＰＰ  ＴＲ  ３６．２１１  Ｖ１３．１．０の表６．６．２−１の再現）は、物理ブロードキャストチャネルの場合に適用可能な変調マッピングを指定している。
６．６．３  レイヤマッピング及びプリコーディング
変調シンボルｄ（０）、・・・、ｄ（Ｍｓｙｍｂ−１）のブロックは、
（外２９）
2018026819.tif 000031
で第６．３．３．１項及び第６．３．３．３項の一方に従ってレイヤにマッピングされるとともに、第６．３．４．１項及び第６．３．４．３項の一方に従ってプリコーディングされ、ベクトルｙ（ｉ）＝［ｙ（０）（ｉ）・・・ｙ（Ｐ−１）（ｉ）］Ｔ、ｉ＝０、・・・、Ｍｓｙｍｂ−１のブロックとなるが、ｙ（Ｐ）（ｉ）はアンテナポートｐの信号を表し、ｐ＝０、・・・、Ｐ−１であって、セル固有の基準信号に対するアンテナポート数Ｐ∈｛１，２，４｝である。
６．６．４  リソース要素へのマッピング
各アンテナポートの複素数値シンボルｙ（Ｐ）（０）、・・・、ｙ（Ｐ）（Ｍｓｙｍｂ−１）のブロックは、ｎｆ  ｍｏｄ  ４＝０を満たす各無線フレームを始点とする４つの連続無線フレームにおいて送信され、ｙ（０）で始まるシーケンスにおいて、ＰＢＣＨリソース要素の中心セットを構成するリソース要素（ｋ，ｌ）にマッピングされるものとする。基準信号の送信用に確保されていないリソース要素（ｋ，ｌ）へのマッピングは、最初はサブフレーム０のスロット１の指標ｋ、その後は指標ｌ、最後に無線フレーム番号の昇順であるものとする。リソース要素の指標は、以下により与えられる。
（外３０）
2018026819.tif 000032
ここで、基準信号用に確保されたリソース要素は、除外されるものとする。マッピング動作では、実際の設定に関わらず、アンテナポート０〜３のセル固有の基準信号が存在するものと仮定する。ＵＥは、上記マッピング動作で基準信号用としての確保が仮定されたものの、基準信号の送信に用いられないリソース要素がＰＤＳＣＨ送信に利用できないものと仮定する。ＵＥは、これらのリソース要素について、その他一切の仮定を行わないものとする。
物理ブロードキャストチャネルの繰り返しがセルに設定された場合は、無線フレームｎｆ−ｉ内のスロット番号ｎｓ’のリソース要素（ｋ，ｌ’）に対して、当該リソース要素（ｋ，ｌ’）がＣＳＩ基準信号により使用されない場合、
−  上記マッピング動作に従って無線フレームｎｆ内のサブフレーム０のスロット１の中心リソース要素（ｋ，ｌ）にマッピングされたシンボル、及び
−  上記マッピング動作に従ってｌとともに無線フレームｎｆ内のサブフレーム０のスロット１のＯＦＤＭシンボルｌにおけるセル固有の基準信号、
が追加でマッピングされるものとする。
フレーム構造タイプ１の場合、ｌ’、ｎｓ’、及びｉは、図１０（３ＧＰＰ  ＴＲ  ３６．２１１  Ｖ１３．１．０の表６．６．４−１の再現）により与えられる。
フレーム構造タイプ２の場合、
−
（外３１）
2018026819.tif 000033
の場合は、ｌ’及びｎｓ’が図１１（３ＧＰＰ  ＴＲ  ３６．２１１  Ｖ１３．１．０の表６．６．４−２の再現）により与えられ、ｉ＝０であり、
−
（外３２）
2018026819.tif 000034
の場合は、ｌ’及びｎｓ’が図１１（３ＧＰＰ  ＴＲ  ３６．２１１  Ｖ１３．１．０の表６．６．４−２の再現）により与えられ、ｉ＝０であるが、ｎｓ’＝１０及びｎｓ’＝１１での繰り返しは適用されない。
フレーム構造タイプ１及びフレーム構造タイプ２の両者について、
（外３３）
2018026819.tif 000035
の場合は、物理ブロードキャストチャネルの繰り返しが適用不可能である。
繰り返しなしでセル固有の基準信号の送信に既に用いられたリソース要素は、セル固有の基準信号の別のマッピングには用いられないものとする。
＜・・・＞
―  マスタ情報ブロック（ＭａｓｔｅｒＩｎｆｏｒｍａｔｉｏｎＢｌｏｃｋ）
マスタ情報ブロックは、ＢＣＨ上で送信されたシステム情報を含む。
シグナリング無線ベアラ：Ｎ／Ａ
ＲＬＣ−ＳＡＰ：ＴＭ
論理チャネル：ＢＣＣＨ
方向：Ｅ−ＵＴＲＡＮからＵＥ
【表１】
2018026819.tif 000036
【００３２】
【表２】
2018026819.tif 000037
【００３３】
ＬＴＥにおいては、複数の目的で、接続モードのＵＥが測定を実行することが必要になる。ＵＥに対するリソースを適正にスケジューリングするため、ネットワークは、ＵＥに対してチャネル状態情報（ＣＳＩ）測定を設定することにより、各周波数部のチャネル品質を理解する。ＣＳＩ測定は、特定の時間周波数リソース上のセル固有基準信号（ＣＲＳ）又はチャネル状態情報基準信号（ＣＳＩ−ＲＳ）に対して実行される。ＵＥによって広帯域測定及びサブバンド測定が実行されることができ、広帯域は、１００個の物理リソースブロック（ＰＲＢ）等のシステム帯域幅全体の測定に対応しており、サブバンド測定は、４つ又は６つのＰＲＢ等のより少量の周波数リソースに対応している。ＣＳＩレポートモードの設定では、ＵＥが対応する結果を適正に報告する。ＣＳＩレポートは、周期的であってもよいし、非周期的であってもよい。周期的なレポートは、設定された周期的リソースにより、制御チャネル上で周期的に測定及びレポートされる。非周期的なレポートは、特定のＴＴＩのアップリンク（ＵＬ）グラントによって開始され、対応する測定結果が当該ＴＴＩにて送信される。３ＧＰＰ  ＴＳ  ３６．２１３  Ｖ１３．１．１は、以下を提供している。
７．２  チャネル状態情報（ＣＳＩ）を報告するＵＥの手順
ＵＥにＰＵＣＣＨ−ＳＣｅｌｌが設定されている場合、ＵＥは、別段の指定のない限り、主ＰＵＣＣＨグループ及び副ＰＵＣＣＨグループの両者に対して、本項に記載の手順を適用するものとする。
−  主ＰＵＣＣＨグループに対して手順が適用された場合、本項における用語「副セル」、「複数の副セル」、「サービングセル」、及び「複数のサービングセル」は、別段の指定のない限り、それぞれ主ＰＵＣＣＨグループに属する副セル、複数の副セル、サービングセル、又は複数のサービングセルを表す。
−  副ＰＵＣＣＨグループに対して手順が適用された場合、本項における用語「副セル」、「複数の副セル」、「サービングセル」、及び「複数のサービングセル」は、別段の指定のない限り、それぞれ副ＰＵＣＣＨグループに属する副セル、複数の副セル（ＰＵＣＣＨ−ＳＣｅｌｌは含まない）、サービングセル、又は複数のサービングセルを表す。本項における用語「主セル」は、副ＰＵＣＣＨグループのＰＵＣＣＨ−ＳＣｅｌｌを表す。
チャネル品質インジケータ（ＣＱＩ）、プリコーディングマトリクスインジケータ（ＰＭＩ）、プリコーディングタイプインジケータ（ＰＴＩ）、ＣＳＩ−ＲＳリソースインジケータ（ＣＲＩ）、及び／又はランクインジケータ（ＲＩ）からなるＣＳＩのレポートのためにＵＥによって使用され得る時間及び周波数リソースは、ｅＮＢによって制御される。［３］で与えられる空間多重の場合、ＵＥは、有用な送信レイヤの数に対応するＲＩを決定するものとする。［３］で与えられる送信ダイバーシティの場合、ＲＩは、１に等しい。
送信モード８又は９の非ＢＬ／ＣＥ  ＵＥは、より高いレイヤのパラメータpmi-RI-Reportによって、ＰＭＩ／ＲＩレポートあり又はなしに設定される。
送信モード８又は９のＵＥは、より高いレイヤのパラメータpmi-RI-Reportによって、ＰＭＩ／ＲＩレポートあり又はなしに設定される。
送信モード１０のＵＥには、より高いレイヤによって、サービングセル当たり１つ又は複数のＣＳＩプロセスが設定可能である。
送信モード１０のＵＥの場合、
−  ＵＥにより高いレイヤのパラメータeMIMO-Typeが設定されていない場合は、各ＣＳＩプロセスがＣＳＩ−ＲＳリソース（第７．２．５項に規定）及びＣＳＩ干渉測定（ＣＳＩ−ＩＭ）リソース（第７．２．６項に規定）と関連付けられている。ＣＳＩプロセスに関して、より高いレイヤのパラメータcsi-SubFramePatternConfig-r12によりＣＳＩサブフレームセットＣＣＳＩ，０及びＣＣＳＩ，１がＵＥに設定されている場合は、当該ＣＳＩプロセスに関して、最大２つのＣＳＩ−ＩＭリソースをＵＥに設定可能である。
−  ＵＥにより高いレイヤのパラメータeMIMO-Typeが設定されており、eMIMO-Typeが「クラスＡ」に設定されている場合は、各ＣＳＩプロセスがＣＳＩ−ＲＳリソース（第７．２．５項に規定）及びＣＳＩ干渉測定（ＣＳＩ−ＩＭ）リソース（第７．２．６項に規定）と関連付けられている。ＣＳＩプロセスに関して、より高いレイヤのパラメータcsi-SubFramePatternConfig-r12によりＣＳＩサブフレームセットＣＣＳＩ，０及びＣＣＳＩ，１がＵＥに設定されている場合は、当該ＣＳＩプロセスに関して、最大２つのＣＳＩ−ＩＭリソースをＵＥに設定可能である。
−  ＵＥにより高いレイヤのパラメータeMIMO-Typeが設定されており、eMIMO-Typeが「クラスＢ」に設定されている場合は、各ＣＳＩプロセスが１つ又は複数のＣＳＩ−ＲＳリソース（第７．２．５項に規定）及び１つ又は複数のＣＳＩ干渉測定（ＣＳＩ−ＩＭ）リソース（第７．２．６項に規定）と関連付けられている。各ＣＳＩ−ＲＳリソースは、より高いレイヤによって、ＣＳＩ−ＩＭリソースと関連付けられる。１つのＣＳＩ−ＲＳリソースを伴うＣＳＩプロセスの場合、当該ＣＳＩプロセスに関して、より高いレイヤのパラメータcsi-SubFramePatternConfig-r12によりＣＳＩサブフレームセットＣＣＳＩ，０及びＣＣＳＩ，１がＵＥに設定されている場合は、各ＣＳＩサブフレームセットに関して、ＣＳＩ−ＩＭリソースをＵＥに設定可能である。
送信モード１０のＵＥの場合、ＵＥにより報告されたＣＳＩは、より高いレイヤによって設定されたＣＳＩプロセスに対応する。各ＣＳＩプロセスは、より高いレイヤのシグナリングによって、ＰＭＩ／ＲＩレポートあり又はなしに設定可能である。
送信モード９のＵＥ及びより高いレイヤのパラメータeMIMO-Typeが設定されたＵＥの場合、本項における用語「ＣＳＩプロセス」は、当該ＵＥに関して設定されたＣＳＩを表す。
送信モード９のＵＥの場合、当該ＵＥにより高いレイヤのパラメータeMIMO-Typeが設定されている場合は、
−  eMIMO-Typeが「クラスＡ」に設定され、各ＣＳＩプロセスがＣＳＩ−ＲＳリソース（第７．２．５項に規定）と関連付けられている。
−  eMIMO-Typeが「クラスＢ」に設定され、各ＣＳＩプロセスが１つ又は複数のＣＳＩ−ＲＳリソース（第７．２．５項に規定）と関連付けられている。
ＣＳＩプロセスの場合、ＵＥが送信モード９又は１０に設定され、当該ＵＥにより高いレイヤのパラメータpmi-RI-Reportが設定されておらず、当該ＵＥにより高いレイヤのパラメータeMIMO-Typeが設定されており、eMIMO-Typeが「クラスＢ」に設定され、１つ又は複数の設定ＣＳＩ−ＲＳリソースのうちの少なくとも１つにおけるＣＳＩ−ＲＳアンテナポートの数が２つ以上である場合は、ＰＭＩレポートなしでＵＥが設定されるものと考えられる。
サブフレームセットＣＣＳＩ，０及びＣＣＳＩ，１がより高いレイヤによって設定されている場合、ＵＥには、リソース制限ＣＳＩ測定が設定される。
フレーム構造タイプ１のサービングセルの場合、ＵＥは、csi-SubFramePatternConfig-r12dの設定が期待されない。
ＣＳＩレポートは、周期的又は非周期的である。
ＣＥＭｏｄｅＢが設定されたＢＬ／ＣＥ  ＵＥは、非周期的なＣＳＩ又は周期的なＣＳＩレポートの設定が期待されない。
ＵＥに２つ以上のサービングセルが設定されている場合、ＵＥは、アクティブ化サービングセルのみに対してＣＳＩを送信する。
ＵＥがＰＵＳＣＨ及びＰＵＣＣＨ同時送信用に設定されていない場合、ＵＥは、ＰＵＳＣＨの配分のないサブフレームにおいて、以下に規定されるように、ＰＵＣＣＨに関する周期的なＣＳＩレポートを送信するものとする。
ＵＥがＰＵＳＣＨ及びＰＵＣＣＨ同時送信用に設定されていない場合、ＵＥは、ＰＵＳＣＨの配分のあるサブフレームにおいて、以下に規定されるように、最小ServCellIndexのサービングセルのＰＵＳＣＨに関する周期的なＣＳＩレポートを送信するものとするが、ＵＥは、ＰＵＳＣＨに関して、同じＰＵＣＣＨベースの周期的なＣＳＩレポートフォーマットを使用するものとする。
ＵＥは、以下に指定される条件が満たされる場合、ＰＵＳＣＨに関する非周期的なＣＳＩレポートを送信するものとする。非周期的なＣＱＩ／ＰＭＩレポートの場合は、設定されたＣＳＩフィードバックタイプがＲＩレポートをサポートする場合にのみ、ＲＩレポートが送信される。
表７．２−１：なし
周期的及び非周期的なＣＳＩレポートが同じサブフレームで起こる場合、ＵＥは、当該サブフレームにおいて、非周期的なＣＳＩレポートのみを送信するものとする。
より高いレイヤのパラメータaltCQI-Table-r12が設定され、allSubframes-r12に設定されている場合、
−  ＵＥは、表７．２．３−２に従って、ＣＱＩを報告するものとする。
或いは、より高いレイヤのパラメータaltCQI-Table-r12が設定され、csi-SubframeSet1-r12又はcsi-SubframeSet2-r12に設定されている場合、
−  ＵＥは、altCQI-Table-r12により設定された対応するＣＳＩサブフレームセットに対して、表７．２．３−２に従ってＣＱＩを報告するものとする。
−  ＵＥは、その他のＣＳＩサブフレームセットに対して、図２８（３ＧＰＰ  ＴＲ  ３６．２１１  Ｖ１３．１．０の表７．２．３−１の再現）に従ってＣＱＩを報告するものとする。
或いは、
−  ＵＥは、図２８（３ＧＰＰ  ＴＲ  ３６．２１１  Ｖ１３．１．０の表７．２．３−１の再現）に従って、ＣＱＩを報告するものとする。
非ＢＬ／ＣＥ  ＵＥの場合、ＲＩの報告に際して、ＵＥは、有用な送信レイヤの数の単一のインスタンスを報告する。各ＲＩレポート間隔について、ＵＥが送信モード４に設定されている場合又はＵＥがＰＭＩ／ＲＩレポートありで送信モード８、９、又は１０に設定されている場合、ＵＥは、［４］の第５．２．２．６項に規定されたＲＩ値のサポートされるセットからＲＩを決定するとともに、各ＲＩレポートにおける数値を報告するものとする。各ＲＩレポート間隔について、ＵＥが送信モード３に設定されている場合、ＵＥは、各レポート間隔において、［４］の第５．２．２．６項に規定されたＲＩを決定するとともに、各ＲＩレポートにおける検出数値を報告して、送信ダイバーシティと大遅延ＣＤＤとの間の選択をサポートするものとする。
送信モード９又は１０に設定されたＵＥの場合、ＣＲＩの報告に際して、ＵＥは、選択されたＣＳＩ−ＲＳリソースの単一のインスタンスを報告する。各ＣＲＩレポート間隔について、ＵＥにより高いレイヤのパラメータeMIMO-Typeが設定されており、eMIMO-Typeが「クラスＢ」に設定され、設定されたＣＳＩ−ＲＳリソースの数がＣＳＩプロセスに関して２以上である場合、ＵＥは、［４］の第５．２．２．６項に規定されたＣＲＩ値のサポートされるセットからＣＲＩを決定し、各ＣＲＩレポートにおける数値を報告するものとする。
非ＢＬ／ＣＥ  ＵＥの場合、ＰＭＩの報告に際して、ＵＥは、単一又は複数のＰＭＩレポートを報告する。単一のＵＥ  ＰＭＩレポートにより表されるＲＢの数としては、
（外３４）
2018026819.tif 000038
又はより小さなＲＢのサブセットが可能である。単一のＰＭＩレポートにより表されるＲＢの数は、より高いレイヤのシグナリングによって半静的に設定される。ＵＥは、より高いレイヤのシグナリングによって設定された１つ又は複数のビットマップパラメータcodebookSubsetRestriction、codebookSubsetRestriction-1、codebookSubsetRestriction-2、codebookSubsetRestriction-3により指定されたプリコーダコードブックサブセット内のＰＭＩ、ＲＩ、及びＰＴＩを報告するように制限される。
送信モード１０に設定され、ＣＳＩプロセスに関してより高いレイヤのパラメータeMIMO-Typeが設定されていないＵＥの場合又は送信モード９若しくは１０に設定されるとともに、より高いレイヤのパラメータeMIMO-Typeが設定され、eMIMO-Typeが「クラスＢ」に設定され、より高いレイヤのパラメータalternativeCodebookEnabledCLASSB_K1=TRUEが設定されるとともに、ＣＳＩプロセスに関してより高いレイヤのパラメータalternativeCodebookEnabledCLASSB_K1=TRUEが設定される場合を除いて、１つのＣＳＩ−ＲＳリソースが設定されたＵＥの場合、ビットマップパラメータcodebookSubsetRestrictionは、より高いレイヤのシグナリングによって、（サブフレームセットＣＣＳＩ，０及びＣＣＳＩ，１がより高いレイヤによって設定されている場合）各ＣＳＩプロセス及び各サブフレームセットに対して設定される。
送信モード９又は１０に設定されるとともに、ＣＳＩプロセスに関して、より高いレイヤのパラメータeMIMO-Typeが設定され、eMIMO-Typeが「クラスＡ」に設定されたＵＥの場合、ビットマップパラメータcodebookSubsetRestriction-1、codebookSubsetRestriction-2は、より高いレイヤのシグナリングによって、（サブフレームセットＣＣＳＩ，０及びＣＣＳＩ，１がより高いレイヤによって設定されている場合）ＣＳＩプロセス及び各サブフレームセットに対して設定される。
送信モード９又は１０に設定されるとともに、ＣＳＩプロセスに関して、より高いレイヤのパラメータeMIMO-Typeが設定され、eMIMO-Typeが「クラスＢ」に設定され、１つのＣＳＩ−ＲＳリソースが設定されるとともに、より高いレイヤのパラメータalternativeCodebookEnabledCLASSB_K1=TRUEであるＵＥの場合、ビットマップパラメータcodebookSubsetRestriction-3は、より高いレイヤのシグナリングによって、（サブフレームセットＣＣＳＩ，０及びＣＣＳＩ，１がより高いレイヤによって設定されている場合）ＣＳＩプロセス及び各サブフレームセットに対して設定される。
送信モード９又は１０に設定されるとともに、ＣＳＩプロセスに関して、より高いレイヤのパラメータeMIMO-Typeが設定され、eMIMO-Typeが「クラスＢ」に設定され、２つ以上のＣＳＩ−ＲＳリソースが設定されたＵＥの場合、ビットマップパラメータcodebookSubsetRestrictionは、より高いレイヤのシグナリングによって、（サブフレームセットＣＣＳＩ，０及びＣＣＳＩ，１がより高いレイヤによって設定されている場合）ＣＳＩプロセスの各ＣＳＩ−ＲＳリソース及び各サブフレームセットに対して設定される。
＜・・・＞
非ＢＬ／ＣＥ  ＵＥの場合、ＵＥがＣＱＩレポートのために評価するサブバンドのセット（Ｓ）は、ダウンリンクシステム帯域幅全体に及ぶ。サブバンドは、一連のｋ個の連続するＰＲＢであり、ｋはシステム帯域幅の関数である。なお、セットＳ中の最後のサブバンドは、
（外３５）
2018026819.tif 000039
に応じて、ｋ個の連続ＰＲＢよりも少なくなる場合がある。
（外３６）
2018026819.tif 000040
により与えられるシステム帯域幅のサブバンドの数は、
（外３７）
2018026819.tif 000041
によって規定される。サブバンドは、最低周波数を始点として、周波数の昇順且つサイズの非昇順で指標付けされるものとする。
−  送信モード１、２、３、及び５のほか、ＰＭＩ／ＲＩレポートなしの送信モード８、９、及び１０、ＲＩ＝１の送信モード４、ＰＭＩ／ＲＩレポートありでＲＩ＝１の送信モード８、９、及び１０、並びにＰＭＩレポートなしでＲＩ＝１の送信モード９及び１０の場合は、単一の４ビット広帯域ＣＱＩが報告される。
−  送信モード３及び４のほか、ＰＭＩ／ＲＩレポートありの送信モード８、９、及び１０並びにＰＭＩレポートなしの送信モード９及び１０の場合は、ＲＩ＝１の場合に１つのコードワード、ＲＩ＞１の場合に２つのコードワードの送信を仮定して、ＣＱＩが計算される。
−  送信モード４でＲＩ＞１のほか、ＰＭＩ／ＲＩレポートありの送信モード８、９、及び１０並びにＰＭＩレポートなしの送信モード９及び１０の場合は、ＰＵＳＣＨベースで開始されたレポートが、以下を含む広帯域ＣＱＩの報告を含む。
−  コードワード０の場合の４ビット広帯域ＣＱＩ
−  コードワード１の場合の４ビット広帯域ＣＱＩ
−  送信モード４でＲＩ＞１のほか、ＰＭＩ／ＲＩレポートありの送信モード８、９、及び１０並びにＰＭＩレポートなしの送信モード９及び１０の場合は、ＰＵＣＣＨベースで開始されたレポートが、コードワード０の場合の４ビット広帯域ＣＱＩ及び広帯域空間微分ＣＱＩの報告を含む。広帯域空間微分ＣＱＩ値は、以下を含む。
−  コードワード１のオフセットレベルの場合の３ビット広帯域空間微分ＣＱＩ値
−  コードワード１のオフセットレベル＝コードワード０の場合の広帯域ＣＱＩ指標−コードワード１の場合の広帯域ＣＱＩ指標
−  ３ビット広帯域空間微分ＣＱＩ値からオフセットレベルへのマッピングは、図１３（３ＧＰＰ  ＴＲ  ３６．２１１  Ｖ１３．１．０の表７．２−２の再現）に示されている。
７．２．１  ＰＵＳＣＨを用いた非周期的なＣＳＩレポート
本項における用語「ＵＬ／ＤＬ設定」は、別段の指定のない限り、より高いレイヤのパラメータsubframeAssignmentを表す。
非ＢＬ／ＣＥ  ＵＥは、各ＣＳＩリクエストフィールドがレポートを開始するように設定されているものの確保されていない場合、サービングセルｃに関して、サブフレームｎにおける以下いずれかの復号化に際し、サービングセルｃ上のサブフレームｎ＋ｋのＰＵＳＣＨを用いて非周期的なＣＳＩレポートを実行するものとする。
−  アップリンクＤＣＩフォーマット［４］、又は
−  ランダムアクセス応答グラント
ＢＬ／ＣＥ  ＵＥは、各ＣＳＩリクエストフィールドがレポートを開始するように設定されているものの確保されていない場合、サービングセルｃに関して、以下いずれかの復号化に際し、ＰＵＳＣＨを用いて非周期的なＣＳＩレポートを実行するものとする。
−  アップリンクＤＣＩフォーマット［４］、又は
−  ランダムアクセス応答グラント
ＵＬ  ＤＣＩフォーマットにより開始された対応する非周期的なＣＳＩレポートを搬送するＰＵＳＣＨが送信されるサブフレームは、第８．０項に従って決定される。
ＣＳＩリクエストフィールドが１ビットであり、ＵＥが送信モード１〜９に設定される一方、如何なるサービングセルに関してもＵＥにcsi-SubframePatternConfig-r12が設定されていない場合、ＣＳＩリクエストフィールドが「１」に設定されている場合は、サービングセルｃに対してレポートが開始される。
ＣＳＩリクエストフィールドが１ビットであり、ＵＥが送信モード１０に設定される一方、如何なるサービングセルに関してもＵＥにcsi-SubframePatternConfig-r12が設定されていない場合、ＣＳＩリクエストフィールドが「１」に設定されている場合は、図１５（３ＧＰＰ  ＴＲ  ３６．２１１  Ｖ１３．１．０の表７．２．１−１Ｂの再現）における「０１」というＣＳＩリクエストフィールドの値と関連付けられたより高いレイヤのＣＳＩプロセス設定セットに相当するサービングセルｃに対して、一連のＣＳＩプロセスに関するレポートが開始される。
ＣＳＩリクエストフィールドサイズが２ビットであり、ＵＥがすべてのサービングセルに関して送信モード１〜９に設定される一方、如何なるサービングセルに関してもＵＥにcsi-SubframePatternConfig-r12が設定されていない場合は、非周期的なＣＳＩレポートに対応する図１４（３ＧＰＰ  ＴＲ  ３６．２１１  Ｖ１３．１．０の表７．２．１−１Ａの再現）の値に従って、レポートが開始される。
ＣＳＩリクエストフィールドサイズが２ビットであり、ＵＥが少なくとも１つのサービングセルに関して送信モード１０に設定される一方、如何なるサービングセルに関してもＵＥにcsi-SubframePatternConfig-r12が設定されていない場合は、非周期的なＣＳＩレポートに対応する図１５（３ＧＰＰ  ＴＲ  ３６．２１１  Ｖ１３．１．０の表７．２．１−１Ｂの再現）の値に従って、レポートが開始される。
ＣＳＩリクエストフィールドが１ビットであり、少なくとも１つのサービングセルに関してより高いレイヤのパラメータcsi-SubframePatternConfig-r12がＵＥに設定された場合、ＣＳＩリクエストフィールドが「１」に設定されている場合は、表７．２．１−１Ｃにおける「０１」というＣＳＩリクエストフィールドの値と関連付けられたより高いレイヤのＣＳＩプロセス設定セット及び／又は｛ＣＳＩプロセス、ＣＳＩサブフレームセット｝対に相当するサービングセルｃに対して、一連のＣＳＩプロセス及び／又は｛ＣＳＩプロセス、ＣＳＩサブフレームセット｝対に関するレポートが開始される。
ＣＳＩリクエストフィールドサイズが２ビットであり、少なくとも１つのサービングセルに関してより高いレイヤのパラメータcsi-SubframePatternConfig-r12がＵＥに設定された場合は、非周期的なＣＳＩレポートに対応する表７．２．１−１Ｃの値に従って、レポートが開始される。
ＣＳＩリクエストフィールドサイズが３ビットであり、如何なるサービングセルに関してもより高いレイヤのパラメータcsi-SubframePatternConfig-r12がＵＥに設定されていない場合は、非周期的なＣＳＩレポートに対応する表７．２．１−１Ｄの値に従って、レポートが開始される。
ＣＳＩリクエストフィールドサイズが３ビットであり、少なくとも１つのサービングセルに関してより高いレイヤのパラメータcsi-SubframePatternConfig-r12がＵＥに設定された場合は、非周期的なＣＳＩレポートに対応する表７．２．１−１Ｅの値に従って、レポートが開始される。
所与のサービングセルに関して、ＵＥが送信モード１〜９に設定された場合、図１５（３ＧＰＰ  ＴＲ  ３６．２１１  Ｖ１３．１．０の表７．２．１−１Ｂの再現）、表７．２．１−１Ｃ、表７．２．１−１Ｄ、及び表７．２．１−１Ｅの「ＣＳＩプロセス」は、所与のサービングセル上のＵＥに対して設定された非周期的なＣＳＩを表す。ＵＥは、図１５（３ＧＰＰ  ＴＲ  ３６．２１１  Ｖ１３．１．０の表７．２．１−１Ｂの再現）の第１及び第２のＣＳＩプロセスセットそれぞれにおいて、６つ以上のＣＳＩプロセスを有するより高いレイヤによる設定が期待されない。ＵＥは、表７．２．１−１Ｃの第１及び第２のＣＳＩプロセスセット及び／又は｛ＣＳＩプロセス、ＣＳＩサブフレームセット｝対それぞれにおいて、６つ以上のＣＳＩプロセス及び／又は｛ＣＳＩプロセス、ＣＳＩサブフレームセット｝対を有するより高いレイヤによる設定が期待されない。ＵＥは、図１５（３ＧＰＰ  ＴＲ  ３６．２１１  Ｖ１３．１．０の表７．２．１−１Ｂの再現）及び表７．２．１−１Ｃそれぞれにおける「０１」、「１０」、及び「１１」というＣＳＩリクエストフィールドの値と関連付けられたより高いレイヤの設定セットそれぞれにおいて、同じＣＳＩプロセスの２つ以上のインスタンスを有するより高いレイヤによる設定が期待されない。ＵＥは、表７．２．１−１Ｄの第１〜第６のＣＳＩプロセスセットそれぞれにおいて、３３個以上のＣＳＩプロセスを有するより高いレイヤによる設定が期待されない。ＵＥは、表７．２．１−１Ｅの第１〜第６のＣＳＩプロセスセット及び／又は｛ＣＳＩプロセス、ＣＳＩサブフレームセット｝対それぞれにおいて、３３個以上のＣＳＩプロセス及び／又は｛ＣＳＩプロセス、ＣＳＩサブフレームセット｝対を有するより高いレイヤによる設定が期待されない。ＵＥは、表７．２．１−１Ｄ及び表７．２．１−１Ｅそれぞれにおける「００１」、「０１０」、「０１１」、「１００」、「１０１」、「１１０」、及び「１１１」というＣＳＩリクエストフィールドの値と関連付けられたより高いレイヤの設定セットそれぞれにおいて、同じＣＳＩプロセスの２つ以上のインスタンスを有するより高いレイヤによる設定が期待されない。
ＵＥは、所与のサブフレームに関して、２つ以上の非周期的なＣＳＩレポートリクエストの受信が期待されない。
サービングセルに関して２つ以上のＣＳＩプロセスがＵＥに設定された場合、ＵＥは、図１５（３ＧＰＰ  ＴＲ  ３６．２１１  Ｖ１３．１．０の表７．２．１−１Ｂの再現）に応じたＣＳＩレポートを開始する非周期的なＣＳＩレポートリクエストの受信に際して、当該サービングセルの他の非周期的なＣＳＩリクエストと関連付けられたＮｕ個の未報告ＣＳＩプロセスをＵＥが有する場合、リクエストと関連付けられたサービングセルのｍａｘ（Ｎｘ−Ｎｕ，０）最低指標付けＣＳＩプロセスを除いて、すべてのＣＳＩプロセスに関してＣＳＩ基準リソース（第７．２．３項に規定）に対応するＣＳＩの更新が期待されない。ここで、ＣＳＩリクエストと関連付けられたＣＳＩプロセスは、対応するＣＳＩを搬送するＰＵＳＣＨが送信されたサブフレームの前のサブフレームにおいて未報告とのみカウントされるものとし、ＮＣＳＩ−Ｐがサービングセルに関してＵＥによりサポートされる最大ＣＳＩプロセス数であり、
−  ＦＤＤサービングセルの場合は、Ｎｘ＝ＮＣＳＩ−Ｐ、
−  ＴＤＤサービングセルの場合は、
−  ＵＥにサービングセルの４つのＣＳＩプロセスが設定されている場合、Ｎｘ＝ＮＣＳＩ−Ｐ、
−  ＵＥにサービングセルの２つ又は３つのＣＳＩプロセスが設定されている場合、Ｎｘ＝３である。
ＮＣＳＩ−Ｐの２つ以上の値がＵＥ−ＥＵＴＲＡ機能に含まれる場合、ＵＥは、そのＣＳＩプロセス設定と一致するＮＣＳＩ−Ｐの値を仮定する。ＮＣＳＩ−Ｐの一致する値が２つ以上存在する場合、ＵＥは、一致する値のうちのいずれか１つを仮定するようにしてもよい。
ＵＥに複数のセルグループが設定され、２つ以上のＣＳＩレポートを開始する異なるセルグループのサブフレームでＵＥが複数の非周期的なＣＳＩレポートリクエストを受信する場合、ＵＥは、開始されたすべてのＣＳＩレポートに対応するＣＳＩプロセスの６つ以上のＣＳＩプロセスに関して、ＣＳＩを更新する必要がない。
ＵＥにＰＵＣＣＨ−ＳＣｅｌｌが設定され、２つ以上のＣＳＩレポートを開始する主ＰＵＣＣＨグループ及び副ＰＵＣＣＨグループの両者のサブフレームでＵＥが複数の非周期的なＣＳＩレポートリクエストを受信する場合、ＵＥは、主ＰＵＣＣＨグループ及び副ＰＵＣＣＨグループにおけるサービングセルの総数が５つ以下であれば、開始されたすべてのＣＳＩレポートに対応するＣＳＩプロセスの６つ以上のＣＳＩプロセスに関して、ＣＳＩを更新する必要がない。ＵＥに６つ以上のサービングセルが設定され、Ｎｙ＋１個以上のＣＳＩレポートを開始するサブフレームでＵＥが非周期的なＣＳＩレポートリクエストを受信する場合、ＵＥは、開始されたすべてのＣＳＩレポートに対応するＣＳＩプロセスのＮｙ＋１個以上のＣＳＩプロセスに関して、ＣＳＩを更新する必要がない。ここで、Ｎｙの値は、maxNumberUpdatedCSI-Proc-r13により与えられる。
＜・・・＞
非ＢＬ／ＣＥ  ＵＥの場合、アップリンクＤＣＩフォーマットのＣＳＩリクエストフィールドがレポートを開始するように設定されている場合は、ＦＤＤに関してｋ＝４であり、ＴＤＤ  ＵＬ／ＤＬ設定１〜６に関しては、ｋが表８−２に与えられる。ＴＤＤ  ＵＬ／ＤＬ設定０の場合、ＵＬ指標のＭＳＢが１に設定され、ＵＬ指標のＬＳＢが０に設定されている場合は、ｋが表８−２に与えられる。或いは、ＵＬ指標のＭＳＢが０に設定され、ＵＬ指標のＬＳＢが１に設定されている場合は、ｋが７に等しい。或いは、ＵＬ指標のＭＳＢ及びＬＳＢの両者が１に設定されている場合は、ｋが表８−２に与えられる。
ＴＤＤの場合、ＵＥに２つ以上のサービングセルが設定され、少なくとも２つのサービングセルのＵＬ／ＤＬ設定が異なるか、又は、少なくとも１つのサービングセルに関して、ＵＥにパラメータEIMTA-MainConfigServCell-r12が設定されるか、或いは、ＦＤＤ−ＴＤＤ及びサービングセルのフレーム構造タイプ２の場合、表８−２に与えられた「ＴＤＤ  ＵＬ／ＤＬ設定」は、ＵＬ基準ＵＬ／ＤＬ設定（第８．０項に規定）を表す。
非ＢＬ／ＣＥ  ＵＥの場合、ランダムアクセス応答グラントのＣＳＩリクエストフィールドがレポートを開始するように設定される一方、確保されていない場合は、第６．２項のＵＬ遅延フィールドがゼロに設定されているならば、ｋがｋ１に等しく、ｋ１は第６．１．１項で与えられる。ＵＥは、ＵＬ遅延フィールドが１に設定されている場合、非周期的なＣＳＩレポートを次の利用可能なＵＬサブフレームまで延期するものとする。
ＢＬ／ＣＥ  ＵＥの場合、ランダムアクセス応答グラントのＣＳＩリクエストフィールドがレポートを開始するように設定される一方、確保されていない場合は、対応する非周期的なＣＳＩレポートが送信されるサブフレームが第６．１．１項に従って決定される。
ＣＱＩ及びＰＭＩ及びＲＩ及びＣＲＩの非周期的なレポートの最短レポート間隔は、１サブフレームである。ＣＱＩのサブバンドサイズは、プリコーディングを伴う場合及び伴わない場合の送信機−受信機構成と同じであるものとする。
ＰＵＳＣＨ及びＰＵＣＣＨ同時送信用にＵＥが設定されておらず、第８．６．２項に規定のように伝送ブロックが関連付けられていない非周期的なＣＳＩレポート及びポジティブＳＲが同じサブフレームで送信される場合、ＵＥは、ＳＲを送信するとともに、必要に応じて、第１０．１項に記載の通り、ＰＵＣＣＨリソース上でＨＡＲＱ−ＡＣＫを送信するものとする。
ＵＥは、より高いレイヤによって半静的に設定され、図１６（３ＧＰＰ  ＴＲ  ３６．２１１  Ｖ１３．１．０の表７．２．１−１の再現）に与えられるとともに以下に記載されるＣＳＩレポートモードのうちの１つを用いて、同じＰＵＳＣＨ上でＣＱＩ及びＰＭＩ及び対応するＲＩ及びＣＲＩをフィードバックする。ＢＬ／ＣＥ  ＵＥの場合、当該ＵＥは、表７．２．１−１の如何なるＣＳＩレポートモードの場合でも、ＲＩを送信しないものとする。
非ＢＬ／ＣＥ  ＵＥの場合は、第７．１項に規定の送信モードそれぞれについて、以下のレポートモードがＰＵＳＣＨ上でサポートされる。
送信モード１：モード２−０、３−０、１−０
送信モード２：モード２−０、３−０、１−０
送信モード３：モード２−０、３−０、１−０
送信モード４：モード１−２、２−２、３−１、３−２、１−１
送信モード５：モード３−１、１−１
送信モード６：モード１−２、２−２、３−１、３−２、１−１
送信モード７：モード２−０、３−０、１−０
送信モード８：ＵＥがＰＭＩ／ＲＩレポートありに設定された場合はモード１−２、２−２、３−１、３−２、１−１、ＵＥがＰＭＩ／ＲＩレポートなしに設定された場合はモード２−０、３−０、１−０
送信モード９：ＵＥがＰＭＩ／ＲＩレポートありに設定され、ＣＳＩ−ＲＳポート数＞１の場合はモード１−２、２−２、３−１、３−２、１−１、ＵＥがＰＭＩ／ＲＩレポートなし又はＰＭＩレポートなしに設定されるか、ＣＳＩ−ＲＳポート数＝１であるか、ＣＳＩレポートタイプが「クラスＢ」に設定された場合のＣＳＩプロセスの１つ又は複数のＣＳＩ−ＲＳリソースそれぞれにおけるＣＳＩ−ＲＳポート数が１である場合はモード２−０、３−０、１−０
送信モード１０：ＵＥがＰＭＩ／ＲＩレポートありに設定され、ＣＳＩ−ＲＳポート数＞１の場合はモード１−２、２−２、３−１、３−２、１−１、ＵＥがＰＭＩ／ＲＩレポートなし又はＰＭＩレポートなしに設定されるか、ＣＳＩ−ＲＳポート数＝１であるか、ＣＳＩレポートタイプが「クラスＢ」に設定された場合のＣＳＩプロセスの１つ又は複数のＣＳＩ−ＲＳリソースそれぞれにおけるＣＳＩ−ＲＳポート数が１である場合はモード２−０、３−０、１−０
＜・・・＞
非周期的なＣＳＩレポートモードは、より高いレイヤのシグナリングによって設定されたパラメータcqi-ReportModeAperiodicにより与えられる。
（外３８）
2018026819.tif 000042
のサービングセルの場合は、当該サービングセルに対してＰＵＳＣＨレポートモードがサポートされない。
非ＢＬ／ＣＥ  ＵＥの場合は、送信モード３及び４のほか、ＰＭＩ／ＲＩレポートありの送信モード８、９、及び１０並びにＰＭＩレポートなしの送信モード９及び１０に関してのみＲＩが報告される。
ＢＬ／ＣＥ  ＵＥの場合は、ＲＩが報告されない。
サービングセルｃに関して、ＣＳＩプロセスに対して送信モード１０且つＰＭＩ／ＲＩレポートあり又はＰＭＩレポートなしに設定されたＵＥには、当該ＣＳＩプロセスに関して、「ＲＩ基準ＣＳＩプロセス」を設定可能である。ＣＳＩプロセスに関してＵＥに「ＲＩ基準ＣＳＩプロセス」が設定された場合、当該ＣＳＩプロセスの報告ＲＩは、設定された「ＲＩ基準ＣＳＩプロセス」の報告ＲＩと同じであるものとする。「ＲＩ基準ＣＳＩプロセス」のＲＩは、「ＲＩ基準ＣＳＩプロセス」以外のその他如何なる設定ＣＳＩプロセスにも基づかない。ＵＥは、ＣＳＩプロセスと関連付けられたＣＳＩを含み、設定された「ＲＩ基準ＣＳＩプロセス」と関連付けられたＣＳＩを含まないＣＳＩレポートを開始する所与のサブフレームに関して、非周期的なＣＳＩレポートリクエストの受信が期待されない。ＣＳＩプロセスに関してＵＥに「ＲＩ基準ＣＳＩプロセス」が設定され、ＣＳＩプロセスのうちの１つだけに関して、サブフレームセットＣＣＳＩ，０及びＣＣＳＩ，１がより高いレイヤによって設定されている場合、ＵＥは、２つのサブフレームセット間にプリコーダコードブックサブセット制約がある別の制約ＲＩセットを有するサブフレームサブセットが設定されたＣＳＩプロセスの設定の受信が期待されない。ＵＥは、以下が異なるＣＳＩプロセス及び「ＲＩ基準ＣＳＩプロセス」の設定の受信が期待されない。
−  非周期的なＣＳＩレポートモード、及び／又は
−  ＣＳＩ−ＲＳアンテナポートの数、及び／又は
−  両ＣＳＩプロセスに関して、サブフレームセットＣＣＳＩ，０及びＣＣＳＩ，１がより高いレイヤによって設定されていない場合のプリコーダコードブックサブセット制約がある制約ＲＩセット、及び／又は
−  両ＣＳＩプロセスに関して、サブフレームセットＣＣＳＩ，０及びＣＣＳＩ，１がより高いレイヤによって設定された場合の各サブフレームセットのプリコーダコードブックサブセット制約がある制約ＲＩセット、及び／又は
−  ＣＳＩプロセスのうちの１つだけに関して、サブフレームセットＣＣＳＩ，０及びＣＣＳＩ，１がより高いレイヤによって設定された場合のプリコーダコードブックサブセット制約がある制約ＲＩセットであって、２つのサブフレームセットに関して同じである、制約ＲＩセット、及び／又は
−  ＵＥにより高いレイヤのパラメータeMIMO-Typeが設定され、eMIMO-Typeが「クラスＢ」に設定され、２つのＣＳＩプロセスの少なくとも一方に関して、設定されたＣＳＩ−ＲＳリソースの数が２つ以上である場合の２つのＣＳＩプロセスの任意の２つのＣＳＩ−ＲＳリソースに対するＣＳＩ−ＲＳアンテナポートの数、及び／又は
−  ＵＥにより高いレイヤのパラメータeMIMO-Typeが設定され、eMIMO-Typeが「クラスＢ」に設定され、２つのＣＳＩプロセスの少なくとも一方に関して、設定されたＣＳＩ−ＲＳリソースの数が２つ以上である場合並びに両ＣＳＩプロセスに関して、サブフレームセットＣＣＳＩ，０及びＣＣＳＩ，１がより高いレイヤによって設定されていない場合の２つのＣＳＩプロセスの任意の２つのＣＳＩ−ＲＳリソースに対してプリコーダコードブックサブセット制約がある制約ＲＩセット、及び／又は
−  ＵＥにより高いレイヤのパラメータeMIMO-Typeが設定され、eMIMO-Typeが「クラスＢ」に設定され、２つのＣＳＩプロセスの少なくとも一方に関して、設定されたＣＳＩ−ＲＳリソースの数が２つ以上である場合並びに両ＣＳＩプロセスに関して、サブフレームセットＣＣＳＩ，０及びＣＣＳＩ，１がより高いレイヤによって設定された場合の２つのＣＳＩプロセスの各サブフレームセット及び任意の２つのＣＳＩ−ＲＳリソースに対してプリコーダコードブックサブセット制約がある制約ＲＩセット、及び／又は
−  ＵＥにより高いレイヤのパラメータeMIMO-Typeが設定され、eMIMO-Typeが「クラスＢ」に設定され、２つのＣＳＩプロセスの少なくとも一方に関して、設定されたＣＳＩ−ＲＳリソースの数が２つ以上である場合並びにＣＳＩプロセスのうちの１つだけに関して、サブフレームセットＣＣＳＩ，０及びＣＣＳＩ，１がより高いレイヤによって設定された場合の２つのＣＳＩプロセスの任意の２つのＣＳＩ−ＲＳリソースに対してプリコーダコードブックサブセット制約がある制約ＲＩセットであって、２つのサブフレームセットに関して同じである、制約ＲＩセット。
非ＢＬ／ＣＥ  ＵＥの場合、非周期的なレポートモード上のサービングセルのＲＩレポートは、ＣＱＩ／ＰＭＩレポート又は当該非周期的なレポートモード上の当該サービングセルに対してＰＭＩレポートなしのＣＱＩレポートに対してのみ有効である。
送信モード９又は１０に設定されたＵＥの場合であって、ＣＳＩプロセスの場合、より高いレイヤによって設定されるパラメータeMIMO-TypeがＵＥに設定され、eMIMO-Typeが「クラスＢ」に設定され、設定されたＣＳＩ−ＲＳリソースの数が２つ以上であり、設定されたすべてのＣＳＩ−ＲＳリソースにわたるアンテナポートの総数が１６個以上である場合、ＵＥは、アップリンクサブフレームｎにおいてＣＳＩレポートを開始する非周期的なＣＳＩレポートリクエストの受信に際して、ＣＳＩプロセスのＣＲＩがサブフレームｎ−５以降に報告及び更新済みである場合、ＣＳＩプロセスに対応するＣＲＩの更新が期待されない。
・  広帯域フィードバック
○  モード１−２の説明：
○  送信モード９又は１０に設定されたＵＥの場合であって、ＣＳＩプロセスの場合、高いレイヤのパラメータeMIMO-TypeがＵＥに設定され、eMIMO-Typeが「クラスＢ」に設定され、設定されたＣＳＩ−ＲＳリソースの数が２つ以上である場合、ＵＥは、セットＳサブバンド上の送信を仮定して計算された１つの広帯域ＣＲＩを報告するものとする。
○  各サブバンドに関して、当該サブバンドだけでの送信を仮定したコードブックサブセットから、好ましいプリコーディングマトリクスが選択される。
○  ＵＥは、各サブバンドにおいて対応する選択プリコーディングマトリクスの使用及びセットＳサブバンド上の送信を仮定して計算されたコードワード当たり、１つの広帯域ＣＱＩ値を報告するものとする。ＵＥは、以下の場合を除いて、各セットＳサブバンドの選択されたプリコーディングマトリクスインジケータを報告するものとする。
■  ８個のＣＳＩ−ＲＳポートが送信モード９及び１０に対して設定された場合又はalternativeCodeBookEnabledFor4TX-r12=TRUEが送信モード８、９、及び１０に対して設定された場合。この場合は、より高いレイヤのパラメータeMIMO-TypeがＵＥに設定されていないか、ＵＥがＣＲＩを報告するか、ＵＥが送信モード９又は１０に設定され、より高いレイヤのパラメータeMIMO-Typeが設定され、eMIMO-Typeが「クラスＢ」に設定されるとともに、１つのＣＳＩ−ＲＳリソースが設定され、より高いレイヤのパラメータalternativeCodebookEnabledCLASSB_K1=TRUEが設定された場合を除いて、セットＳサブバンドに対して第１のプリコーディングマトリクスインジケータｉ１が報告されるとともに、各セットＳサブバンドに対して第２のプリコーディングマトリクスインジケータｉ２が報告される。
■  ＵＥが送信モード９又は１０に設定され、より高いレイヤのパラメータeMIMO-Typeが設定され、eMIMO-Typeが「クラスＡ」に設定された場合。この場合は、セットＳサブバンドに対して第１のプリコーディングマトリクスインジケータｉ１が報告されるとともに、各セットＳサブバンドに対して第２のプリコーディングマトリクスインジケータｉ２が報告される。
○  サブバンドサイズは、表７．２．１−３により与えられる。
○  送信モード４、８、９、及び１０の場合、報告されるＰＭＩ及びＣＱＩ値は、報告ＲＩ上で調節されて計算される。他の送信モードの場合は、ランク１上で調節されて報告される。ＣＲＩが報告された場合、報告されるＰＭＩ、ＣＱＩ、及びＲＩ値は、報告ＣＲＩ上で調節されて計算される。
○  モード１−１の説明：
■  セットＳサブバンド上の送信を仮定したコードブックサブセットから、単一のプリコーディングマトリクスが選択される。
■  ＵＥは、すべてのサブバンドにおける単一のプリコーディングマトリクスの使用及びセットＳサブバンド上の送信を仮定して計算されたコードワード当たりの広帯域ＣＱＩ値を報告するものとする。
■  ＵＥは、８個のＣＳＩ−ＲＳポートが送信モード９及び１０に対して設定された場合又はalternativeCodeBookEnabledFor4TX-r12=TRUEが送信モード８、９、及び１０に対して設定された場合に、選択された単一のプリコーディングマトリクスに対応して第１及び第２のプリコーディングマトリクスインジケータが報告される場合を除いて、選択された単一のプリコーディングマトリクスインジケータを報告するものとする。
■  送信モード４、８、９、及び１０の場合、報告されるＰＭＩ及びＣＱＩ値は、報告ＲＩ上で調節されて計算される。他の送信モードの場合は、ランク１上で調節されて報告される。
○  モード１−０の説明：
■  ＵＥは、セットＳサブバンド上の送信を仮定して計算された広帯域ＣＱＩ値を報告するものとする。
■  広帯域ＣＱＩは、ＲＩ＞１の場合であっても、第１のコードワードのチャネル品質を表す。
■  送信モード３の場合、報告されるＣＱＩ値は、報告ＲＩ上で調節されて計算される。他の送信モードの場合は、ランク１上で調節されて報告される。
＜・・・＞
・  ＵＥ選択サブバンドフィードバック
＜・・・＞
○  モード２−２の説明：
■  送信モード９又は１０に設定されたＵＥの場合であって、ＣＳＩプロセスの場合、より高いレイヤのパラメータeMIMO-TypeがＵＥに設定され、eMIMO-Typeが「クラスＢ」に設定され、設定されたＣＳＩ−ＲＳリソースの数が２つ以上である場合、ＵＥは、セットＳサブバンド上の送信を仮定して計算された１つの広帯域ＣＲＩを報告するものとする。
■  ＵＥは、サブバンドセットＳ内のサイズｋのＭ個の好ましいサブバンドセット及びＭ個の選択されたサブバンドを介した送信での使用に好ましいコードブックサブセットから選択された単一の好ましいプリコーディングマトリクスの共同選択を実行するものとする。
■  ＵＥは、選択されたＭ個の好ましいサブバンドのみを介した送信を反映するとともに、Ｍ個のサブバンドそれぞれにおいて、同じ単一の選択プリコーディングマトリクスを使用することにより、コードワード当たり、１つのＣＱＩ値を報告するものとする。
■  セットＳサブバンド上の送信を仮定したコードブックサブセットから、単一のプリコーディングマトリクスが選択される。
■  ＵＥは、すべてのサブバンドにおける単一のプリコーディングマトリクスの使用及びセットＳサブバンド上の送信を仮定して計算されたコードワード当たりの広帯域ＣＱＩ値を報告するものとする。
■  ＵＥは、以下の場合を除いて、Ｍ個の選択されたサブバンドに好ましい単一の選択プリコーディングマトリクスインジケータ及びすべてのセットＳサブバンドの単一の選択プリコーディングマトリクスインジケータを報告するものとする。
・  ８個のＣＳＩ−ＲＳポートが送信モード９及び１０に対して設定された場合又はalternativeCodeBookEnabledFor4TX-r12=TRUEが送信モード８、９、及び１０に対して設定された場合。この場合は、より高いレイヤのパラメータeMIMO-TypeがＵＥに設定されていないか、ＵＥがＣＲＩを報告するか、ＵＥが送信モード９又は１０に設定され、より高いレイヤのパラメータeMIMO-Typeが設定され、eMIMO-Typeが「クラスＢ」に設定されるとともに、１つのＣＳＩ−ＲＳリソースが設定され、より高いレイヤのパラメータalternativeCodebookEnabledCLASSB_K1=TRUEが設定された場合を除いて、ＵＥは、すべてのセットＳサブバンドに対して第１のプリコーディングマトリクスインジケータを報告し、すべてのセットＳサブバンドに対して第２のプリコーディングマトリクスインジケータを報告し、Ｍ個の選択されたサブバンドに対して別の第２のプリコーディングマトリクスインジケータを報告するものとする。
・  ＵＥが送信モード９又は１０に設定され、より高いレイヤのパラメータeMIMO-Typeが設定され、eMIMO-Typeが「クラスＡ」に設定された場合。この場合、ＵＥは、すべてのセットＳサブバンドに対して第１のプリコーディングマトリクスインジケータｉ１を報告し、すべてのセットＳサブバンドに対して第２のプリコーディングマトリクスインジケータｉ２を報告し、Ｍ個の選択されたサブバンドに対して別の第２のプリコーディングマトリクスインジケータｉ２を報告するものとする。
■  送信モード４、８、９、及び１０の場合、報告されるＰＭＩ及びＣＱＩ値は、報告ＲＩ上で調節されて計算される。他の送信モードの場合は、ランク１上で調節されて報告される。ＣＲＩが報告された場合、報告されるＰＭＩ、ＣＱＩ、及びＲＩ値は、報告ＣＲＩ上で調節されて計算される。
○  すべてのＵＥ選択サブバンドフィードバックモードに関して、ＵＥは、以下のように規定された組み合わせ指標ｒを用いることにより、Ｍ個の選択されたサブバンドの位置を報告するものとする。
■  
（外３９）
2018026819.tif 000043
■  
ここで、セット
（外４０）
2018026819.tif 000044
はＭ個のソートされたサブバンド指標を含み、
（外４１）
2018026819.tif 000045
は拡張された二項係数であって、一意のラベル
（外４２）
2018026819.tif 000046
となる。
○  各コードワードに対するＭ個の選択されたサブバンドのＣＱＩ値は、以下により規定された各広帯域ＣＱＩに対して、２ビットを用いて異なる符号化がなされる。
■  微分ＣＱＩオフセットレベル＝Ｍ個の選択されたサブバンドのＣＱＩ指標−広帯域ＣＱＩ指標
■  ２ビット微分ＣＱＩ値のオフセットレベルへのマッピングは、図１７（３ＧＰＰ  ＴＲ  ３６．２１１  Ｖ１３．１．０の表７．２．１−４の再現）に示されている。
＜・・・＞
７．２．２  ＰＵＣＣＨを用いた周期的なＣＳＩレポート
ＵＥは、より高いレイヤによって半静的に設定され、図１９（３ＧＰＰ  ＴＲ  ３６．２１１  Ｖ１３．１．０の表７．２．２−１の再現）に与えられるとともに以下に記載されるレポートモードを用いて、ＰＵＣＣＨ上で様々なＣＳＩコンポーネント（ＣＱＩ、ＰＭＩ、ＰＴＩ、ＣＲＩ、及び／又はＲＩ）を周期的にフィードバックする。送信モード１０のＵＥには、より高いレイヤによって、ＰＵＣＣＨ上のサービングセル当たりの１つ又は複数のＣＳＩプロセスに対応する複数の周期的なＣＳＩレポートを設定可能である。
ＣＥＭｏｄｅＢが設定されたＢＬ／ＣＥ  ＵＥは、周期的なＣＳＩレポートの設定が期待されない。
非ＢＬ／ＣＥ  ＵＥの場合は、第７．１項に規定の送信モードそれぞれについて、以下の周期的なＣＳＩのレポートモードがＰＵＣＣＨ上でサポートされる。
送信モード１：モード１−０、２−０
送信モード２：モード１−０、２−０
送信モード３：モード１−０、２−０
送信モード４：モード１−１、２−１
送信モード５：モード１−１、２−１
送信モード６：モード１−１、２−１
送信モード７：モード１−０、２−０
送信モード８：ＵＥがＰＭＩ／ＲＩレポートありに設定された場合はモード１−１、２−１、ＵＥがＰＭＩ／ＲＩレポートなしに設定された場合はモード１−０、２−０
送信モード９：ＵＥがＰＭＩ／ＲＩレポートありに設定され、ＣＳＩ−ＲＳポート数＞１の場合はモード１−１、２−１、ＵＥがＰＭＩ／ＲＩレポートなし又はＰＭＩレポートなしに設定されるか、ＣＳＩ−ＲＳポート数＝１であるか、ＣＳＩレポートタイプが「クラスＢ」に設定された場合のＣＳＩプロセスの１つ又は複数のＣＳＩ−ＲＳリソースそれぞれにおけるＣＳＩ−ＲＳポート数が１である場合はモード１−０、２−０
送信モード１０：ＵＥがＰＭＩ／ＲＩレポートありに設定され、ＣＳＩ−ＲＳポート数＞１の場合はモード１−１、２−１、ＵＥがＰＭＩ／ＲＩレポートなし又はＰＭＩレポートなしに設定されるか、ＣＳＩ−ＲＳポート数＝１であるか、ＣＳＩレポートタイプが「クラスＢ」に設定された場合のＣＳＩプロセスの１つ又は複数のＣＳＩ−ＲＳリソースそれぞれにおけるＣＳＩ−ＲＳポート数が１である場合はモード１−０、２−０
＜・・・＞
送信モード１〜９に設定されたＵＥの場合は、より高いレイヤのシグナリングによって、各サービングセルの１つの周期的なＣＳＩのレポートモードが設定される。
送信モード１０に設定されたＵＥの場合は、より高いレイヤのシグナリングによって、各サービングセルの１つ又は複数の周期的なＣＳＩのレポートモードが設定される。
送信モード９のＵＥ及びより高いレイヤのパラメータeMIMO-Typeが設定されたＵＥの場合、本項における用語「ＣＳＩプロセス」は、当該ＵＥに関して設定されたＣＳＩを表す。
送信モード９又は１０が設定され、８個のＣＳＩ−ＲＳポートを伴うＵＥの場合、より高いレイヤによってパラメータeMIMO-TypeがＵＥに設定されていない場合又はより高いレイヤによってパラメータeMIMO-TypeがＵＥに設定され、eMIMO-Typeが「クラスＢ」に設定されるとともに、１つのＣＳＩ−ＲＳリソースが設定され、より高いレイヤのパラメータalternativeCodebookEnabledCLASSB_K1=TRUEが設定された場合を除くか、又は、より高いレイヤによってＵＥにパラメータeMIMO-Typeが設定され、eMIMO-Typeが「クラスＢ」に設定されるとともに、２つ以上のＣＳＩ−ＲＳリソースが設定され、８個のＣＳＩ−ＲＳポートを伴う少なくとも１つのＣＳＩ−ＲＳリソースが設定されている場合は、パラメータPUCCH_format1-1_CSI_reporting_modeを用いることにより、より高いレイヤのシグナリングによって、モード１−１がサブモード１又はサブモード２となるように設定される。
送信モード８、９、又は１０が設定され、alternativeCodeBookEnabledFor4TX-r12=TRUEが設定されたＵＥの場合、より高いレイヤによってパラメータeMIMO-TypeがＵＥに設定されていない場合又はより高いレイヤによってパラメータeMIMO-TypeがＵＥに設定され、eMIMO-Typeが「クラスＢ」に設定されるとともに、１つのＣＳＩ−ＲＳリソースが設定され、より高いレイヤのパラメータalternativeCodebookEnabledCLASSB_K1=TRUEが設定された場合を除くか、又は、より高いレイヤによってパラメータeMIMO-TypeがＵＥに設定され、eMIMO-Typeが「クラスＢ」に設定されるとともに、２つ以上のＣＳＩ−ＲＳリソースが設定され、４個のＣＳＩ−ＲＳポートを伴う少なくとも１つのＣＳＩ−ＲＳリソースが設定されている場合は、パラメータPUCCH_format1-1_CSI_reporting_modeを用いることにより、より高いレイヤのシグナリングによって、モード１−１がサブモード１又はサブモード２となるように設定される。
ＵＥ選択サブバンドＣＱＩの場合、特定のサービングセルの特定のサブフレームにおけるＣＱＩレポートは、後で１つ又は複数の帯域幅部分（ＢＴ）として記述される当該サービングセルの帯域幅の１つ又は複数の特定部分におけるチャネル品質を記述する。帯域幅部分は、最低周波数を始点として、周波数の昇順で且つサイズの非昇順で指標付けされるものとする。
各サービングセルについて、
−  
（外４３）
2018026819.tif 000047
により与えられるサービングセルのシステム帯域幅に対して、合計Ｎ個のサブバンドが存在し、
（外４４）
2018026819.tif 000048
サブバンドはサイズｋである。
（外４５）
2018026819.tif 000049
の場合は、サブバンドのうちの１つのサイズが
（外４６）
2018026819.tif 000050
である。
−  帯域幅部分ｊは、周波数が連続しており、Ｎｊ個のサブバンドから成るが、Ｊ個の帯域幅部分は、図２５（３ＧＰＰ  ＴＲ  ３６．２１１  Ｖ１３．１．０の表７．２．２−２の再現）に与えられるように、Ｓ又は
（外４７）
2018026819.tif 000051
に及ぶ。Ｊ＝１の場合は、Ｎｊが
（外４８）
2018026819.tif 000052
である。Ｊ＞１の場合は、
（外４９）
2018026819.tif 000053
、ｋ、及びＪに応じて、Ｎｊが
（外５０）
2018026819.tif 000054
又は
（外５１）
2018026819.tif 000055
である。
−  ０≦ｊ≦Ｊ−１の各帯域幅部分ｊは周波数の昇順で順次スキャンされる。
−  ＵＥ選択サブバンドフィードバックの場合は、周波数の昇順で指標付けされた対応するＬビットラベルと併せて、帯域幅部分のＮｊ個のサブバンドのうちの単一のサブバンドが選択されるが、
（外５２）
2018026819.tif 000056
である。
各ＰＵＣＣＨ  ＣＳＩレポートモードのＣＱＩ及びＰＭＩのペイロードサイズは、図２６（３ＧＰＰ  ＴＲ  ３６．２１１  Ｖ１３．１．０の表７．２．２−３の再現）において与えられる。
周期及びオフセットが異なる以下のＣＱＩ／ＰＭＩ及びＲＩレポートタイプは、図２６（３ＧＰＰ  ＴＲ  ３６．２１１  Ｖ１３．１．０の表７．２．２−３の再現）において与えられるＰＵＣＣＨ  ＣＳＩレポートモードに関してサポートされる。
タイプ１レポートは、ＵＥ選択サブバンドに関して、ＣＱＩフィードバックをサポートする。
タイプ１ａレポートは、サブバンドＣＱＩ及び第２のＰＭＩフィードバックをサポートする。
タイプ２、タイプ２ｂ、及びタイプ２ｃレポートは、広帯域ＣＱＩ及びＰＭＩフィードバックをサポートする。
タイプ２ａレポートは、広帯域ＰＭＩフィードバックをサポートする。
タイプ３レポートは、ＲＩフィードバックをサポートする。
タイプ４レポートは、広帯域ＣＱＩをサポートする。
タイプ５レポートは、ＲＩ及び広帯域ＰＭＩフィードバックをサポートする。
タイプ６レポートは、ＲＩ及びＰＴＩフィードバックをサポートする。
タイプ７レポートは、ＣＲＩ及びＲＩフィードバックをサポートする。
タイプ８レポートは、ＣＲＩ、ＲＩ、及び広帯域ＰＭＩフィードバックをサポートする。
タイプ９レポートは、ＣＲＩ、ＲＩ、及びＰＴＩフィードバックをサポートする。
タイプ１０レポートは、ＣＲＩフィードバックをサポートする。
ＵＥが送信モード１〜９に設定された場合であって、各サービングセルに関して或いはＵＥが送信モード１０に設定された場合であって、各サービングセルの各ＣＳＩプロセスに関して、ＣＱＩ／ＰＭＩレポートの（サブフレーム中の）周期性Ｎｐｄ及び（サブフレーム中の）オフセットＮＯＦＦＳＥＴ，ＣＱＩは、主セルフレーム構造１のＦＤＤ又はＦＤＤ−ＴＤＤに関する図２０（３ＧＰＰ  ＴＲ  ３６．２１１  Ｖ１３．１．０の表７．２．２−１Ａの再現）に与えられ、主セルフレーム構造２のＴＤＤ又はＦＤＤ−ＴＤＤに関する図２２（３ＧＰＰ  ＴＲ  ３６．２１１  Ｖ１３．１．０の表７．２．２−１Ｃの再現）に与えられるパラメータcqi-pmi-ConfigIndex（ＩＣＱＩ／ＰＭＩ）に基づいて決定される。ＲＩレポートの周期性ＭＲＩ及び相対オフセットＮＯＦＦＳＥＴ，ＲＩは、図２１（３ＧＰＰ  ＴＲ  ３６．２１１  Ｖ１３．１．０の表７．２．２−１Ｂの再現）に与えられるパラメータri-ConfigIndex（ＩＲＩ）に基づいて決定される。ＵＥが送信モード９に設定された場合であって、各サービングセルに関して或いはＵＥが送信モード１０に設定された場合であて、各サービングセルの各ＣＳＩプロセスに関して、より高いレイヤによってパラメータeMIMO-TypeがＵＥに設定され、eMIMO-Typeが「クラスＢ」に設定され、設定されたＣＳＩ−ＲＳリソースの数が２つ以上である場合は、ＲＩレポートが設定された場合、ＣＲＩレポートの周期性ＭＣＲＩは、図２３（３ＧＰＰ  ＴＲ  ３６．２１１  Ｖ１３．１．０の表７．２．２−１Ｄの再現）に与えられるパラメータcri-ConfigIndex（ＩＣＲＩ）に基づいて決定される。設定された各ＣＳＩ−ＲＳリソースにおけるアンテナポートの数が１つである場合、ＣＲＩレポートの周期性ＭＣＲＩ及び相対オフセットＮＯＦＦＳＥＴ，ＣＲＩは、図２４（３ＧＰＰ  ＴＲ  ３６．２１１  Ｖ１３．１．０の表７．２．２−１Ｅの再現）に与えられるパラメータcri-ConfigIndex（ＩＣＲＩ）に基づいて決定される。パラメータcqi-pmi-ConfigIndex、ri-ConfigIndex、及びcri-ConfigIndexは、より高いレイヤのシグナリングによって設定される。ＲＩの相対レポートオフセットＮＯＦＦＳＥＴ，ＲＩは、集合｛０，−１，・・・，−（Ｎｐｄ−１）｝からの値をとる。２つ以上のＣＳＩサブフレームセットに関して報告するようにＵＥが設定されている場合、パラメータcqi-pmi-ConfigIndex、ri-ConfigIndex、及びcri-ConfigIndexはそれぞれ、サブフレームセット１の場合のＣＱＩ／ＰＭＩ、ＲＩ、及びＣＲＩの周期性及び相対レポートオフセットに対応し、cqi-pmi-ConfigIndex2、ri-ConfigIndex2、及びcri-ConfigIndex2はそれぞれ、サブフレームセット２の場合のＣＱＩ／ＰＭＩ、ＲＩ、及びＣＲＩの周期性及び相対レポートオフセットに対応する。送信モード１０が設定されたＵＥの場合は、各ＣＳＩプロセスに対して、パラメータcqi-pmi-ConfigIndex、ri-ConfigIndex、cri-ConfigIndex、cqi-pmi-ConfigIndex2、ri-ConfigIndex2、及びcri-ConfigIndex2を設定可能である。ＢＬ／ＣＥ  ＵＥは、パラメータri-ConfigIndexの設定が期待されない。
広帯域ＣＱＩ／ＰＭＩレポートが設定された場合、
−  広帯域ＣＱＩ／ＰＭＩのレポートインスタンスは、
（外５３）
2018026819.tif 000057
を満たすサブフレームである。
−  送信モード９又は１０に設定されたＵＥで、より高いレイヤによってパラメータeMIMO-Typeが設定され、eMIMO-Typeが「クラスＡ」に設定されたＵＥの場合、広帯域第１ＰＭＩレポートのレポート間隔は、（サブフレーム中の）周期Ｎｐｄの整数倍Ｈ’である。
−  広帯域第１ＰＭＩのレポートインスタンスは、
（外５４）
2018026819.tif 000058
を満たすサブフレームである。
−  ＲＩレポートが設定された場合、ＲＩレポートのレポート間隔は、（サブフレーム中の）周期Ｎｐｄの整数倍ＭＲＩである。
−  ＲＩのレポートインスタンスは、
（外５５）
2018026819.tif 000059
を満たすサブフレームである。
−  ＣＲＩレポートが設定された場合、
−  設定された各ＣＳＩ−ＲＳリソースにおけるアンテナポートの数が１つの場合は、
−  ＣＲＩレポートのレポート間隔が（サブフレーム中の）周期Ｎｐｄの整数倍ＭＣＲＩである。
−  ＣＲＩのレポートインスタンスは、
（外５６）
2018026819.tif 000060
を満たすサブフレームである。
−  それ以外の場合は、
−  ＣＲＩレポートのレポート間隔が（サブフレーム中の）周期Ｎｐｄ・ＭＲＩの整数倍ＭＣＲＩである。
−  ＣＲＩのレポートインスタンスは、
（外５７）
2018026819.tif 000061
を満たすサブフレームである。
広帯域ＣＱＩ／ＰＭＩ及びサブバンドＣＱＩ（又は、送信モード９及び１０の場合のサブバンドＣＱＩ／第２ＰＭＩ）の両レポートが設定された場合、
−  広帯域ＣＱＩ／ＰＭＩ及びサブバンドＣＱＩ（又は、送信モード９及び１０の場合のサブバンドＣＱＩ／第２ＰＭＩ）のレポートインスタンスは、
（外５８）
2018026819.tif 000062
を満たすサブフレームである。
−  ＰＴＩが（未設定のために）送信されていないか、送信モード８及び９に設定されたＵＥの場合又はＣＳＩプロセスに関して「ＲＩ基準ＣＳＩプロセス」なく送信モード１０に設定されたＵＥの場合、最も新しく送信されたＰＴＩが１に等しいか、ＣＳＩプロセスに関して「ＲＩ基準ＣＳＩプロセス」ありでＵＥが送信モード１０に設定された場合、送信されたＰＴＩが、ＣＳＩプロセスに関して最も新しいＲＩレポートインスタンスで報告された１に等しいか、ＣＳＩプロセスに関して「ＲＩ基準ＣＳＩプロセス」ありでＵＥが送信モード１０に設定された場合、ＣＳＩプロセスに関して最も新しいＲＩレポートインスタンスで報告された「ＲＩ基準ＣＳＩプロセス」に対して、送信されたＰＴＩが１に等しく、ＣＳＩプロセスの最も新しいタイプ６レポートが省略された場合、
−  広帯域ＣＱＩ／広帯域ＰＭＩ（又は、送信モード８、９、及び１０の場合の広帯域ＣＱＩ／広帯域第２ＰＭＩ）レポートは、周期Ｈ・Ｎｐｄを有し、
（外５９）
2018026819.tif 000063
を満たすサブフレーム上で報告される。整数Ｈは、Ｈ＝Ｊ・Ｋ＋１と定義されるが、Ｊは帯域幅部分の数である。
−  あらゆる２つの連続する広帯域ＣＱＩ／広帯域ＰＭＩ（又は、送信モード８、９、及び１０の場合の広帯域ＣＱＩ／広帯域第２ＰＭＩ）レポート間において、その他のＪ・Ｋ個のレポートインスタンスは、帯域幅部分のＫ回の全周期上でサブバンドＣＱＩ（又は、送信モード９及び１０の場合のサブバンドＣＱＩ／第２ＰＭＩ）レポートに順次使用される。ただし、システムフレーム番号の０への遷移のため、２つの連続する広帯域ＣＱＩ／ＰＭＩレポート間のギャップに含むレポートインスタンスがＪ・Ｋ個未満の場合を除く。この場合、ＵＥは、２つの広帯域ＣＱＩ／広帯域ＰＭＩ（又は、送信モード８、９、及び１０の場合の広帯域ＣＱＩ／広帯域第２ＰＭＩ）レポートの第２の前に送信されていないサブバンドＣＱＩ（又は、送信モード９及び１０の場合のサブバンドＣＱＩ／第２ＰＭＩ）レポートの残りを送信しないものとする。帯域幅部分の各全周期は、帯域幅部分０から帯域幅部分Ｊ−１まで、昇順であるものとする。パラメータＫは、より高いレイヤのシグナリングによって設定される。
−  送信モード８及び９に設定されたＵＥの場合又はＣＳＩプロセスに関して「ＲＩ基準ＣＳＩプロセス」なく送信モード１０に設定されたＵＥの場合、最も新しく送信されたＰＴＩが０であるか、ＣＳＩプロセスに関して「ＲＩ基準ＣＳＩプロセス」ありでＵＥが送信モード１０に設定された場合、送信されたＰＴＩが、ＣＳＩプロセスに関して最も新しいＲＩレポートインスタンスで報告された０であるか、ＣＳＩプロセスに関して「ＲＩ基準ＣＳＩプロセス」ありでＵＥが送信モード１０に設定された場合、ＣＳＩプロセスに関して最も新しいＲＩレポートインスタンスで報告された「ＲＩ基準ＣＳＩプロセス」に対して、送信されたＰＴＩが０であり、ＣＳＩプロセスの最も新しいタイプ６レポートが省略された場合、
−  広帯域第１プリコーディングマトリクスインジケータレポートは、周期Ｈ’・Ｎｐｄ’を有し、
（外６０）
2018026819.tif 000064
を満たすサブフレーム上で報告されるが、Ｈ’はより高いレイヤによってシグナリングされる。
−  あらゆる２つの連続する広帯域第１プリコーディングマトリクスインジケータレポート間において、その他のレポートインスタンスは、以下に記載される通り、広帯域ＣＱＩの広帯域第２プリコーディングマトリクスインジケータに使用される。
−  ＲＩレポートが設定された場合、ＲＩのレポート間隔は、ＭＲＩ×広帯域ＣＱＩ／ＰＭＩ周期Ｈ・Ｎｐｄ’であり、ＲＩは、広帯域ＣＱＩ／ＰＭＩ及びサブバンドＣＱＩレポートと同じＰＵＣＣＨ循環シフトリソース上で報告される。
−  ＲＩのレポートインスタンスは、
（外６１）
2018026819.tif 000065
を満たすサブフレームである。
−  ＣＲＩレポートが設定された場合、
−  設定された各ＣＳＩ−ＲＳリソースにおけるアンテナポートの数が１つである場合は、
−  ＣＲＩレポートのレポート間隔がＭＣＲＩ×広帯域ＣＱＩ／ＰＭＩ周期Ｈ・Ｎｐｄである。
−  ＣＲＩのレポートインスタンスは、
（外６２）
2018026819.tif 000066
を満たすサブフレームである。
−  それ以外の場合は、
−  ＣＲＩレポートのレポート間隔が（サブフレーム中の）ＭＣＲＩ×ＲＩ周期Ｈ・Ｎｐｄ・ＭＲＩである。
−  ＣＲＩのレポートインスタンスは、
（外６３）
2018026819.tif 000067
を満たすサブフレームである。
＜・・・＞
ＴＤＤ又はＦＤＤ−ＴＤＤ及び主セルフレーム構造タイプ２の周期的ＣＱＩ／ＰＭＩレポートの場合は、主セル［３］のＴＤＤ  ＵＬ／ＤＬ設定に応じて、以下の周期性値がサービングセルｃに当てはまるが、ＵＬ／ＤＬ設定は、主セルに関してＵＥにパラメータEIMTA-MainConfigServCell-r12が設定されている場合、主セルに関してeimta-HARQ-ReferenceConfig-r12に対応する。
−  主セルのＴＤＤ  ＵＬ／ＤＬ設定が｛０，１，３，４，６｝に属する場合のみ、Ｎｐｄ＝１のレポート周期がサービングセルｃに当てはまり得るが、ＣＱＩ／ＰＭＩレポートには、無線フレームにおける主セルのすべてのＵＬサブフレームが用いられる。
−  主セルのＴＤＤ  ＵＬ／ＤＬ設定が｛０，１，２，６｝に属する場合のみ、Ｎｐｄ＝５のレポート周期がサービングセルｃに当てはまり得る。
−  主セルの如何なるＴＤＤ  ＵＬ／ＤＬ設定に対しても、Ｎｐｄ＝｛１０，２０，４０，８０，１６０｝のレポート周期がサービングセルｃに当てはまり得る。
＜・・・＞
周期的レポートモードにおいてサービングセルに関して報告されるＣＲＩ又はＲＩ又はＰＴＩ又は任意のプリコーディングマトリクスインジケータは、当該周期的なＣＳＩレポートモード上の当該サービングセルのＣＳＩレポートに対してのみ有効である。
サービングセルｃに関して、ＣＳＩプロセスに対して送信モード１０であって。ＰＭＩ／ＲＩレポートあり又はＰＭＩレポートなしに設定されたＵＥには、「ＲＩ基準ＣＳＩプロセス」が設定可能である。「ＲＩ基準ＣＳＩプロセス」のＲＩは、「ＲＩ基準ＣＳＩプロセス」以外のその他如何なる設定ＣＳＩプロセスにも基づかない。ＣＳＩプロセスに関してＵＥに「ＲＩ基準ＣＳＩプロセス」が設定され、ＣＳＩプロセスのうちの１つだけに関して、サブフレームセットＣＣＳＩ，０及びＣＣＳＩ，１がより高いレイヤによって設定されている場合、ＵＥは、２つのサブフレームセット間にプリコーダコードブックサブセット制約がある別の制約ＲＩセットを有するサブフレームサブセットが設定されたＣＳＩプロセスの設定の受信が期待されない。ＵＥは、以下が異なるＣＳＩプロセス及び「ＲＩ基準ＣＳＩプロセス」の設定の受信が期待されない。
−  周期的なＣＳＩレポートモード（サブモードが設定された場合はこれを含む）、及び／又は
−  ＣＳＩ−ＲＳアンテナポートの数、及び／又は
−  両ＣＳＩプロセスに関して、サブフレームセットＣＣＳＩ，０及びＣＣＳＩ，１がより高いレイヤによって設定されていない場合のプリコーダコードブックサブセット制約がある制約ＲＩセット、及び／又は
−  両ＣＳＩプロセスに関して、サブフレームセットＣＣＳＩ，０及びＣＣＳＩ，１がより高いレイヤによって設定された場合の各サブフレームセットのプリコーダコードブックサブセット制約がある制約ＲＩセット、及び／又は
−  ＣＳＩプロセスのうちの１つだけに関して、サブフレームセットＣＣＳＩ，０及びＣＣＳＩ，１がより高いレイヤによって設定された場合のプリコーダコードブックサブセット制約がある制約ＲＩセットであって、２つのサブフレームセットに関して同じである、制約ＲＩセット、及び／又は
−  より高いレイヤのパラメータeMIMO-Typeが設定され、eMIMO-Typeが「クラスＢ」に設定され、２つのＣＳＩプロセスの少なくとも一方に関して、設定されたＣＳＩ−ＲＳリソースの数が２つ以上である場合の２つのＣＳＩプロセスの任意の２つのＣＳＩ−ＲＳリソースに対するＣＳＩ−ＲＳアンテナポートの数、及び／又は
−  より高いレイヤのパラメータeMIMO-TypeがＵＥに設定され、eMIMO-Typeが「クラスＢ」に設定され、２つのＣＳＩプロセスの少なくとも一方に関して、設定されたＣＳＩ−ＲＳリソースの数が２つ以上である場合並びに両ＣＳＩプロセスに関して、サブフレームセットＣＣＳＩ，０及びＣＣＳＩ，１がより高いレイヤによって設定されていない場合の２つのＣＳＩプロセスの任意の２つのＣＳＩ−ＲＳリソースに対してプリコーダコードブックサブセット制約がある制約ＲＩセット、及び／又は
−  より高いレイヤのパラメータeMIMO-TypeがＵＥに設定され、eMIMO-Typeが「クラスＢ」に設定され、２つのＣＳＩプロセスの少なくとも一方に関して、設定されたＣＳＩ−ＲＳリソースの数が２つ以上である場合並びに両ＣＳＩプロセスに関して、サブフレームセットＣＣＳＩ，０及びＣＣＳＩ，１がより高いレイヤによって設定された場合の２つのＣＳＩプロセスの各サブフレームセット及び任意の２つのＣＳＩ−ＲＳリソースに対してプリコーダコードブックサブセット制約がある制約ＲＩセット、及び／又は
−  より高いレイヤのパラメータeMIMO-TypeがＵＥに設定され、eMIMO-Typeが「クラスＢ」に設定され、２つのＣＳＩプロセスの少なくとも一方に関して、設定されたＣＳＩ−ＲＳリソースの数が２つ以上である場合並びにＣＳＩプロセスのうちの１つだけに関して、サブフレームセットＣＣＳＩ，０及びＣＣＳＩ，１がより高いレイヤによって設定された場合の２つのＣＳＩプロセスの任意の２つのＣＳＩ−ＲＳリソースに対してプリコーダコードブックサブセット制約がある制約ＲＩセットであって、２つのサブフレームセットに関して同じである、制約ＲＩセット。
ＣＲＩレポートに対してＵＥが設定された場合、
−  最後に報告されたＣＲＩに関して調節されたＣＱＩ／ＰＭＩ／ＲＩの計算の場合、最後に報告されたＣＲＩがなければ、ＵＥは、最も可能性が低いＣＲＩに関して調節されたＣＱＩ／ＰＭＩ／ＲＩ計算を実行するものとする。２つ以上のＣＳＩサブフレームセットに関してレポートが設定された場合、ＣＱＩ／ＰＭＩ／ＲＩは、ＣＳＩレポートと同じサブフレームセットにリンクされた最終報告ＣＲＩに関して調節される。
−  最後に報告されたＲＩ及びＣＲＩに関して調節されたＣＱＩ／ＰＭＩの計算の場合、最後に報告されたＲＩ及びＣＲＩがなければ、ＵＥは、最も可能性が低いＣＲＩと関連付けられ、ビットマップパラメータcodebookSubsetRestriction及びパラメータalternativeCodeBookEnabledFor4TX-r12が設定された場合はこれらにより与えられる最も可能性が低いＲＩに関して調節されたＣＱＩ／ＰＭＩ計算を実行するものとする。２つ以上のＣＳＩサブフレームセットに関してレポートが設定された場合、ＣＱＩ／ＰＭＩは、最後に報告されたＣＲＩと関連付けられ、ＣＳＩレポートと同じサブフレームセットにリンクされた最終報告ＲＩに関して調節される。
それ以外の場合は、
−  最後に報告されたＲＩに関して調節されたＣＱＩ／ＰＭＩの計算の場合、最後に報告されたＲＩがなければ、ＵＥは、ビットマップパラメータcodebookSubsetRestriction及びパラメータalternativeCodeBookEnabledFor4TX-r12が設定された場合はこれらにより与えられる最も可能性が低いＲＩに関して調節されたＣＱＩ／ＰＭＩ計算を実行するものとする。２つ以上のＣＳＩサブフレームセットに関してレポートが設定された場合、ＣＱＩ／ＰＭＩは、ＣＳＩレポートと同じサブフレームセットにリンクされた最終報告ＲＩに関して調節される。
−  非ＢＬ／ＣＥ  ＵＥの場合、周期的なＣＳＩのレポートモードは、以下のように説明される。
＜・・・＞
○  モード２−１の説明：
■  送信モード４、alternativeCodeBookEnabledFor4TX-r12=TRUEが設定された場合を除く送信モード８、ＣＳＩ−ＲＳポートが２個の送信モード９及び１０、及びalternativeCodeBookEnabledFor4TX-r12=TRUEが設定された場合を除くＣＳＩ−ＲＳポートが４個の送信モード９及び１０、並びにより高いレイヤのパラメータeMIMO-Typeが設定され、eMIMO-Typeが「クラスＢ」に設定され、１つのＣＳＩ−ＲＳリソースが設定され、より高いレイヤのパラメータalternativeCodebookEnabledCLASSB_K1=TRUEである送信モード９及び１０に関してＲＩが報告されたサブフレームにおいて、
●  ＵＥにＣＲＩレポートが設定された場合、
○  ＣＳＩプロセスに関して「ＲＩ基準ＣＳＩプロセス」ありでＵＥが送信モード１０に設定された場合、ＣＳＩプロセスのＲＩは、サブフレームセットが設定された場合もこれらに関わらず、設定された「ＲＩ基準ＣＳＩプロセス」のＲＩを含む最も新しいＣＳＩレポートにおけるＲＩと同じであるものとする。これ以外の場合、ＵＥは、最後に報告された周期的なＣＲＩ上で調節されたセットＳサブバンド上の送信を仮定して、ＲＩを決定するものとする。
●  それ以外の場合は、
○  ＣＳＩプロセスに関して「ＲＩ基準ＣＳＩプロセス」ありでＵＥが送信モード１０に設定された場合、ＣＳＩプロセスのＲＩは、サブフレームセットが設定された場合もこれらに関わらず、設定された「ＲＩ基準ＣＳＩプロセス」のＲＩを含む最も新しいＣＳＩレポートにおけるＲＩと同じであるものとする。これ以外の場合、ＵＥは、セットＳサブバンド上の送信を仮定して、ＲＩを決定するものとする。
●  ＵＥは、１つのＲＩから成るタイプ３レポートを報告するものとする。
■  ８個のＣＳＩ−ＲＳポートが設定され、より高いレイヤのパラメータeMIMO-Typeが設定されていない送信モード９及び１０、又は選択されたＣＳＩ−ＲＳリソースにおいてalternativeCodeBookEnabledFor4TX-r12=TRUEであり、ＵＥにＣＲＩレポートが設定されたＣＳＲ−ＲＳポートが８個若しくは４個の送信モード９及び１０、又は８個のＣＳＩ−ＲＳポートが設定され、より高いレイヤのパラメータeMIMO-TypeがＵＥに設定され、eMIMO-Typeが「クラスＢ」に設定されるとともに、１つのＣＳＩ−ＲＳリソースが設定され、より高いレイヤのパラメータalternativeCodebookEnabledCLASSB_K1=TRUEが設定された場合を除いた送信モード９及び１０、又はより高いレイヤのパラメータeMIMO-Typeが設定され、eMIMO-Typeが「クラスＡ」に設定された送信モード９及び１０、又はＣＲＩレポートなしでalternativeCodeBookEnabledFor4TX-r12=TRUEが設定された送信モード８、９、及び１０に関してＲＩ及びＰＴＩが報告されたサブフレームにおいて、
●  ＵＥにＣＲＩレポートが設定された場合、
○  ＣＳＩプロセスに関して「ＲＩ基準ＣＳＩプロセス」ありでＵＥが送信モード１０に設定された場合、ＣＳＩプロセスのＲＩは、サブフレームセットが設定された場合もこれらに関わらず、設定された「ＲＩ基準ＣＳＩプロセス」のＲＩを含む最も新しいＣＳＩレポートにおけるＲＩと同じであるものとする。これ以外の場合、ＵＥは、最後に報告された周期的なＣＲＩ上で調節されたセットＳサブバンド上の送信を仮定して、ＲＩを決定するものとする。
○  ＣＳＩプロセスに関して「ＲＩ基準ＣＳＩプロセス」ありでＵＥが送信モード１０に設定された場合、ＣＳＩプロセスのＰＴＩは、設定された「ＲＩ基準ＣＳＩプロセス」の最も新しいタイプ６レポートにおけるＰＴＩと同じであるものとする。これ以外の場合、ＵＥは、最後に報告された周期的なＣＲＩ上で調節されたプリコーディングタイプインジケータ（ＰＴＩ）を決定するものとする。
●  それ以外の場合は、
○  ＣＳＩプロセスに関して「ＲＩ基準ＣＳＩプロセス」ありでＵＥが送信モード１０に設定された場合、ＣＳＩプロセスのＲＩは、サブフレームセットが設定された場合もこれらに関わらず、設定された「ＲＩ基準ＣＳＩプロセス」のＲＩを含む最も新しいＣＳＩレポートにおけるＲＩと同じであるものとする。これ以外の場合、ＵＥは、セットＳサブバンド上の送信を仮定して、ＲＩを決定するものとする。
○  ＣＳＩプロセスに関して「ＲＩ基準ＣＳＩプロセス」ありでＵＥが送信モード１０に設定された場合、ＣＳＩプロセスのＰＴＩは、設定された「ＲＩ基準ＣＳＩプロセス」の最も新しいタイプ６レポートにおけるＰＴＩと同じであるものとする。これ以外の場合、ＵＥは、プリコーディングタイプインジケータ（ＰＴＩ）を決定するものとする。
●  ＣＳＩプロセスのＰＴＩは、alternativeCodeBookEnabledFor4TX-r12=TRUEが設定された送信モード８、９、１０に関して、ＰＴＩと共同で報告されたＲＩが２より大きい場合、１に等しいものとする。
●  ＵＥは、１つのＲＩ及びＰＴＩから成るタイプ６レポートを報告するものとする。
■  より高いレイヤによってパラメータeMIMO-Typeが設定され、eMIMO-Typeが「クラスＢ」に設定され、設定されたＣＳＩ−ＲＳリソースの数が２つ以上である送信モード９及び１０に関してＲＩ及びＣＲＩが報告されたサブフレームにおいて、
●  ＵＥは、セットＳサブバンド上の送信を仮定してＣＲＩを決定するものとする。
●  ＣＳＩプロセスに関して「ＲＩ基準ＣＳＩプロセス」ありでＵＥが送信モード１０に設定された場合、ＣＳＩプロセスのＲＩは、サブフレームセットが設定された場合もこれらに関わらず、設定された「ＲＩ基準ＣＳＩプロセス」のＲＩを含む最も新しいＣＳＩレポートにおけるＲＩと同じであるものとする。これ以外の場合、ＵＥは、ＣＳＩプロセスに関して報告されたＣＲＩ上で調節されたセットＳサブバンド上の送信を仮定して、ＲＩを決定するものとする。
●  設定されたＣＳＩ−ＲＳリソースにおけるポートの最大数がそれぞれ、２である場合又はalternativeCodeBookEnabledFor4TX-r12=TRUEが設定された場合を除いて４である場合、
○  ＵＥは、１つのＲＩ及び１つのＣＲＩから成るタイプ７レポートを報告するものとする。
●  それ以外の場合は、
○  ＣＳＩプロセスに関して「ＲＩ基準ＣＳＩプロセス」ありでＵＥが送信モード１０に設定された場合、ＣＳＩプロセスのＰＴＩは、設定された「ＲＩ基準ＣＳＩプロセス」の最も新しいタイプ６レポートにおけるＰＴＩと同じであるものとする。これ以外の場合、ＵＥは、ＣＳＩプロセスに関して報告されたＣＲＩ上で調節されたプリコーディングタイプインジケータ（ＰＴＩ）を決定するものとする。
○  決定されたＣＲＩに対応して設定されたＣＳＩ−ＲＳリソースが２個のＣＳＩ−ＲＳポートを含む場合又はalternativeCodeBookEnabledFor4TX-r12=TRUEが設定された場合を除いて４個のＣＳＩ−ＲＳポートを含む場合、ＰＴＩはゼロに固定される。
○  ＣＳＩプロセスのＰＴＩは、alternativeCodeBookEnabledFor4TX-r12=TRUEが設定された送信モード９、１０に関して、ＰＴＩと共同で報告されたＲＩが２より大きい場合、１に等しいものとする。
○  ＵＥは、１つのＣＲＩ、ＲＩ、及びＰＴＩから成るタイプ９レポートを報告するものとする。
■  以下の場合を除いて、すべての送信モードに関して広帯域ＣＱＩ／ＰＭＩが報告されたサブフレームにおいて、
●  より高いレイヤのパラメータeMIMO-TypeがＵＥに設定され、eMIMO-Typeが「クラスＡ」に設定された場合、又は
●  ８個のＣＳＩ−ＲＳポートが送信モード９及び１０に対して設定された場合又はalternativeCodeBookEnabledFor4TX-r12=TRUEが送信モード８、９、及び１０に対して設定された場合であって、より高いレイヤのパラメータeMIMO-TypeがＵＥに設定されていないか、ＵＥにＣＲＩ報告が設定されたか、より高いレイヤのパラメータeMIMO-TypeがＵＥに設定され、eMIMO-Typeが「クラスＢ」に設定されるとともに、１つのＣＳＩ−ＲＳリソースが設定され、より高いレイヤのパラメータalternativeCodebookEnabledCLASSB_K1=TRUEが設定されていない場合、
○  セットＳサブバンド上の送信を仮定したコードブックサブセットから、単一のプリコーディングマトリクスが選択される。
○  ＵＥは、以下から成る各連続報告機会においてタイプ２レポートを報告するものとする。
■  すべてのサブバンドにおける単一のプリコーディングマトリクスの使用及びセットＳサブバンド上の送信を仮定して計算された広帯域ＣＱＩ値
■  選択された単一のＰＭＩ（広帯域ＰＭＩ）
■  ＲＩ＞１の場合、図１３（３ＧＰＰ  ＴＲ  ３６．２１１  Ｖ１３．１．０の表７．２−２の再現）に示された３ビット広帯域空間微分ＣＱＩ
●  ＵＥにＣＲＩレポートが設定された場合、
○  ＣＳＩプロセスに関して「ＲＩ基準ＣＳＩプロセス」ありでＵＥが送信モード１０に設定され、ＣＳＩプロセスの最も新しいタイプ３レポートが省略され、ＣＳＩプロセスの最も新しいＲＩレポートインスタンスにおいて「ＲＩ基準ＣＳＩプロセス」のタイプ３レポートが報告された場合、ＣＳＩプロセスのＰＭＩ及びＣＱＩ値は、ＣＳＩプロセスの最も新しいＲＩレポートインスタンスにおいて設定された「ＲＩ基準ＣＳＩプロセス」の報告された周期的なＲＩ及びＣＳＩプロセスの最後に報告された周期的なＣＲＩ上で調節されて計算される。これ以外の場合、ＰＭＩ及びＣＱＩ値は、最後に報告された周期的なＲＩ及び最後に報告された周期的なＣＲＩ上で調節されて計算される。
●  それ以外の場合は、
○  送信モード４、８、９、及び１０の場合、
■  ＣＳＩプロセスに関して「ＲＩ基準ＣＳＩプロセス」ありでＵＥが送信モード１０に設定され、ＣＳＩプロセスの最も新しいタイプ３レポートが省略され、ＣＳＩプロセスの最も新しいＲＩレポートインスタンスにおいて「ＲＩ基準ＣＳＩプロセス」のタイプ３レポートが報告された場合、ＣＳＩプロセスのＰＭＩ及びＣＱＩ値は、ＣＳＩプロセスの最も新しいＲＩレポートインスタンスにおいて設定された「ＲＩ基準ＣＳＩプロセス」の報告された周期的なＲＩ上で調節されて計算される。これ以外の場合、ＰＭＩ及びＣＱＩ値は、最後に報告された周期的なＲＩ上で調節されて計算される。
○  他の送信モードの場合、ＰＭＩ及びＣＱＩ値は、送信ランク１上で調節されて計算される。
■  ８個のＣＳＩ−ＲＳポートが設定され、より高いレイヤのパラメータeMIMO-Typeが設定されていない送信モード９及び１０、又は選択されたＣＳＩ−ＲＳリソースにおいてalternativeCodeBookEnabledFor4TX-r12=TRUEであり、ＵＥにＣＲＩレポートが設定されたＣＳＲ−ＲＳポートが８個若しくは４個の送信モード９及び１０、又は８個のＣＳＩ−ＲＳポートが設定され、より高いレイヤのパラメータeMIMO-TypeがＵＥに設定され、eMIMO-Typeが「クラスＢ」に設定されるとともに、１つのＣＳＩ−ＲＳリソースが設定され、より高いレイヤのパラメータalternativeCodebookEnabledCLASSB_K1=TRUEが設定された場合を除いた送信モード９及び１０、又はより高いレイヤのパラメータeMIMO-Typeが設定され、eMIMO-Typeが「クラスＡ」に設定された送信モード９及び１０、又はＣＲＩレポートなしでalternativeCodeBookEnabledFor4TX-r12=TRUEが設定された送信モード８、９、及び１０に関して広帯域第１ＰＭＩが報告されたサブフレームにおいて、
●  セットＳサブバンド上の送信を仮定したコードブックサブセットから、広帯域第１ＰＭＩに対応する一連のプリコーディングマトリクスが選択される。
●  ＵＥは、選択された一連のプリコーディングマトリクスに対応する広帯域第１ＰＭＩから成る各連続報告機会においてタイプ２ａレポートを報告するものとする。
●  ＵＥにＣＲＩレポートが設定された場合、
○  ＣＳＩプロセスに関して「ＲＩ基準ＣＳＩプロセス」ありでＵＥが送信モード１０に設定され、ＣＳＩプロセスの最も新しいタイプ６レポートが省略され、ＣＳＩプロセスの最も新しいＲＩレポートインスタンスにおいてＰＴＩ＝０で「ＲＩ基準ＣＳＩプロセス」のタイプ６レポートが報告された場合、ＣＳＩプロセスの広帯域第１ＰＭＩ値は、ＣＳＩプロセスの最も新しいＲＩレポートインスタンスにおいて設定された「ＲＩ基準ＣＳＩプロセス」の報告された周期的なＲＩ及びＣＳＩプロセスの最後に報告された周期的なＣＲＩ上で調節されて計算される。これ以外の場合、最後に報告されたＰＴＩ＝０で、広帯域第１ＰＭＩ値は、最後に報告された周期的なＲＩ及び最後に報告された周期的なＣＲＩ上で調節されて計算される。
●  それ以外の場合は、
○  ＣＳＩプロセスに関して「ＲＩ基準ＣＳＩプロセス」ありでＵＥが送信モード１０に設定され、ＣＳＩプロセスの最も新しいタイプ６レポートが省略され、ＣＳＩプロセスの最も新しいＲＩレポートインスタンスにおいてＰＴＩ＝０で「ＲＩ基準ＣＳＩプロセス」のタイプ６レポートが報告された場合、ＣＳＩプロセスの広帯域第１ＰＭＩ値は、ＣＳＩプロセスの最も新しいＲＩレポートインスタンスにおいて設定された「ＲＩ基準ＣＳＩプロセス」の報告された周期的なＲＩ上で調節されて計算される。これ以外の場合、最後に報告されたＰＴＩ＝０で、広帯域第１ＰＭＩ値は、最後に報告された周期的なＲＩ上で調節されて計算される。
■  ８個のＣＳＩ−ＲＳポートが設定され、より高いレイヤのパラメータeMIMO-Typeが設定されていない送信モード９及び１０、又は選択されたＣＳＩ−ＲＳリソースにおいてalternativeCodeBookEnabledFor4TX-r12=TRUEであり、ＵＥにＣＲＩレポートが設定されたＣＳＲ−ＲＳポートが８個若しくは４個の送信モード９及び１０、又は８個のＣＳＩ−ＲＳポートが設定され、より高いレイヤのパラメータeMIMO-TypeがＵＥに設定され、eMIMO-Typeが「クラスＢ」に設定されるとともに、１つのＣＳＩ−ＲＳリソースが設定され、より高いレイヤのパラメータalternativeCodebookEnabledCLASSB_K1=TRUEが設定された場合を除いた送信モード９及び１０、又はより高いレイヤのパラメータeMIMO-Typeが設定され、eMIMO-Typeが「クラスＡ」に設定された送信モード９及び１０、又はＣＲＩレポートなしでalternativeCodeBookEnabledFor4TX-r12=TRUEが設定された送信モード８、９、及び１０に関して広帯域ＣＱＩ／第２ＰＭＩが報告されたサブフレームにおいて、
●  セットＳサブバンド上の送信を仮定したコードブックサブセットから、単一のプリコーディングマトリクスが選択される。
●  ＵＥは、以下から成る各連続報告機会においてタイプ２ｂレポートを報告するものとする。
○  すべてのサブバンドにおける選択された単一のプリコーディングマトリクスの使用及びセットＳサブバンド上の送信を仮定して計算された広帯域ＣＱＩ値
○  選択された単一のプリコーディングマトリクスに対応する広帯域第２ＰＭＩ
○  ＲＩ＞１の場合、図１３（３ＧＰＰ  ＴＲ  ３６．２１１  Ｖ１３．１．０の表７．２−２の再現）に示された付加的な３ビット広帯域空間微分ＣＱＩ
●  ＵＥにＣＲＩレポートが設定された場合、
○  ＣＳＩプロセスに関して「ＲＩ基準ＣＳＩプロセス」ありでＵＥが送信モード１０に設定され、ＣＳＩプロセスの最も新しいタイプ６レポートが省略され、ＣＳＩプロセスの最も新しいＲＩレポートインスタンスにおいて、ＰＴＩ＝１で「ＲＩ基準ＣＳＩプロセス」のタイプ６レポートが報告された場合は、
■  ＣＳＩプロセスの広帯域第２ＰＭＩ値が、ＣＳＩプロセスの最も新しいＲＩレポートインスタンスにおいて設定された「ＲＩ基準ＣＳＩプロセス」の報告された周期的なＲＩ及びＣＳＩプロセスの最後に報告された広帯域第１ＰＭＩ及びＣＳＩプロセスの最後に報告された周期的なＣＲＩ上で調節されて計算される。
■  広帯域ＣＱＩ値は、ＣＳＩプロセスの選択されたプリコーディングマトリクス及びＣＳＩプロセスの最も新しいＲＩレポートインスタンスにおいて設定された「ＲＩ基準ＣＳＩプロセス」の報告された周期的なＲＩ及びＣＳＩプロセスの最後に報告された周期的なＣＲＩ上で調節されて計算される。
○  それ以外の場合、最後に報告されたＰＴＩ＝１において、
■  広帯域第２ＰＭＩ値は、最後に報告された周期的なＲＩ及び広帯域第１ＰＭＩ及び最後に報告された周期的なＣＲＩ上で調節されて計算される。
■  広帯域ＣＱＩ値は、選択されたプリコーディングマトリクス及び最後に報告された周期的なＲＩ及び最後に報告された周期的なＣＲＩ上で調節されて計算される。
●  それ以外の場合は、
○  ＣＳＩプロセスに関して「ＲＩ基準ＣＳＩプロセス」ありでＵＥが送信モード１０に設定され、ＣＳＩプロセスの最も新しいタイプ６レポートが省略され、ＣＳＩプロセスの最も新しいＲＩレポートインスタンスにおいて、ＰＴＩ＝１で「ＲＩ基準ＣＳＩプロセス」のタイプ６レポートが報告された場合は、
■  ＣＳＩプロセスの広帯域第２ＰＭＩ値が、ＣＳＩプロセスの最も新しいＲＩレポートインスタンスにおいて設定された「ＲＩ基準ＣＳＩプロセス」の報告された周期的なＲＩ及びＣＳＩプロセスの最後に報告された広帯域第１ＰＭＩ上で調節されて計算される。
■  広帯域ＣＱＩ値は、ＣＳＩプロセスの選択されたプリコーディングマトリクス及びＣＳＩプロセスの最も新しいＲＩレポートインスタンスにおいて設定された「ＲＩ基準ＣＳＩプロセス」の報告された周期的なＲＩ上で調節されて計算される。
○  それ以外の場合は、最後に報告されたＰＴＩ＝１において、
■  広帯域第２ＰＭＩ値は、最後に報告された周期的なＲＩ及び広帯域第１ＰＭＩ上で調節されて計算される。
■  広帯域ＣＱＩ値は、選択されたプリコーディングマトリクス及び最後に報告された周期的なＲＩ上で調節されて計算される。
●  最後に報告された周期的なＲＩと異なるＲＩ仮定の下で最後に報告された第１ＰＭＩが演算された場合又は最後に報告された第１ＰＭＩがない場合、第２ＰＭＩ値の調節は、規定されない。
■    以下の場合を除いて、すべての送信モードに関して、選択されたサブバンドのＣＱＩが報告されたサブフレームにおいて、
●  より高いレイヤのパラメータeMIMO-TypeがＵＥに設定され、eMIMO-Typeが「クラスＡ」に設定された場合、又は
●  ８個のＣＳＩ−ＲＳポートが送信モード９及び１０に対して設定された場合又はalternativeCodeBookEnabledFor4TX-r12=TRUEが送信モード８、９、及び１０に対して設定された場合であって、より高いレイヤのパラメータeMIMO-TypeがＵＥに設定されていないか、ＣＲＩ報告がＵＥに設定されたか、より高いレイヤのパラメータeMIMO-TypeがＵＥに設定され、eMIMO-Typeが「クラスＢ」に設定されるとともに、１つのＣＳＩ−ＲＳリソースが設定され、より高いレイヤのパラメータalternativeCodebookEnabledCLASSB_K1=TRUEが設定されていない場合、
○  ＵＥは、Ｊ個の帯域幅部分それぞれにおけるＮｊ個のサブバンドセット内の好ましいサブバンドを選択するものとし、Ｊは、図２５（３ＧＰＰ  ＴＲ  ３６．２１１  Ｖ１３．１．０の表７．２．２−２の再現）に与えられる。
○  ＵＥは、以下から成る各連続報告機会において、帯域幅部分ごとのタイプ１レポートを報告するものとする。
■  対応する好ましいサブバンドＬビットラベルと併せて、先のステップで決定された帯域幅部分の選択されたサブバンドのみを介した送信を反映したコードワード０のＣＱＩ値
■  ＲＩ＞１の場合、コードワード１のオフセットレベルの場合の付加的な３ビットサブバンド空間微分ＣＱＩ値
●  コードワード１のオフセットレベル＝コードワード０の場合のサブバンドＣＱＩ指標−コードワード１の場合のサブバンドＣＱＩ指標
●  すべてのサブバンドにおいて最も新しく報告された単一のプリコーディングマトリクスの使用及び適用可能な帯域幅部分内の選択されたサブバンド上の送信を仮定
■  ３ビットサブバンド空間微分ＣＱＩ値のオフセットレベルへのマッピングは、図１３（３ＧＰＰ  ＴＲ  ３６．２１１  Ｖ１３．１．０の表７．２−２の再現）に示されている。
●  ＵＥにＣＲＩレポートが設定された場合、
○  ＣＳＩプロセスに関して「ＲＩ基準ＣＳＩプロセス」ありでＵＥが送信モード１０に設定され、ＣＳＩプロセスの最も新しいタイプ３レポートが省略され、ＣＳＩプロセスの最も新しいＲＩレポートインスタンスにおいて「ＲＩ基準ＣＳＩプロセス」のタイプ３レポートが報告された場合、ＣＳＩプロセスのサブバンド選択及びＣＱＩ値は、ＣＳＩプロセスの最後に報告された周期的な広帯域ＰＭＩ及びＣＳＩプロセスの最も新しいＲＩレポートインスタンスにおいて設定された「ＲＩ基準ＣＳＩプロセス」の報告された周期的なＲＩ及びＣＳＩプロセスの最後に報告された周期的なＣＲＩ上で調節されて計算される。これ以外の場合、サブバンド選択及びＣＱＩ値は、最後に報告された周期的な広帯域ＰＭＩ、ＲＩ、及びＣＲＩ上で調節されて計算される。
●  それ以外の場合は、
○  送信モード４、８、９、及び１０の場合、
■  ＣＳＩプロセスに関して「ＲＩ基準ＣＳＩプロセス」ありでＵＥが送信モード１０に設定され、ＣＳＩプロセスの最も新しいタイプ３レポートが省略され、ＣＳＩプロセスの最も新しいＲＩレポートインスタンスにおいて「ＲＩ基準ＣＳＩプロセス」のタイプ３レポートが報告された場合、ＣＳＩプロセスのサブバンド選択及びＣＱＩ値は、ＣＳＩプロセスの最後に報告された周期的な広帯域ＰＭＩ及びＣＳＩプロセスの最も新しいＲＩレポートインスタンスにおいて設定された「ＲＩ基準ＣＳＩプロセス」の報告された周期的なＲＩ上で調節されて計算される。これ以外の場合、サブバンド選択及びＣＱＩ値は、最後に報告された周期的な広帯域ＰＭＩ及びＲＩ上で調節されて計算される。
○  他の送信モードの場合、サブバンド選択及びＣＱＩ値は、最後に報告されたＰＭＩ及び送信ランク１上で調節されて計算される。
■  ８個のＣＳＩ−ＲＳポートが設定され、より高いレイヤのパラメータeMIMO-Typeが設定されていない送信モード９及び１０、又は８個のＣＳＩ−ＲＳポートが設定され、ＵＥにＣＲＩレポートが設定された送信モード９及び１０、又は選択されたＣＳＩ−ＲＳリソースにおいてalternativeCodeBookEnabledFor4TX-r12=TRUEであり、より高いレイヤのパラメータeMIMO-TypeがＵＥに設定され、eMIMO-Typeが「クラスＢ」に設定されるとともに、１つのＣＳＩ−ＲＳリソースが設定され、より高いレイヤのパラメータalternativeCodebookEnabledCLASSB_K1=TRUEが設定された場合を除いたＣＳＲ−ＲＳポートが８個若しくは４個の送信モード９及び１０、又はより高いレイヤのパラメータeMIMO-Typeが設定され、eMIMO-Typeが「クラスＡ」に設定された送信モード９及び１０、又はＣＲＩレポートなしでalternativeCodeBookEnabledFor4TX-r12=TRUEが設定された送信モード８、９、及び１０に関して広帯域ＣＱＩ／第２ＰＭＩが報告されたサブフレームにおいて、
●  セットＳサブバンド上の送信を仮定したコードブックサブセットから、単一のプリコーディングマトリクスが選択される。
●  ＵＥは、以下から成る各連続報告機会においてタイプ２ｂレポートを報告するものとする。
○  すべてのサブバンドにおける選択された単一のプリコーディングマトリクスの使用及びセットＳサブバンド上の送信を仮定して計算された広帯域ＣＱＩ値
○  選択された単一のプリコーディングマトリクスに対応する広帯域第２ＰＭＩ
○  ＲＩ＞１の場合、図１３（３ＧＰＰ  ＴＲ  ３６．２１１  Ｖ１３．１．０の表７．２−２の再現）に示された付加的な３ビット広帯域空間微分ＣＱＩ
●  ＵＥにＣＲＩレポートが設定された場合、
○  ＣＳＩプロセスに関して「ＲＩ基準ＣＳＩプロセス」ありでＵＥが送信モード１０に設定され、ＣＳＩプロセスの最も新しいタイプ６レポートが省略され、ＣＳＩプロセスの最も新しいＲＩレポートインスタンスにおいて、ＰＴＩ＝０で「ＲＩ基準ＣＳＩプロセス」のタイプ６レポートが報告された場合は、
■  ＣＳＩプロセスの広帯域第２ＰＭＩ値が、ＣＳＩプロセスの最も新しいＲＩレポートインスタンスにおいて設定された「ＲＩ基準ＣＳＩプロセス」の報告された周期的なＲＩ及びＣＳＩプロセスの最後に報告された広帯域第１ＰＭＩ及びＣＳＩプロセスの最後に報告された周期的なＣＲＩ上で調節されて計算される。
■  広帯域ＣＱＩ値は、ＣＳＩプロセスの選択されたプリコーディングマトリクス及びＣＳＩプロセスの最も新しいＲＩレポートインスタンスにおいて設定された「ＲＩ基準ＣＳＩプロセス」の報告された周期的なＲＩ及びＣＳＩプロセスの最後に報告された周期的なＣＲＩ上で調節されて計算される。
○  それ以外の場合は、最後に報告されたＰＴＩ＝０において、
■  広帯域第２ＰＭＩ値は、最後に報告された周期的なＲＩ及び広帯域第１ＰＭＩ及び最後に報告された周期的なＣＲＩ上で調節されて計算される。
■  広帯域ＣＱＩ値は、選択されたプリコーディングマトリクス及び最後に報告された周期的なＲＩプロセス及び最後に報告された周期的なＣＲＩ上で調節されて計算される。
●  それ以外の場合は、
○  ＣＳＩプロセスに関して「ＲＩ基準ＣＳＩプロセス」ありでＵＥが送信モード１０に設定され、ＣＳＩプロセスの最も新しいタイプ６レポートが省略され、ＣＳＩプロセスの最も新しいＲＩレポートインスタンスにおいて、ＰＴＩ＝０で「ＲＩ基準ＣＳＩプロセス」のタイプ６レポートが報告された場合は、
■  ＣＳＩプロセスの広帯域第２ＰＭＩ値が、ＣＳＩプロセスの最も新しいＲＩレポートインスタンスにおいて設定された「ＲＩ基準ＣＳＩプロセス」の報告された周期的なＲＩ及びＣＳＩプロセスの最後に報告された広帯域第１ＰＭＩ上で調節されて計算される。
■  広帯域ＣＱＩ値は、ＣＳＩプロセスの選択されたプリコーディングマトリクス及びＣＳＩプロセスの最も新しいＲＩレポートインスタンスにおいて設定された「ＲＩ基準ＣＳＩプロセス」の報告された周期的なＲＩ上で調節されて計算される。
○  それ以外の場合は、最後に報告されたＰＴＩ＝０において、
■  広帯域第２ＰＭＩ値は、最後に報告された周期的なＲＩ及び広帯域第１ＰＭＩ上で調節されて計算される。
■  広帯域ＣＱＩ値は、選択されたプリコーディングマトリクス及び最後に報告された周期的なＲＩ上で調節されて計算される。
●  最後に報告された周期的なＲＩと異なるＲＩ仮定の下で最後に報告された第１ＰＭＩが演算された場合又は最後に報告された第１ＰＭＩがない場合、第２ＰＭＩ値の調節は、規定されない。
■  選択されたＣＳＩ−ＲＳリソースにおいてalternativeCodeBookEnabledFor4TX-r12=TRUEであり、より高いレイヤのパラメータeMIMO-Typeが設定されていないＣＳＩ−ＲＳポートが８個若しくは４個の送信モード９及び１０、又は８個のＣＳＩ−ＲＳポートが設定され、ＵＥにＣＲＩレポートが設定された送信モード９及び１０、又は８個のＣＳＩ−ＲＳポートが設定され、ＵＥにより高いレイヤのパラメータeMIMO-Typeが設定され、eMIMO-Typeが「クラスＢ」に設定されるとともに、１つのＣＳＩ−ＲＳリソースが設定され、より高いレイヤのパラメータalternativeCodebookEnabledCLASSB_K1=TRUEが設定された場合を除いた送信モード９及び１０、又はより高いレイヤのパラメータeMIMO-Typeが設定され、eMIMO-Typeが「クラスＡ」に設定された送信モード９及び１０、又はＣＲＩレポートなしでalternativeCodeBookEnabledFor4TX-r12=TRUEが設定された送信モード８、９、及び１０に関して、選択されたサブバンドのサブバンドＣＱＩ／第２ＰＭＩが報告されたサブフレームにおいて、
●  ＵＥは、Ｊ個の帯域幅部分それぞれにおけるＮｊ個のサブバンドセット内の好ましいサブバンドを選択するものとし、Ｊは、図２５（３ＧＰＰ  ＴＲ  ３６．２１１  Ｖ１３．１．０の表７．２．２−２の再現）に与えられる。
●  ＵＥは、以下から成る各連続報告機会において、帯域幅部分ごとのタイプ１ａレポートを報告するものとする。
○  対応する好ましいサブバンドＬビットラベルと併せて、先のステップで決定された帯域幅部分の選択されたサブバンドのみを介した送信を反映したコードワード０のＣＱＩ値
○  ＲＩ＞１の場合、コードワード１のオフセットレベルの場合の付加的な３ビットサブバンド空間微分ＣＱＩ値
■  コードワード１のオフセットレベル＝コードワード０の場合のサブバンドＣＱＩ指標−コードワード１の場合のサブバンドＣＱＩ指標
■  選択された第２ＰＭＩに対応するプリコーディングマトリクス及び最も新しく報告された第１ＰＭＩの使用並びに適用可能な帯域幅部分内の選択されたサブバンド上の送信を仮定
○  ３ビットサブバンド空間微分ＣＱＩ値のオフセットレベルへのマッピングは、図１３（３ＧＰＰ  ＴＲ  ３６．２１１  Ｖ１３．１．０の表７．２−２の再現）に示されている。
○  先のステップで決定された適用可能な帯域幅部分内の選択されたサブバンドのみを介した送信を仮定したコードブックサブセットから選択された好ましいプリコーディングマトリクスの第２ＰＭＩ
●  ＵＥにＣＲＩレポートが設定された場合、
○  ＣＳＩプロセスに関して「ＲＩ基準ＣＳＩプロセス」ありでＵＥが送信モード１０に設定され、ＣＳＩプロセスの最も新しいタイプ６レポートが省略され、ＣＳＩプロセスの最も新しいＲＩレポートインスタンスにおいて、ＰＴＩ＝１で「ＲＩ基準ＣＳＩプロセス」のタイプ６レポートが報告された場合は、
■  ＣＳＩプロセスのサブバンド第２ＰＭＩ値が、ＣＳＩプロセスの最も新しいＲＩレポートインスタンスにおいて設定された「ＲＩ基準ＣＳＩプロセス」の報告された周期的なＲＩ及びＣＳＩプロセスの最後に報告された広帯域第１ＰＭＩ及びＣＳＩプロセスの最後に報告された周期的なＣＲＩ上で調節されて計算される。
■  サブバンド選択及びＣＱＩ値は、ＣＳＩプロセスの選択されたプリコーディングマトリクス及びＣＳＩプロセスの最も新しいＲＩレポートインスタンスにおいて設定された「ＲＩ基準ＣＳＩプロセス」の報告された周期的なＲＩ及びＣＳＩプロセスの最後に報告された周期的なＣＲＩ上で調節されて計算される。
○  それ以外の場合は、最後に報告されたＰＴＩ＝１において、
■  サブバンド第２ＰＭＩ値は、最後に報告された周期的なＲＩ及び広帯域第１ＰＭＩ及び最後に報告された周期的なＣＲＩ上で調節されて計算される。
■  サブバンド選択及びＣＱＩ値は、選択されたプリコーディングマトリクス及び最後に報告された周期的なＲＩ及び最後に報告された周期的なＣＲＩ上で調節されて計算される。
●  それ以外の場合は、
○  ＣＳＩプロセスに関して「ＲＩ基準ＣＳＩプロセス」ありでＵＥが送信モード１０に設定され、ＣＳＩプロセスの最も新しいタイプ６レポートが省略され、ＣＳＩプロセスの最も新しいＲＩレポートインスタンスにおいて、ＰＴＩ＝１で「ＲＩ基準ＣＳＩプロセス」のタイプ６レポートが報告された場合は、
■  ＣＳＩプロセスのサブバンド第２ＰＭＩ値が、ＣＳＩプロセスの最も新しいＲＩレポートインスタンスにおいて設定された「ＲＩ基準ＣＳＩプロセス」の報告された周期的なＲＩ及びＣＳＩプロセスの最後に報告された広帯域第１ＰＭＩ上で調節されて計算される。
■  サブバンド選択及びＣＱＩ値は、ＣＳＩプロセスの選択されたプリコーディングマトリクス及びＣＳＩプロセスの最も新しいＲＩレポートインスタンスにおいて設定された「ＲＩ基準ＣＳＩプロセス」の報告された周期的なＲＩ上で調節されて計算される。
○  それ以外の場合は、最後に報告されたＰＴＩ＝１において、
■  サブバンド第２ＰＭＩ値は、最後に報告された周期的なＲＩ及び広帯域第１ＰＭＩ上で調節されて計算される。
■  サブバンド選択及びＣＱＩ値は、選択されたプリコーディングマトリクス及び最後に報告された周期的なＲＩ上で調節されて計算される。
●  最後に報告された周期的なＲＩと異なるＲＩ仮定の下で最後に報告された第１ＰＭＩが演算された場合又は最後に報告された第１ＰＭＩがない場合、第２ＰＭＩ値の調節は、規定されない。
７．２．３  チャネル品質インジケータ（ＣＱＩ）の定義
ＣＱＩ指標及びそれらの解釈は、ＱＰＳＫ、１６ＱＡＭ、及び６４ＱＡＭに基づいてＣＱＩを報告する図２８（３ＧＰＰ  ＴＲ  ３６．２１１  Ｖ１３．１．０の表７．２．３−１の再現）に与えられる。ＣＱＩ指標及びそれらの解釈は、ＱＰＳＫ、１６ＱＡＭ、６４ＱＡＭ、及び２５６ＱＡＭに基づいてＣＱＩを報告する表７．２．３−２に与えられる。ＣＱＩ指標及びそれらの解釈は、ＱＰＳＫ及び１６ＱＡＭに基づいてＣＱＩを報告する表７．２．３−３に与えられる。
非ＢＬ／ＣＥ  ＵＥの場合、本項に別段の指定のない限り、制約のない観測時間間隔及び制約のない観測周波数間隔に基づいて、ＵＥは、アップリンクサブフレームｎにおいて報告された各ＣＱＩ値に関して、以下の条件を満たす図２８（３ＧＰＰ  ＴＲ  ３６．２１１  Ｖ１３．１．０の表７．２．３−１の再現）若しくは表７．２．３−２の１〜１５の最も高いＣＱＩ指標又はＣＱＩ指標１が以下の条件を満たさない場合のＣＱＩ指標０を導出するものとする。
−  ＣＱＩ指標に対応する変調方式及び伝送ブロックサイズを組み合わせ、ＣＳＩ基準リソースと呼ばれるダウンリンク物理リソースブロック群を占有する単一のＰＤＳＣＨ伝送ブロックが０．１を超えない伝送ブロックエラー確率で受信され得る。
ＢＬ／ＣＥ  ＵＥの場合、制約のない観測時間間隔及び周波数間隔に基づいて、ＵＥは、各ＣＱＩ値に関して、以下の条件を満たす表７．２．３−３の１〜１０の最も高いＣＱＩ指標又はＣＱＩ指標１が以下の条件を満たさない場合のＣＱＩ指標０を導出するものとする。
−  ＣＱＩ指標に対応する変調方式及び伝送ブロックサイズを組み合わせ、ＣＳＩ基準リソースと呼ばれるダウンリンク物理リソースブロック群を占有する単一のＰＤＳＣＨ伝送ブロックが０．１を超えない伝送ブロックエラー確率で受信され得る。
ＣＳＩサブフレームセットＣＣＳＩ，０及びＣＣＳＩ，１がより高いレイヤによって設定されている場合、各ＣＳＩ基準リソースは、ＣＣＳＩ，０及びＣＣＳＩ，１のいずれかに属するが、両方には属さない。ＣＳＩサブフレームセットＣＣＳＩ，０及びＣＣＳＩ，１がより高いレイヤによって設定されている場合、ＵＥは、いずれのサブフレームセットにも属さないサブフレームにＣＳＩ基準リソースが存在するきっかけの受信が期待されない。ＵＥが送信モード１０であって、周期的なＣＳＩレポートの場合、ＣＳＩ基準リソースのＣＳＩサブフレームセットは、各ＣＳＩプロセスのより高いレイヤによって設定される。
パラメータpmi-RI-Reportがより高いレイヤによって設定され、パラメータeMIMO-Typeがより高いレイヤによって設定されていない送信モード９のＵＥの場合、ＵＥは、ＣＳＩ−ＲＳに対して非ゼロ電力を仮定するように設定された［３］に規定のチャネル状態情報（ＣＳＩ）基準信号（ＣＳＩ−ＲＳ）のみに基づいて、アップリンクサブフレームｎにおいて報告されたＣＱＩ値を演算するチャネル測定を導出するものとする。パラメータpmi-RI-Reportがより高いレイヤによって設定されていない送信モード９又は送信モード１〜８の非ＢＬ／ＣＥ  ＵＥの場合、ＵＥは、ＣＲＳに基づいて、ＣＱＩを演算するチャネル測定を導出するものとする。ＢＬ／ＣＥ  ＵＥの場合、ＵＥは、ＣＲＳに基づいて、ＣＱＩを演算するチャネル測定を導出するものとする。
パラメータeMIMO-Typeがより高いレイヤによって設定されていない送信モード１０のＵＥの場合、ＵＥは、ＣＳＩプロセスと関連付けられた設定ＣＳＩ−ＲＳリソース内の非ゼロ電力のＣＳＩ−ＲＳ（［３］に規定）のみに基づいて、アップリンクサブフレームｎにおいて報告されるとともにＣＳＩプロセスに対応するＣＱＩ値を演算するチャネル測定を導出するものとする。
送信モード９のＵＥ及びより高いレイヤによってパラメータeMIMO-Typeが設定されたＵＥの場合、本項における用語「ＣＳＩプロセス」は、当該ＵＥに関して設定されたＣＳＩを表す。
送信モード９又は１０のＵＥの場合であって、ＣＳＩプロセスの場合で、より高いレイヤによってＵＥにパラメータeMIMO-Typeが設定され、eMIMO-Typeが「クラスＡ」に設定されるとともに、１つのＣＳＩ−ＲＳリソースが設定された場合又はより高いレイヤによってＵＥにパラメータeMIMO-Typeが設定され、eMIMO-Typeが「クラスＢ」に設定されるとともに、より高いレイヤによってパラメータchannelMeasRestrictionが設定されていない場合、ＵＥは、ＣＳＩプロセスと関連付けられた設定ＣＳＩ−ＲＳリソース内の非ゼロ電力のＣＳＩ−ＲＳ（［３］に規定）のみに基づいて、アップリンクサブフレームｎにおいて報告されるとともにＣＳＩプロセスに対応するＣＱＩ値を演算するチャネル測定を導出するものとする。より高いレイヤによってＵＥにパラメータCSI-Reporting-Typeが設定され、CSI-Reporting-Typeが「クラスＢ」に設定されるとともに、設定されたＣＳＩ−ＲＳリソースの数がＫ＞１であり、より高いレイヤによってパラメータchannelMeasRestrictionが設定されていない場合、ＵＥは、ＣＲＩにより示された設定ＣＳＩ−ＲＳリソースのみを用いて、ＣＱＩ値を演算するチャネル測定を導出するものとする。
送信モード９又は１０のＵＥの場合であって、ＣＳＩプロセスの場合で、より高いレイヤによってＵＥにパラメータeMIMO-Typeが設定され、eMIMO-Typeが「クラスＢ」に設定されるとともに、より高いレイヤによってパラメータchannelMeasRestrictionが設定された場合、ＵＥは、ＣＳＩプロセスと関連付けられた設定ＣＳＩ−ＲＳリソース内の最も新しいＣＳＩ基準リソース以前の非ゼロ電力のＣＳＩ−ＲＳ（［３］に規定）のみに基づいて、アップリンクサブフレームｎにおいて報告されるとともにＣＳＩプロセスに対応するＣＱＩ値を演算するチャネル測定を導出するものとする。より高いレイヤによってＵＥにパラメータCSI-Reporting-Typeが設定され、CSI-Reporting-Typeが「クラスＢ」に設定されるとともに、設定されたＣＳＩ−ＲＳリソースの数がＫ＞１であり、より高いレイヤによってパラメータchannelMeasRestrictionが設定された場合、ＵＥは、ＣＲＩにより示された設定ＣＳＩ−ＲＳリソース内の最も新しいＣＳＩ基準リソース以前の非ゼロ電力のＣＳＩ−ＲＳのみを用いて、ＣＱＩ値を演算するチャネル測定を導出するものとする。
パラメータeMIMO-Typeがより高いレイヤによって設定されていない送信モード１０のＵＥの場合、ＵＥは、ＣＳＩプロセスと関連付けられた設定ＣＳＩ−ＩＭリソースのみに基づいて、アップリンクサブフレームｎにおいて報告されるとともにＣＳＩプロセスに対応するＣＱＩ値を演算する干渉測定を導出するものとする。
パラメータeMIMO-Type及びinterferenceMeasRestrictionがより高いレイヤによって設定された送信モード１０のＵＥの場合であって、ＣＳＩプロセスの場合、ＵＥは、ＣＳＩプロセスと関連付けられた最も新しいＣＳＩ基準リソース以前の設定ＣＳＩ−ＩＭリソースのみに基づいて、アップリンクサブフレームｎにおいて報告されるとともにＣＳＩプロセスに対応するＣＱＩ値を演算する干渉測定を導出するものとする。より高いレイヤによってＵＥにパラメータCSI-Reporting-Typeが設定され、CSI-Reporting-Typeが「クラスＢ」に設定されるとともに、設定されたＣＳＩ−ＲＳリソースの数がＫ＞１であり、interferenceMeasRestrictionが設定された場合、ＵＥは、ＣＲＩにより示されたＣＳＩ−ＲＳリソースと関連付けられた最も新しいＣＳＩ基準リソース以前の設定ＣＳＩ−ＩＭリソースのみに基づいて、ＣＱＩ値を演算する干渉測定を導出するものとする。interferenceMeasRestrictionが設定されていない場合、ＵＥは、ＣＲＩにより示されたＣＳＩ−ＲＳリソースと関連付けられたＣＳＩ−ＩＭに基づいて、ＣＱＩ値を演算する干渉測定を導出するものとする。
ＣＳＩプロセスのＣＳＩサブフレームセットＣＣＳＩ，０及びＣＣＳＩ，１に関して、送信モード１０のＵＥがより高いレイヤによって設定された場合、干渉測定の導出には、ＣＳＩ基準リソースに属するサブフレームサブセット内の設定されたＣＳＩ−ＩＭリソースが用いられる。
サービングセルに関して、パラメータEIMTA-MainConfigServCell-r12が設定されたＵＥの場合、サービングセルの干渉測定の導出には、サービングセルのＵＬ／ＤＬ設定により示された無線フレームのダウンリンクサブフレーム内のみの設定ＣＳＩ−ＩＭが使用可能である。
ＬＡＡ  Ｓｃｅｌｌに関して、
−  チャネル測定において、ＵＥが複数のサブフレームからＣＲＳ／ＣＳＩ−ＲＳ測定を平均化する場合、
−  ＵＥは、サブフレームｎ１又はサブフレームｎ１＋１〜サブフレームｎ２の任意のサブフレームの如何なるＯＦＤＭシンボルも占有されていない場合、サブフレームｎ１のＣＳＩ−ＲＳ測定をその後のサブフレームｎ２のＣＳＩ−ＲＳ測定で平均化しないものとする。
−  ＵＥは、サブフレームｎ１の２番目のスロットの如何なるＯＦＤＭシンボルも、サブフレームｎ１＋１〜サブフレームｎ２−１の任意のサブフレームの如何なるＯＦＤＭシンボルも、サブフレームｎ２の最初の３つのＯＦＤＭシンボルのいずれも占有されていない場合、サブフレームｎ１のＣＲＳ測定をその後のサブフレームｎ２のＣＲＳ測定で平均化しないものとする。
−  干渉測定の場合、ＵＥは、ＯＦＤＭシンボルが占有されたサブフレームにおける測定のみに基づいて、ＣＱＩ値を演算する干渉測定を導出するものとする。
以下の場合、変調方式及び伝送ブロックサイズの組み合わせは、ＣＱＩ指標に対応する。
−  関連する伝送ブロックサイズ表に従って、ＣＳＩ基準リソースのＰＤＳＣＨ上の送信用に組み合わせをシグナリング可能な場合、及び
−  変調方式がＣＱＩ指標によって示された場合、及び
−  基準リソースに適用された場合の伝送ブロックサイズ及び変調方式の組み合わせが、ＣＱＩ指標によって示されたコードレートに可能な限り最も近い実効チャネルコードレートとなる場合。伝送ブロックサイズ及び変調方式の２つ以上の組み合わせが、ＣＱＩ指標によって示されたコードレートに等しく近い実効チャネルコードレートとなる場合は、伝送ブロックサイズが最も小さい組み合わせのみが関連する。
サービングセルのＣＳＩ基準リソースは、以下のように規定される。
−  非ＢＬ／ＣＥ  ＵＥの場合、周波数領域において、ＣＳＩ基準リソースは、導出されたＣＱＩ値が関連する帯域に対応したダウンリンク物理リソースブロック群によって規定される。ＢＬ／ＣＥ  ＵＥの場合、周波数領域において、ＣＳＩ基準リソースは、導出されたＣＱＩ値が関連する狭帯域のいずれかのすべてのダウンリンク物理リソースブロックを含む。
−  時間領域において、非ＢＬ／ＣＥ  ＵＥの場合、
−  送信モード１〜９又はサービングセルに関してＣＳＩプロセスが１つだけ設定された送信モード１０のＵＥの場合、ＣＳＩ基準リソースは、単一のダウンリンク又は特殊サブフレームｎ−ｎＣＱＩ＿ｒｅｆによって規定される。
−  ここで、周期的なＣＳＩレポートの場合、ｎＣＱＩ＿ｒｅｆは、４以上の最小値であり、有効なダウンリンク又は有効な特殊サブフレームに対応するようになっている。
−  ここで、非周期的なＣＳＩレポートの場合、より高いレイヤのパラメータcsi-SubframePatternConfig-r12がＵＥに設定されていない場合は、
−  ｎＣＱＩ＿ｒｅｆは、アップリンクＤＣＩフォーマットにおける対応するＣＳＩリクエストと同じ有効なダウンリンク又は有効な特殊サブフレームに基準リソースが存在するようにしたもの
−  ｎＣＱＩ＿ｒｅｆは４に等しく、サブフレームｎ−ｎＣＱＩ＿ｒｅｆは有効なダウンリンク又は有効な特殊サブフレームに対応するが、サブフレームｎ−ｎＣＱＩ＿ｒｅｆは、ランダムアクセス応答グラントにおける対応するＣＳＩリクエストを伴うサブフレームの後に受信される。
−  ここで、非周期的なＣＳＩレポートの場合、より高いレイヤのパラメータcsi-SubframePatternConfig-r12がＵＥに設定された場合は、
−  送信モード１〜９に設定されたＵＥの場合、
−  ｎＣＱＩ＿ｒｅｆは４以上の最小値であり、サブフレームｎ−ｎＣＱＩ＿ｒｅｆは有効なダウンリンク又は有効な特殊サブフレームに対応するが、サブフレームｎ−ｎＣＱＩ＿ｒｅｆは、アップリンクＤＣＩフォーマットにおける対応するＣＳＩリクエストを伴うサブフレーム以降に受信される。
−  ｎＣＱＩ＿ｒｅｆは４以上の最小値であり、サブフレームｎ−ｎＣＱＩ＿ｒｅｆは有効なダウンリンク又は有効な特殊サブフレームに対応するが、サブフレームｎ−ｎＣＱＩ＿ｒｅｆは、ランダムアクセス応答グラントにおける対応するＣＳＩリクエストを伴うサブフレームの後に受信される。
−  上記条件に基づいて、ｎＣＱＩ＿ｒｅｆの有効な値が存在しない場合、ｎＣＱＩ＿ｒｅｆは最小値であり、基準リソースは、対応するＣＳＩリクエストを伴うサブフレームの前の有効なダウンリンク又は有効な特殊サブフレームｎ−ｎＣＱＩ＿ｒｅｆに存在し、サブフレームｎ−ｎＣＱＩ＿ｒｅｆは、無線フレーム内の最も小さく指標化された有効なダウンリンク又は有効な特殊サブフレームである。
−  送信モード１０に設定されたＵＥの場合、
−  ｎＣＱＩ＿ｒｅｆは４以上の最小値であり、有効なダウンリンク又は有効な特殊サブフレームに対応し、対応するＣＳＩリクエストはアップリンクＤＣＩフォーマットに存在するようになっている。
−  ｎＣＱＩ＿ｒｅｆは４以上の最小値であり、サブフレームｎ−ｎＣＱＩ＿ｒｅｆは有効なダウンリンク又は有効な特殊サブフレームに対応するが、サブフレームｎ−ｎＣＱＩ＿ｒｅｆは、ランダムアクセス応答グラントにおける対応するＣＳＩリクエストを伴うサブフレームの後に受信される。
−  サービングセルに関してＣＳＩプロセスが複数設定された送信モード１０のＵＥの場合、所与のＣＳＩプロセスのＣＳＩ基準リソースは、単一のダウンリンク又は特殊サブフレームｎ−ｎＣＱＩ＿ｒｅｆによって規定される。
−  ここで、ＦＤＤサービングセル及び周期的又は非周期的なＣＳＩレポートの場合、ｎＣＱＩ＿ｒｅｆは５以上の最小値であり、有効なダウンリンク又は有効な特殊サブフレームに対応し、非周期的なＣＳＩレポートの場合、対応するＣＳＩリクエストはアップリンクＤＣＩフォーマットに存在するようになっている。
−  ここで、ＦＤＤサービングセル及び非周期的なＣＳＩレポートの場合、ｎＣＱＩ＿ｒｅｆは５に等しく、サブフレームｎ−ｎＣＱＩ＿ｒｅｆは有効なダウンリンク又は有効な特殊サブフレームに対応するが、サブフレームｎ−ｎＣＱＩ＿ｒｅｆは、ランダムアクセス応答グラントにおける対応するＣＳＩリクエストを伴うサブフレームの後に受信される。
−  ここで、ＴＤＤサービングセルであり、２つ又は３つのＣＳＩプロセスが設定され、周期的又は非周期的なＣＳＩレポートの場合、ｎＣＱＩ＿ｒｅｆは４以上の最小値であり、有効なダウンリンク又は有効な特殊サブフレームに対応し、非周期的なＣＳＩレポートの場合、対応するＣＳＩリクエストはアップリンクＤＣＩフォーマットに存在するようになっている。
−  ここで、ＴＤＤサービングセルであり、２つ又は３つのＣＳＩプロセスが設定され、非周期的なＣＳＩレポートの場合、ｎＣＱＩ＿ｒｅｆは４に等しく、サブフレームｎ−ｎＣＱＩ＿ｒｅｆは有効なダウンリンク又は有効な特殊サブフレームに対応するが、サブフレームｎ−ｎＣＱＩ＿ｒｅｆは、ランダムアクセス応答グラントにおける対応するＣＳＩリクエストを伴うサブフレームの後に受信される。
−  ここで、ＴＤＤサービングセルであり、４つのＣＳＩプロセスが設定され、周期的又は非周期的なＣＳＩレポートの場合、ｎＣＱＩ＿ｒｅｆは５以上の最小値であり、有効なダウンリンク又は有効な特殊サブフレームに対応し、非周期的なＣＳＩレポートの場合、対応するＣＳＩリクエストはアップリンクＤＣＩフォーマットに存在するようになっている。
−  ここで、ＴＤＤサービングセルであり、４つのＣＳＩプロセスが設定され、非周期的なＣＳＩレポートの場合、ｎＣＱＩ＿ｒｅｆは５に等しく、サブフレームｎ−ｎＣＱＩ＿ｒｅｆは有効なダウンリンク又は有効な特殊サブフレームに対応するが、サブフレームｎ−ｎＣＱＩ＿ｒｅｆは、ランダムアクセス応答グラントにおける対応するＣＳＩリクエストを伴うサブフレームの後に受信される。
−  時間領域において、ＢＬ／ＣＥ  ＵＥの場合、ＣＳＩ基準リソースは、一連のＲＣＳＩ個のＢＬ／ＣＥ連続ダウンリンク又は特殊サブフレームによって規定され、最終サブフレームがサブフレームｎ−ｎＣＱＩ＿ｒｅｆである。
−  ここで、周期的なＣＳＩレポートの場合、ｎＣＱＩ＿ｒｅｆは
（外６４）
2018026819.tif 000068
である。
−  ここで、非周期的なＣＳＩレポートの場合、ｎＣＱＩ＿ｒｅｆは
（外６５）
2018026819.tif 000069
である。
−  ここで、ＣＳＩ基準リソースの各サブフレームは、有効なダウンリンク又は有効な特殊サブフレームである。
−  ここで、ＲＣＳＩは、より高いレイヤのパラメータcsi-NumRepetitionCEにより与えられる。
サービングセルのサブフレームは、以下の場合に、有効なダウンリンク又は有効な特殊サブフレームと考えられるものとする。
−  当該ＵＥのダウンリンクサブフレーム又は特殊サブフレームとして設定された場合、及び
−  アップリンク−ダウンリンク設定が異なる複数のセルが統合されるとともに、統合セルにおいて、ＵＥが送受信を同時に行えず、主セルのサブフレームが７６８０・Ｔｓを超えるＤｗＰＴＳの長さを有するダウンリンクサブフレーム又は特殊サブフレームである場合、及び
−  送信モード９又は１０の非ＢＬ／ＣＥ  ＵＥを除いて、ＭＢＳＦＮサブフレームでない場合、及び
−  ＤｗＰＴＳの長さが７６８０・Ｔｓ以下である場合に、ＤｗＰＴＳフィールドを含まない場合、及び
−  当該ＵＥに対して設定された測定ギャップの範囲とならない場合、及び
−  周期的なＣＳＩレポートに関して、当該ＵＥにＣＳＩサブフレームセットが設定された場合に、周期的なＣＳＩレポートにリンクされたＣＳＩサブフレームセットの要素である場合、及び
−  ＣＳＩプロセスが複数設定された送信モード１０のＵＥで、ＣＳＩプロセスの非周期的なＣＳＩレポートの場合、ＣＳＩプロセスに関して、当該ＵＥにＣＳＩサブフレームセットが設定され、より高いレイヤのパラメータcsi-SubframePatternConfig-r12が設定されていない場合に、アップリンクＤＣＩフォーマットに対応するＣＳＩリクエストを有するダウンリンク又は特殊サブフレームにリンクされたＣＳＩサブフレームセットの要素である場合、及び
−  送信モード１〜９に設定されたＵＥで、非周期的なＣＳＩレポートの場合、より高いレイヤのパラメータcsi-SubframePatternConfig-r12によって、当該ＵＥにＣＳＩサブフレームセットが設定された場合に、アップリンクＤＣＩフォーマットの対応するＣＳＩリクエストと関連付けられたＣＳＩサブフレームセットの要素である場合、及び
−  送信モード１０に設定されたＵＥで、ＣＳＩプロセスの非周期的なＣＳＩレポートの場合、ＣＳＩプロセスに関して、より高いレイヤのパラメータcsi-SubframePatternConfig-r12によって、当該ＵＥにＣＳＩサブフレームセットが設定された場合に、アップリンクＤＣＩフォーマットの対応するＣＳＩリクエストと関連付けられたＣＳＩサブフレームセットの要素である場合。
−  サービングセルがＬＡＡ  Ｓｃｅｌｌであり、サブフレーム中の少なくとも１つのＯＦＤＭシンボルが占有されていない場合を除く。
−  サービングセルがＬＡＡ  Ｓｃｅｌｌであり、［３］の第６．１０．１．１項に記載される通り、ｎｓ’≠ｎｓの場合を除く。
−  サービングセルがＬＡＡ  Ｓｃｅｌｌであり、送信モード９又は１０のＵＥの場合に、ＣＳＩプロセスと関連付けられた設定ＣＳＩ−ＲＳリソースがサブフレームに存在しない場合を除く。
非ＢＬ／ＣＥ  ＵＥの場合、サービングセルのＣＳＩ基準リソースに関して有効なダウンリンク又は有効な特殊サブフレームが存在しない場合は、アップリンクサブフレームｎにおいて、サービングセルに対するＣＳＩレポートが省略される。
−  レイヤ領域において、ＣＳＩ基準リソースは、ＣＱＩが調節される任意のＲＩ及びＰＭＩによって規定される。
ＣＳＩ基準リソースにおいて、ＵＥは、ＣＱＩ指標と、ＰＭＩ及びＲＩが設定された場合はこれらも導出することを目的として、以下を仮定するものとする。
−  最初の３つのＯＦＤＭシンボルは、制御シグナリングによって占有される。
−  主同期信号若しくは副同期信号又はＰＢＣＨ又はＥＰＤＣＣＨによって使用されるリソース要素はない。
−  非ＭＢＳＦＮサブフレームのＣＰ長
−  冗長バージョン０
−  チャネル測定にＣＳＩ−ＲＳが用いられる場合、ＰＤＳＣＨ  ＥＰＲＥのＣＳＩ−ＲＳ  ＥＰＲＥに対する比は、第７．２．５項に与えられる。
−  送信モード９の場合の非ＢＬ／ＣＥ  ＵＥのＣＳＩレポート：
−  ＣＲＳ  ＲＥは、非ＭＢＳＦＮサブフレーム中と同様である。
−  ＰＭＩ／ＲＩレポートに対してＵＥが設定されている場合又はＰＭＩレポートなしでＵＥが設定されている場合、ＵＥ固有の基準信号オーバヘッドは、２つ以上のＣＳＩ−ＲＳポートが設定されている場合、最も新しく報告されたランクと一致し、ＣＳＩ−ＲＳポートが１つだけ設定されている場合は、ランク１送信と一致する。また、ν個のレイヤに関して、アンテナポート｛７・・・６＋ν｝上のＰＤＳＣＨ信号は、
（外６６）
2018026819.tif 000070
によって与えられる通り、アンテナポート｛１５・・・１４＋Ｐ｝上で送信された対応するシンボルと同等の信号になる。ここで、ｘ（ｉ）＝［ｘ（０）（ｉ）・・・ｘ（ν−１）（ｉ）］Ｔは［３］の第６．３．３．２項のレイヤマッピングによるシンボルのベクトルであり、Ｐ∈｛１，２，４，８，１２，１６｝は設定されたＣＳＩ−ＲＳポートの数であり、ＣＳＩ−ＲＳポートが１つだけ設定されている場合は、Ｗ（ｉ）が１であり、その他、ＰＭＩ／ＲＩレポートに対して設定されたＵＥの場合は、Ｗ（ｉ）がｘ（ｉ）に適用可能な報告ＰＭＩに対応するプリコーディングマトリクスであり、ＰＭＩレポートなしで設定されたＵＥの場合は、Ｗ（ｉ）がｘ（ｉ）に適用可能な報告ＣＱＩに対応する選択されたプリコーディングマトリクスである。アンテナポート｛１５・・・１４＋Ｐ｝で送信された対応するＰＤＳＣＨ信号は、ＥＰＲＥのＣＳＩ−ＲＳ  ＥＰＲＥに対する比が第７．２．５項に与えられる比に等しくなる。
−  送信モード１０のＣＳＩレポートに関して、ＣＳＩプロセスがＰＭＩ／ＲＩレポートなしで設定された場合、
−  関連するＣＳＩ−ＲＳリソースのアンテナポートの数が１つの場合は、単一のアンテナポートであるポート７でＰＤＳＣＨ送信が行われる。アンテナポート｛７｝上のチャネルは、関連するＣＳＩ−ＲＳリソースのアンテナポート｛１５｝上のチャネルから推測される。
−  ＣＲＳ  ＲＥは、非ＭＢＳＦＮサブフレーム中と同様である。ＣＲＳオーバヘッドは、サービングセルのＣＲＳアンテナポート数に対応するＣＲＳオーバヘッドと同じであることが仮定される。
−  ＵＥ固有の基準信号オーバヘッドは、ＰＲＢ対当たり１２ＲＥである。
−  それ以外の場合は、
−  関連するＣＳＩ−ＲＳリソースのアンテナポートの数が２つである場合、ＰＤＳＣＨ送信方式では、アンテナポート｛０，１｝上で、第７．１．２項に規定される送信ダイバーシティ方式を仮定する。ただし、アンテナポート｛０，１｝上のチャネルがそれぞれ、関連するＣＳＩリソースのアンテナポート｛１５，１６｝上のチャネルから推測される場合を除く。
−  関連するＣＳＩ−ＲＳリソースのアンテナポートの数が４つである場合、ＰＤＳＣＨ送信方式では、アンテナポート｛０，１，２，３｝上で、第７．１．２項に規定される送信ダイバーシティ方式を仮定する。ただし、アンテナポート｛０，１，２，３｝上のチャネルはそれぞれ、関連するＣＳＩ−ＲＳリソースのアンテナポート｛１５，１６，１７，１８｝上のチャネルから推測される。
−  ＵＥは、ＰＭＩ／ＲＩレポートなしで設定されたＣＳＩプロセスと関連付けられたＣＳＩ−ＲＳリソースに関して、５つ以上のアンテナポートの設定が期待されない。
−  ＣＲＳ  ＲＥのオーバヘッドは、関連するＣＳＩ−ＲＳリソースと同じ数のアンテナポート数を仮定している。
−  ＵＥ固有の基準信号オーバヘッドは、ゼロである。
−  送信モード１０のＣＳＩレポートに関して、ＣＳＩプロセスがＰＭＩ／ＲＩレポートあり又はＰＭＩレポートなしで設定された場合、
−  ＣＲＳ  ＲＥは、非ＭＢＳＦＮサブフレーム中と同様である。ＣＲＳオーバヘッドは、サービングセルのＣＲＳアンテナポート数に対応するＣＲＳオーバヘッドと同じであることが仮定される。
−  ＵＥ固有の基準信号オーバヘッドは、２つ以上のＣＳＩ−ＲＳポートが設定されている場合、ＣＳＩプロセスの最も新しく報告されたランクと一致し、ＣＳＩ−ＲＳポートが１つだけ設定されている場合は、ランク１送信と一致する。また、ν個のレイヤに関して、アンテナポート｛７・・・６＋ν｝上のＰＤＳＣＨ信号は、
（外６７）
2018026819.tif 000071
によって与えられる通り、アンテナポート｛１５・・・１４＋Ｐ｝上で送信された対応するシンボルと同等の信号になる。ここで、ｘ（ｉ）＝［ｘ（０）（ｉ）・・・ｘ（ν−１）（ｉ）］Ｔは［３］の第６．３．３．２項のレイヤマッピングによるシンボルのベクトルであり、Ｐ∈｛１，２，４，８，１２，１６｝は関連するＣＳＩ−ＲＳリソースのアンテナポートの数であり、Ｐ＝１の場合は、Ｗ（ｉ）が１であり、その他、ＰＭＩ／ＲＩレポートに対して設定されたＵＥの場合は、Ｗ（ｉ）がｘ（ｉ）に適用可能な報告ＰＭＩに対応するプリコーディングマトリクスであり、ＰＭＩレポートなしで設定されたＵＥの場合は、Ｗ（ｉ）がｘ（ｉ）に適用可能な報告ＣＱＩに対応する選択されたプリコーディングマトリクスである。アンテナポート｛１５・・・１４＋Ｐ｝で送信された対応するＰＤＳＣＨ信号は、ＥＰＲＥのＣＳＩ−ＲＳ  ＥＰＲＥに対する比が第７．２．５項に与えられる比に等しくなる。
−  ＣＳＩ−ＲＳ及びゼロ電力のＣＳＩ−ＲＳには、ＲＥが配分されないものと仮定する。
−  ＰＲＳには、ＲＥが配分されないものと仮定する。
−  図２７（３ＧＰＰ  ＴＲ  ３６．２１１  Ｖ１３．１．０の表７．２．３−０の再現）により与えられるＰＤＳＣＨ送信方式は、ＵＥに関して現在設定されている送信モード（デフォルトモードであってもよい）によって決まる。
−  チャネル測定にＣＲＳが用いられる場合、ＰＤＳＣＨ  ＥＰＲＥのセル固有ＲＳ  ＥＰＲＥに対する比は、以下が仮定されるρＡを除いて、第５．２項に与えられる。
−  セル固有アンテナポートが４つの送信モード２又はセル固有アンテナポートが４つの送信モード３がＵＥに設定されており、関連するＲＩが１に等しい場合、任意の変調方式に対して、ρＡ＝ＰＡ＋Δｏｆｆｓｅｔ＋１０ｌｏｇ１０（２）［ｄＢ］
−  それ以外の場合は、任意の変調方式及び任意のレイヤ数に対して、ρＡ＝ＰＡ＋Δｏｆｆｓｅｔ［ｄＢ］
シフトΔｏｆｆｓｅｔは、より高いレイヤのシグナリングによって設定されたパラメータnomPDSCH-RS-EPRE-Offsetにより与えられる。
＜・・・＞
７．２．４  プリコーディングマトリクスインジケータ（ＰＭＩ）の定義
送信モード４、５、及び６の場合、プリコーディングフィードバックは、チャネルに応じたコードブックベースのプリコーディングに用いられ、プリコーディングマトリクスインジケータ（ＰＭＩ）を報告するＵＥに依拠する。送信モード８の場合、ＵＥは、ＰＭＩ／ＲＩレポートありに設定されている場合、ＰＭＩを報告するものとする。送信モード９及び１０の場合、非ＢＬ／ＣＥ  ＵＥは、ＰＭＩ／ＲＩレポートありに設定され、ＣＳＩ−ＲＳポートの数が２以上である場合、ＰＭＩを報告するものとする。ＵＥは、第７．２．１項及び第７．２．２項に記載されるフィードバックモードに基づいて、ＰＭＩを報告するものとする。他の送信モードの場合は、ＰＭＩレポートはサポートされない。
アンテナポートが２つの場合は、ＵＥにより高いレイヤのパラメータeMIMO-Typeが設定され、eMIMO-Typeが「クラスＢ」に設定され、１つのＣＳＩ−ＲＳリソースが設定されるとともに、より高いレイヤのパラメータalternativeCodebookEnabledCLASSB_K1=TRUEの場合を除いて、以下のように、［３］の表６．３．４．２．３−１に与えられるコードブック指標に各ＰＭＩ値が対応する。
■  アンテナポートが｛０，１｝又は｛１５，１６｝の２つで関連するＲＩ値が１である場合、ｎ∈｛０，１，２，３｝のＰＭＩ値は、ν＝１で［３］の表６．３．４．２．３−１に与えられるコードブック指標ｎに対応する。
■  アンテナポートが｛０，１｝又は｛１５，１６｝の２つで関連するＲＩ値が２である場合、ｎ∈｛０，１｝のＰＭＩ値は、ν＝２で［３］の表６．３．４．２．３−１に与えられるコードブック指標ｎ＋１に対応する。
アンテナポートが｛０，１，２，３｝又は｛１５，１６，１７，１８｝という４つの場合は、より高いレイヤのパラメータeMIMO-TypeがＵＥに設定され、eMIMO-Typeが「クラスＢ」に設定され、１つのＣＳＩ−ＲＳリソースが設定されるとともに、より高いレイヤのパラメータalternativeCodebookEnabledCLASSB_K1=TRUEが設定された場合を除いて、以下のように、［３］の表６．３．４．２．３−２に与えられるコードブック指標又は表７．２．４−０Ａ、表７．２．４−０Ｂ、表７．２．４−０Ｃ、又は表７．２．４−０Ｄに与えられる一対のコードブック指標に各ＰＭＩ値が対応する。
●  ｎ∈｛０，１，・・・，１５｝のＰＭＩ値は、alternativeCodeBookEnabledFor4TX-r12=TRUEが設定された場合を除いて、νが関連するＲＩ値と等しい状態で［３］の表６．３．４．２．３−２に与えられるコードブック指標ｎに対応する。
●  alternativeCodeBookEnabledFor4TX-r12=TRUEが設定された場合、各ＰＭＩ値は、表７．２．４−０Ａ、表７．２．４−０Ｂ、表７．２．４−０Ｃ、又は表７．２．４−０Ｄに与えられる一対のコードブック指標に対応するが、表７．２．４−０Ａ及び表７．２．４−０Ｂの数量φｎ、φｎ’、及びｖｍ’は、以下により与えられる。
φｎ＝ｅｊπｎ／２
φｎ’＝ｅｊ２πｎ／３２
ｖｍ’＝［１  ｅｊ２πｎ／３２］Ｔ
○  ｉ１∈｛０，１，・・・，ｆ（ν）−１｝の第１のＰＭＩ値及びｉ２∈｛０，１，・・・，ｇ（ν）−１｝の第２のＰＭＩ値は、νが関連するＲＩ値と等しい状態で表７．２．４−０ｊにそれぞれ与えられるコードブック指標ｉ１及びｉ２に対応しており、ここで、ν＝｛１，２，３，４｝、ｆ（ν）＝｛１６，１６，１，１｝、及びｇ（ν）＝｛１６，１６，１６，１６｝の場合にそれぞれｊ＝｛Ａ，Ｂ，Ｃ，Ｄ｝である。
○  表７．２．４−０Ｃ及び表７．２．４−０Ｄの数量
（外６８）
2018026819.tif 000072
は、式
（外６９）
2018026819.tif 000073
からのセット｛ｓ｝により与えられる列によって規定されたマトリクスを表し、Ｉは４×４の単位行列、ベクトルｕｎは［３］の表６．３．４．２．３−２により与えられ、ｎ＝ｉ２である。
○  場合によっては、コードブックサブサンプリングがサポートされる。ＰＵＣＣＨモード１−１、サブモード２の場合のサブサンプリングコードブックは、第１及び第２のプリコーディングマトリクスインジケータｉ１及びｉ２に関して、表７．２．２−１Ｇに規定されている。ＰＵＣＣＨモード１−１、サブモード１の場合のランク及び第１プリコーディングマトリクスインジケータｉ１の共同符号化は、表７．２．２−１Ｈに規定されている。ＰＵＣＣＨモード２−１の場合のサブサンプリングコードブックは、ＰＵＣＣＨレポートタイプ１ａに関して、表７．２．２−１Ｉに規定されている。
＜・・・＞
７．２．５  チャネル状態情報−基準信号（ＣＳＩ−ＲＳ）の定義
サービングセル及びＵＥが送信モード９に設定され、より高いレイヤのパラメータeMIMO-Typeが設定されていないＵＥの場合、ＵＥには、１つのＣＳＩ−ＲＳリソースが設定可能である。
サービングセル及びＵＥが送信モード９に設定され、より高いレイヤのパラメータeMIMO-Typeが設定されるとともに、eMIMO-Typeが「クラスＡ」に設定されたＵＥの場合、ＵＥには、１つのＣＳＩ−ＲＳリソースが設定可能である。
サービングセル及びＵＥが送信モード９に設定され、より高いレイヤのパラメータeMIMO-Typeが設定されるとともに、eMIMO-Typeが「クラスＢ」に設定されたＵＥの場合、ＵＥには、１つ又は複数のＣＳＩ−ＲＳリソースが設定可能である。
サービングセル及びＵＥが送信モード１０に設定された場合、ＵＥには、１つ又は複数のＣＳＩ−ＲＳリソースが設定可能である。ＵＥがＣＳＩ−ＲＳに対する非ゼロ電力を仮定する以下のパラメータは、各ＣＳＩ−ＲＳリソース設定に対するより高いレイヤのシグナリングによって設定される。
−  ＣＳＩ−ＲＳリソース設定識別。ＵＥが送信モード１０に設定された場合
−  ＣＳＩ−ＲＳポートの数。許容値及びポートマッピングについては、［３］の第６．１０．５項に与えられる。
−  ＣＳＩ  ＲＳ設定（［３］の表６．１０．５．２−１及び表６．１０．５．２−２参照）
−  ＣＳＩ  ＲＳサブフレーム設定ＩＣＳＩ−ＲＳ。許容範囲の値については、［３］の第６．１０．５．３項に与えられる。
−  ＣＳＩフィードバックＰＣの基準ＰＤＳＣＨ送信電力に関するＵＥの仮定。ＵＥが送信モード９に設定された場合
−  各ＣＳＩプロセスについて、ＣＳＩフィードバックＰＣの基準ＰＤＳＣＨ送信電力に関するＵＥの仮定。ＵＥが送信モード１０に設定された場合。ＣＳＩプロセスに関して、ＣＳＩサブフレームセットＣＣＳＩ，０及びＣＣＳＩ，１がより高いレイヤによって設定されている場合、Ｐｃは、ＣＳＩプロセスの各ＣＳＩサブフレームセットに対して設定される。
−  疑似ランダムシーケンス発生器パラメータｎＩＤ。許容値については、［１１］に与えられる。
−  ＣＤＭタイプパラメータ。より高いレイヤのパラメータeMIMO-TypeがＵＥに設定され、ＣＳＩプロセスに関して、eMIMO-Typeが「クラスＡ」に設定された場合。許容値については、［３］の第６．１０．５．３項に与えられる。
−  以下のパラメータを伴うＣＲＳアンテナポート及びＣＳＩ−ＲＳアンテナポートの疑似共同配置タイプＢのＵＥ仮定の場合のより高いレイヤのパラメータqcl-CRS-Info-r11。ＵＥが送信モード１０に設定された場合。
−  qcl-ScramblingIdentity-r11
−  crs-PortsCount-r11
−  mbsfn-SubframeConfigList-r11
ＰＣは、ＵＥがＣＳＩフィードバックを導出するとともに、［−８，１５］ｄＢの範囲の値を１ｄＢステップサイズでとる場合のＰＤＳＣＨ  ＥＰＲＥのＣＳＩ−ＲＳ  ＥＰＲＥに対する仮定比であり、ＰＤＳＣＨ  ＥＰＲＥは、表５．２−２及び表５．２−３に指定されるように、ＰＤＳＣＨ  ＥＰＲＥのセル固有ＲＳ  ＥＰＲＥに対する比がρＡで表されるシンボルに対応する。
ＵＥは、サービングセルの同じサブフレームでＣＳＩ−ＲＳ及びＰＭＣＨの設定を期待しないものとする。
フレーム構造タイプ２でＣＲＳポートが４つの場合、ＵＥは、通常ＣＰの場合のセット［２０〜３１］又は拡張ＣＰの場合のセット［１６〜２７］に属するＣＳＩ  ＲＳ設定指標（［３］の表６．１０．５．２−１及び表６．１０．５．２−２参照）の受信が期待されない。
ＵＥは、遅延拡散、ドップラ拡散、ドップラシフト、平均利得、及び平均遅延に関して、ＣＳＩ−ＲＳリソース設定のＣＳＩ−ＲＳアンテナポートが疑似共同配置（［３］に規定）であるものと仮定するようにしてもよい。
送信モード１０に設定され、疑似共同配置タイプＢのＵＥは、ドップラシフト及びドップラ拡散に関して、ＣＳＩ−ＲＳリソース設定に対応するqcl-CRS-Info-r11と関連付けられたアンテナポート０〜３及びＣＳＩ−ＲＳリソース設定に対応するアンテナポート１５〜３０が疑似共同配置（［３］に規定）であるものと仮定するようにしてもよい。
送信モード１０に設定され、より高いレイヤのパラメータeMIMO-Typeが設定され、eMIMO-Typeが「クラスＢ」に設定されるとともに、ＣＳＩプロセスに関して、設定されたＣＳＩ−ＲＳリソースの数が２つ以上である疑似共同配置タイプＢのＵＥは、より高いレイヤのパラメータqcl-CRS-Info-r11の値が異なるＣＳＩプロセスに関して、ＣＳＩ−ＲＳリソース設定の受信が期待されない。
ＣＥＭｏｄｅＡ又はＣＥＭｏｄｅＢが設定されたＢＬ／ＣＥ  ＵＥは、非ゼロ送信電力のＣＳＩ−ＲＳの設定が期待されない。
７．２．６  チャネル状態情報−干渉測定（ＣＳＩ−ＩＭ）リソースの定義
サービングセル及びＵＥが送信モード１０に設定された場合、ＵＥには、１つ又は複数のＣＳＩ−ＩＭリソースが設定可能である。以下のパラメータは、各ＣＳＩ−ＩＭリソース設定に対するより高いレイヤのシグナリングによって設定される。
−  ゼロ電力のＣＳＩ  ＲＳ設定（［３］の表６．１０．５．２−１及び表６．１０．５．２−２参照）
−  ゼロ電力のＣＳＩ  ＲＳサブフレーム設定ＩＣＳＩ−ＲＳ。許容値については、［３］の第６．１０．５．３項に与えられる。
サービングセルに関して、より高いレイヤのパラメータcsi-SubframePatternConfig-r12がＵＥに設定されていない場合、ＵＥは、当該ＵＥに対して設定可能な１つのゼロ電力ＣＳＩ−ＲＳリソース設定とすべてが完全に重なっているわけではないＣＳＩ−ＩＭリソース設定の受信が期待されない。
ＵＥは、第７．２．７項に規定されるゼロ電力ＣＳＩ−ＲＳリソース設定のうちの１つと完全には重なっていないＣＳＩ−ＩＭリソース設定の受信が期待されない。
サービングセルに関して、如何なるＣＳＩプロセスについても、ＵＥにＣＳＩサブフレームセットＣＣＳＩ，０及びＣＣＳＩ，１が設定されておらず、ＵＥに４つのＣＳＩ−ＩＭリソースが設定された場合、ＵＥは、４つのＣＳＩ−ＩＭリソースのすべてと関連付けられたＣＳＩプロセスの設定が期待されない。
ＵＥは、サービングセルの同じサブフレームでＣＳＩ−ＩＭリソース及びＰＭＣＨの設定を期待しないものとする。
７．２．７  ゼロ電力ＣＳＩ−ＲＳリソースの定義
サービングセル及びＵＥが送信モード１〜９に設定され、サービングセルに関してcsi-SubframePatternConfig-r12が設定されていないＵＥの場合、ＵＥには、ゼロ電力のＣＳＩ−ＲＳリソースを設定可能である。サービングセルで、送信モード１〜９に設定され、サービングセルに関してcsi-SubframePatternConfig-r12が設定されたＵＥの場合、ＵＥには、最大２つのゼロ電力のＣＳＩ−ＲＳリソースを設定可能である。サービングセルで、送信モード１０に設定されたＵＥの場合、ＵＥには、１つ又は複数のゼロ電力のＣＳＩ−ＲＳリソースを設定可能である。
サービングセルの場合、ＵＥには、より高いレイヤのパラメータds-ZeroTxPowerCSI-RS-r12に従って、最大５つの付加的なゼロ電力ＣＳＩ−ＲＳリソースを設定可能である。
以下のパラメータは、各ゼロ電力ＣＳＩ−ＲＳリソース設定に対するより高いレイヤのシグナリングによって設定される。
−  ゼロ電力ＣＳＩ  ＲＳ設定リスト（［３］の１６ビットのビットマップＺｅｒｏＰｏｗｅｒＣＳＩ−ＲＳ）
−  ゼロ電力のＣＳＩ  ＲＳサブフレーム設定ＩＣＳＩ−ＲＳ。許容値については、［３］の第６．１０．５．３項に与えられる。
ＵＥは、サービングセルの同じサブフレームでゼロ電力ＣＳＩ−ＲＳ及びＰＭＣＨの設定を期待しないものとする。
フレーム構造タイプ１のサービングセルの場合、ＵＥは、通常ＣＰの場合に１に設定された６つのＬＳＢビットのいずれか１つ又は拡張ＣＰの場合に１に設定された８つのＬＳＢビットのいずれか１つで、１６ビットのビットマップZeroPowerCSI-RSの受信が期待されない。
フレーム構造タイプ２のサービングセル及び４つのＣＲＳポートの場合、ＵＥは、通常ＣＰの場合に１に設定された６つのＬＳＢビットのいずれか１つ又は拡張ＣＰの場合に１に設定された８つのＬＳＢビットのいずれか１つで、１６ビットのビットマップZeroPowerCSI-RSの受信が期待されない。
ＣＥＭｏｄｅＡ又はＣＥＭｏｄｅＢが設定されたＢＬ／ＣＥ  ＵＥは、ゼロ電力のＣＳＩ−ＲＳの設定が期待されない。
【００３４】
ＵＥとネットワークとの間の無線リンクを維持するため、無線リンクモニタリング（ＲＬＭ）測定の実行によって、サービングセルの品質が特定のレベルを超えていること、例えば、少なくともＵＥがネットワークから制御チャネルを確実に受信可能であることを保証する。ＵＥは、周期的、例えば１０ｍｓごとに、ＣＲＳを測定して、不連続受信（ＤＲＸ）等のいくつかの制約を受けるＲＬＭのサンプルを生成する。３ＧＰＰ  ＴＳ  ３６．２１３  ｖ１３．１．１及びＴＳ  ３６．１３３  ｖ１３．４．０が以下のように引用され、提供される。
４．２．１  無線リンクモニタリング
主セルのダウンリンク無線リンク品質は、より高いレイヤに対して非同期／同期状態を示すことを目的として、ＵＥによりモニタリングされるものとする。
ＵＥにＳＣＧ［１１］が設定された場合、ＳＣＧのＰＳＣｅｌｌ［１１］のダウンリンク無線リンク品質は、より高いレイヤに対して非同期／同期状態を示すことを目的として、ＵＥによりモニタリングされるものとする。
非ＤＲＸモード動作において、ＵＥの物理レイヤは、無線フレームごとに、［１０］の関連試験により規定された閾値（Ｑｏｕｔ及びＱｉｎ）に対して、［１０］に規定された過去の時間にわたり評価された無線リンク品質を評価するものとする。
ＤＲＸモード動作において、ＵＥの物理レイヤは、ＤＲＸ期間ごとに少なくとも１回、［１０］の関連試験により規定された閾値（Ｑｏｕｔ及びＱｉｎ）に対して、［１０］に規定された過去の時間にわたり評価された無線リンク品質を評価するものとする。
制約のある無線リンクモニタリングの特定のサブフレームをより高いレイヤのシグナリングが示している場合、無線リンク品質は、これら示されたサブフレーム以外の如何なるサブフレームにおいても、モニタリングされないものとする。
ＵＥの物理レイヤは、無線リンク品質が評価される無線フレームにおいて、無線リンク品質が閾値Ｑｏｕｔよりも劣る場合、より高いレイヤに対して非同期を示すものとする。無線リンク品質が閾値Ｑｉｎよりも優れている場合、ＵＥの物理レイヤは、無線リンク品質が評価される無線フレームにおいて、より高いレイヤに対して同期を示すものとする。
＜・・・＞
７．６  無線リンクモニタリング
７．６．１  イントロダクション
ＵＥは、［２］に規定されたパラメータＴ３１３、Ｎ３１３、及びＮ３１４がＵＥに設定されたことを前提として、第７．６項でＰＳＣｅｌｌに対して指定された無線リンクモニタリング要件を満足するものとする。
ＵＥは、セル固有の基準信号に基づいて、ダウンリンクのリンク品質をモニタリングすることにより、［３］に指定されるように、ＰＣｅｌｌ及びＰＳＣｅｌｌのダウンリンク無線リンク品質を検出するものとする。
ＵＥは、ＰＣｅｌｌ及びＰＳＣｅｌｌのダウンリンク無線リンク品質のモニタリングを目的として、ダウンリンク無線リンク品質を推定するとともに、これを閾値Ｑｏｕｔ及びＱｉｎに対して比較するものとする。
閾値Ｑｏｕｔは、ダウンリンク無線リンクを確実には受信できないレベルとして規定され、図２９（３ＧＰＰ  ＴＳ  ３６．１３３  Ｖ１３．４．０の表７．６．１−１の再現）に指定される送信パラメータとともにＰＣＦＩＣＨエラーを考慮した仮想ＰＤＣＣＨ送信の１０％ブロックエラーレートに対応するものとする。
閾値Ｑｉｎは、Ｑｏｕｔよりもダウンリンク無線リンクをはるかに確実に受信できるレベルとして規定され、図３０（３ＧＰＰ  ＴＳ  ３６．１３３  Ｖ１３．４．０の表７．６．１−２の再現）に指定される送信パラメータとともにＰＣＦＩＣＨエラーを考慮した仮想ＰＤＣＣＨ送信の２％ブロックエラーレートに対応するものとする。
制約のある無線リンクモニタリングの特定のサブフレームをより高いレイヤのシグナリングが示している場合、無線リンク品質は、［３］に指定されるようにモニタリングされるものとする。
また、以下の付加的な条件が満たされることを前提として、無線リンクモニタリング測定を実行する時間領域測定リソース制限パターンがＣＲＳ支援情報あり又はなしで、より高いレイヤによって設定される場合は（ＴＳ  ３６．３３１［２］）、第７．６．２．１項、第７．６．２．２項、及び第７．６．２．３項の要件も当てはまるものとする。
測定セルに関して設定された時間領域測定リソース制限パターンは、無線リンクモニタリング測定を実行する無線フレーム当たり少なくとも１つのサブフレームを示す。
ＣＲＳ支援情報が与えられた場合、ＣＲＳ支援情報［２］におけるすべての周波数内セルの送信帯域幅［３０］は、無線リンクモニタリングが実行されるＰＣｅｌｌの送信帯域幅と同等以上である。
ＣＲＳ支援情報が与えられた場合、無線リンクモニタリングが実行されるセルの送信アンテナポートの数に対して、ＣＲＳ支援情報［２］が与えられた１つ又は複数のセルの送信アンテナポート数［１６］が異なる場合は、第７．６項の要件も満たされるものとする。
注：ＵＥにＣＲＳ支援情報が与えられていない場合（ＴＳ  ３６．３３１［２］）又は全評価期間にわたってＣＲＳ支援データが有効でない場合は、非ＭＢＳＦＮサブフレームに設定されたＡＢＳとのＣＲＳの衝突において、類似のリリース８及び９要件が時間領域測定制約に当てはまる。
【００３５】
サービングセルの品質を保証することのほか、ＵＥには、隣接セルの品質を評価してサービングセルが良い選択であるか否かを決定する無線リソース管理（ＲＲＭ）測定が設定されていてもよい。ネットワークは、ＵＥにサービングするのに別のセルの方が良い選択であることを見出した場合、ＵＥを別のセルに受け渡すようにしてもよい。ＵＥには、周波数内（サービングセルと同じ周波数の）ＲＲＭ測定が設定されていてもよいし、周波数間（サービングセルと異なる周波数の）測定が設定されていてもよい。ＵＥは、測定が実行される周波数へと中心周波数が再調節される必要があるため、周波数間測定に測定ギャップを要していてもよく、当該ギャップにおいては、データ受信が利用可能でなくてもよい。その他の詳細として、３ＧＰＰ  ＴＳ  ３６．１３３、３ＧＰＰ  ＴＳ  ３６．３３１、及び３ＧＰＰ  ＴＳ  ３６．３２１の引用が以下に示され得る。
５．５  測定
５．５．１  イントロダクション
ＵＥは、Ｅ−ＵＴＲＡＮにより提供された測定設定に従って、測定情報を報告する。Ｅ−ＵＴＲＡＮは、専用シグナリングすなわちRRCConnectionReconfigurationメッセージによりＲＲＣ＿ＣＯＮＮＥＣＴＥＤにおいてＵＥに適用可能な測定設定を提供する。
ＵＥには、以下のような種類の測定を実行するように要求可能である。
−  周波数内測定：サービングセルのダウンリンク搬送波周波数における測定
−  周波数間測定：サービングセルのダウンリンク搬送波周波数のいずれかと異なる周波数での測定
−  ＵＴＲＡ周波数のＲＡＴ間測定
−  ＧＥＲＡＮ周波数のＲＡＴ間測定
−  ＣＤＭＡ２０００  ＨＲＰＤ又はＣＤＭＡ２０００  １×ＲＴＴ又はＷＬＡＮ周波数のＲＡＴ間測定
測定設定には、以下のパラメータを含む。
１．測定対象：ＵＥが測定を実行する対象
−  周波数内及び周波数間測定の場合、測定対象は、単一のＥ−ＵＴＲＡ搬送波周波数である。この搬送波周波数と関連して、Ｅ−ＵＴＲＡＮは、セル固有のオフセット一覧、「ブラックリスト化」セル一覧、及び「ホワイトリスト化」セル一覧を設定可能である。ブラックリスト化セルは、イベント評価でも測定レポートでも考慮されない。
−  ＲＡＴ間ＵＴＲＡ測定の場合、測定対象は、単一のＵＴＲＡ搬送波周波数上の一連のセルである。
−  ＲＡＴ間ＧＥＲＡＮ測定の場合、測定対象は、一連のＧＥＲＡＮ搬送波周波数である。
−  ＲＡＴ間ＣＤＭＡ２０００測定の場合、測定対象は、単一の（ＨＲＰＤ又は１×ＲＴＴ）搬送波周波数上の一連のセルである。
−  ＲＡＴ間ＷＬＡＮ測定の場合、測定対象は、一連のＷＬＡＮ識別子及び任意選択としての一連のＷＬＡＮ周波数である。
注１：上述の測定対象を用いたいくつかの測定は、単一のセルにのみ関係しており、例えば、隣接セルのシステム情報であるＰＣｅｌｌ  ＵＥ  Ｒｘ−Ｔｘ時間差の報告に用いられる測定であるか、又は、一対のセルに関係しており、例えば、ＰＣｅｌｌとＰＳＣｅｌｌとの間のＳＳＴＤ測定である。
２．レポート設定：それぞれが以下から成るレポート設定一覧
−  レポート基準：ＵＥに測定レポートを送信させる基準。これは、周期的とすることも可能であるし、単一のイベント記述とすることも可能である。
−  レポートフォーマット：ＵＥが測定レポート及び関連する情報に含む数量（例えば、報告するセルの数）
３．測定識別：それぞれが１つの測定対象を１つのレポート設定とリンクさせる測定識別一覧。複数の測定識別を設定することにより、２つ以上の測定対象を同じレポート設定にリンク可能となるほか、２つ以上のレポート設定を同じ測定対象にリンク可能となる。測定識別は、測定レポートにおける基準番号として用いられる。
４．数量設定：ＲＡＴタイプごとに１つの数量設定がなされる。数量設定は、当該測定種類のすべてのイベント評価及び関連するレポートに用いられる測定数量及び関連するフィルタリングを規定する。測定数量ごとに１つのフィルタを設定可能である。
５．測定ギャップ：ＵＥが測定の実行に使用可能な期間すなわち（ＵＬ、ＤＬ）送信がスケジューリングされていない期間
Ｅ−ＵＴＲＡＮは、所与の周波数に対して、測定対象を１つだけ設定する。すなわち、異なるオフセット及び／又はブラックリスト等、関連するパラメータが異なる同じ周波数に対して、２つ以上の測定対象を設定することはできない。Ｅ−ＵＴＲＡＮは、例えば閾値が異なる２つのレポート設定によって、同じイベントの複数のインスタンスを設定するようにしてもよい。
ＵＥは、単一の測定対象リスト、単一のレポート設定リスト、及び単一の測定識別リストを維持する。測定対象リストには、ＲＡＴタイプごとに指定された測定対象を含み、場合によっては、周波数内対象（すなわち、サービング周波数に相当する対象）、周波数間対象、及びＲＡＴ間対象を含む。同様に、レポート設定リストには、Ｅ−ＵＴＲＡ及びＲＡＴ間レポート設定を含む。同じＲＡＴタイプの任意のレポート設定に対して、任意の測定対象をリンク可能である。いくつかのレポート設定は、測定対象にリンクされていなくてもよい。同様に、いくつかの測定対象は、レポート設定にリンクされていなくてもよい。
測定手順は、以下のような種類のセルを識別する。
１．サービングセル：ＣＡをサポートするＵＥに関して設定された場合は、ＰＣｅｌｌ及び１つ又は複数のＳＣｅｌｌが存在する。
２．一覧セル：測定対象内に一覧化されたセル又は、ＲＡＴ間ＷＬＡＮの場合、測定対象に設定されたＷＬＡＮ識別子に一致するＷＬＡＮ若しくはＵＥが接続されたＷＬＡＮが存在する。
３．検出セル：測定対象内には一覧化されていないが、測定対象により指定された搬送波周波数上でＵＥにより検出されたセルが存在する。
Ｅ−ＵＴＲＡの場合、ＵＥは、サービングセル、一覧セル、検出セルに関して測定及び報告を行い、ＲＳＳＩ及びチャネル占有測定の場合、ＵＥは、指定周波数上の任意の受信に関して測定及び報告を行う。ＲＡＴ間ＵＴＲＡの場合、ＵＥは、一覧セル及び任意選択としてＥ−ＵＴＲＡＮによりレポートが許可された範囲内のセルに関して測定及び報告を行う。ＲＡＴ間ＧＥＲＡＮの場合、ＵＥは、検出セルに関して測定及び報告を行う。ＲＡＴ間ＣＤＭＡ２０００の場合、ＵＥは、一覧セルに関して測定及び報告を行う。ＲＡＴ間ＷＬＡＮの場合、ＵＥは、一覧セルに関して測定及び報告を行う。
注２：ＲＡＴ間ＵＴＲＡ及びＣＤＭＡ２０００の場合、ＵＥは、ＳＯＮを目的として、検出セルに関しても測定及び報告を行う。
注３：本仕様は、ホーム展開型のＣＳＧセルが通常、隣接リスト内に示されないという仮定に基づく。さらに、この仮定では、非ホーム展開の場合に、物理セル識別が大型マクロセルのエリア内で（すなわち、ＵＴＲＡＮに関して）一意である。
第５．５．２項に含まれる以外の手順仕様がその関与フィールドを表す場合はいつでも、別段の明示的な指定がない場合のVarMeasConfigに含まれるフィールドすなわち測定設定手順のみが、受信measConfigに関連する直接ＵＥ動作を網羅する。
５．５．２  測定設定
５．５．２．１  概要
Ｅ−ＵＴＲＡＮは、以下のように手順を適用する。
−  ＵＥがmeasConfigを有する場合はいつでも、各サービング周波数に対してmeasObjectを含むようにする。
−  reportCGIに設定された目的でレポート設定により１つ以下の測定識別を設定する。
−  サービング周波数に関して、受信／送信に用いられる帯域に従って対応するmeasObject内のＥＡＲＦＣＮを設定する。
ＵＥは、
１＞受信measConfigがmeasObjectToRemoveListを含む場合、
２＞第５．５．２．４項に指定されるように、測定対象除去手順を実行する。
１＞受信measConfigがmeasObjectToAddModListを含む場合、
２＞第５．５．２．５項に指定されるように、測定対象追加／変更手順を実行する。
１＞受信measConfigがreportConfigToRemoveListを含む場合、
２＞第５．５．２．６項に指定されるように、レポート設定除去手順を実行する。
１＞受信measConfigがreportConfigToAddModListを含む場合、
２＞第５．５．２．７項に指定されるように、レポート設定追加／変更手順を実行する。
１＞受信measConfigがquantityConfigを含む場合、
２＞第５．５．２．８項に指定されるように、数量設定手順を実行する。
１＞受信measConfigがmeasIdToRemoveListを含む場合、
２＞第５．５．２．２項に指定されるように、測定識別除去手順を実行する。
１＞受信measConfigがmeasIdToAddModListを含む場合、
２＞第５．５．２．３項に指定されるように、測定識別追加／変更手順を実行する。
１＞受信measConfigがmeasGapConfigを含む場合、
２＞第５．５．２．９項に指定されるように、測定ギャップ設定手順を実行する。
１＞受信measConfigがs-Measureを含む場合、
パラメータs-Measureの受信値により示されるＲＳＲＰ範囲の最低値となるようにVarMeasConfig内のs-Measureを設定する。
１＞受信measConfigがpreRegistrationInfoHRPDを含む場合、
２＞preRegistrationInfoHRPDをＣＤＭＡ２０００上位レイヤに転送する。
１＞受信measConfigがspeedStateParsを含む場合、
２＞speedStateParsの受信値となるようにVarMeasConfig内のパラメータspeedStateParsを設定する。
１＞受信measConfigがallowInterruptionsを含む場合、
２＞allowInterruptionsの受信値となるようにVarMeasConfig内のパラメータallowInterruptionsを設定する。
５．５．２．２  測定識別の除去
ＵＥは、
１＞VarMeasConfigにおける現在のＵＥ設定の一部である受信measIdToRemoveListに含まれる各measIdに関して、
２＞VarMeasConfig内のmeasIdListから、measIdが一致するエントリを除去する。
２＞このmeasIdの測定レポートエントリが含まれる場合、それをVarMeasReportListから除去する。
２＞周期的なレポートタイマー又はタイマーＴ３２１のどちらが動作していてもこれを停止し、このmeasIdの関連する情報（例えば、timeToTrigger）をリセットする。
注：ＵＥは、現在のＵＥ設定の一部ではない任意のmeasId値をmeasIdToRemoveListが含む場合、メッセージをエラーとは考えない。
５．５．２．２ａ  測定識別の自律除去
ＵＥは、
１＞VarMeasConfig内のmeasIdListに含まれる各measIdに関して、
２＞関連するreportConfigがサービングセルを含むイベントに関与する一方、該当するサービングセルが設定されていない場合、又は
２＞関連するreportConfigがＷＬＡＮモビリティセットを含むイベントに関与する一方、該当するＷＬＡＮモビリティセットが設定されていない場合、
１．３＞VarMeasConfig内のmeasIdListから、measIdを除去するものとする
２．３＞このmeasIdの測定レポートエントリが含まれる場合、それをVarMeasReportListから除去するものとする。
３．３＞周期的なレポートタイマーが動作している場合はこれを停止し、このmeasIdの関連する情報（例えば、timeToTrigger）をリセットするものとする。
注１：上記measIdのＵＥ自律除去は、測定イベントＡ１、Ａ２、Ａ６のみに当てはまり、ＰＳＣｅｌｌ用に設定された場合はイベントＡ３及びＡ５にも当てはまり、設定された場合はＷ２及びＷ３にも当てはまる。
注２：再確立時に実行された場合、ＵＥには、主周波数のみが設定される（すなわち、ＳＣｅｌｌ及びＷＬＡＮモビリティセットが設定されている場合は、これらが解除される）。
５．５．２．３  測定識別の追加／変更
Ｅ−ＵＴＲＡＮは、以下のように手順を適用する。
−  対応する測定対象、対応するレポート設定、及び対応する数量設定が設定された場合にのみmeasIdを設定する。
ＵＥは、
１＞受信measIdToAddModListに含まれる各measIdに関して、
２＞measIdが一致するエントリがVarMeasConfig内のmeasIdListに存在する場合、
４．３＞このmeasIdに関して受信された値でエントリを置き換える。
２＞そうでなければ、
５．３＞このmeasIdの新しいエントリをVarMeasConfig内に追加する。
２＞このmeasIdの測定レポートエントリが含まれる場合、それをVarMeasReportListから除去する。
２＞周期的なレポートタイマー又はタイマーＴ３２１のどちらが動作していてもこれを停止し、このmeasIdの関連する情報（例えば、timeToTrigger）をリセットする。
２＞triggerTypeが周期性に設定され、このmeasIdと関連付けられたreportConfigにおいて目的がreportCGIに設定された場合、
６．３＞このmeasIdと関連付けられたmeasObjectがＥ−ＵＴＲＡに関与する場合、
４＞このmeasIdと関連付けられたreportConfigにsi-RequestForHOが含まれる場合、
５＞ＴＳ  ３６．３０６［５］に従って、ＵＥがカテゴリ０のＵＥである場合、
６＞このmeasIdに関して、タイマー値が１９０ｍｓに設定されたタイマーＴ３２１を開始する。
５＞そうでなければ、
６＞このmeasIdに関して、タイマー値が１５０ｍｓに設定されたタイマーＴ３２１を開始する。
４＞そうでなければ、
５＞このmeasIdに関して、タイマー値が１秒に設定されたタイマーＴ３２１を開始する。
７．３＞そうでなければ、このmeasIdと関連付けられたmeasObjectがＵＴＲＡに関与する場合、
４＞このmeasIdと関連付けられたreportConfigにsi-RequestForHOが含まれる場合、
５＞ＵＴＲＡ  ＦＤＤの場合は、このmeasIdに関して、タイマー値が２秒に設定されたタイマーＴ３２１を開始する。
５＞ＵＴＲＡ  ＴＤＤの場合は、このmeasIdに関して、タイマー値が１秒に設定されたタイマーＴ３２１を開始する。
４＞そうでなければ、
５＞このmeasIdに関して、タイマー値が８秒に設定されたタイマーＴ３２１を開始する。
８．３＞そうでなければ、
４＞このmeasIdに関して、タイマー値が８秒に設定されたタイマーＴ３２１を開始する。
５．５．２．４  測定対象の除去
ＵＥは、
１＞VarMeasConfigにおける現在のＵＥ設定の一部である受信measObjectToRemoveListに含まれる各measObjectIdに関して、
２＞VarMeasConfig内のmeasObjectListから、measObjectIdが一致するエントリを除去する。
２＞このmeasObjectIdと関連付けられたmeasIdが存在する場合は、VarMeasConfig内のmeasIdListからすべてを除去する。
２＞measIdがmeasIdListから除去された場合、
９．３＞このmeasIdの測定レポートエントリが含まれる場合、それをVarMeasReportListから除去する。
１０．３＞周期的なレポートタイマー又はタイマーＴ３２１のどちらが動作していてもこれを停止し、このmeasIdの関連する情報（例えば、timeToTrigger）をリセットする。
注：ＵＥは、現在のＵＥ設定の一部ではない任意のmeasObjectId値をmeasObjectToRemoveListが含む場合、メッセージをエラーとは考えない。
５．５．２．５  測定対象の追加／変更
ＵＥは、
１＞受信measObjectToAddModListに含まれる各measObjectIdに関して、
２＞measObjectIdが一致するエントリがVarMeasConfig内のmeasObjectListに存在する場合、このエントリについて、
１１．３＞フィールドcellsToAddModList、blackCellsToAddModList、whiteCellsToAddModList、altTTT-CellsToAddModList、cellsToRemoveList、blackCellsToRemoveList、whiteCellsToRemoveList、altTTT-CellsToRemoveList、measSubframePatternConfigNeigh、measDS-Config、wlan-ToAddModList、及びwlan-ToRemoveListを除いて、このmeasObjectに関して受信された値をエントリに再設定する。
１２．３＞受信measObjectがcellsToRemoveListを含む場合、
４＞cellsToRemoveListに含まれる各cellIndexに関して、
５＞cellsToAddModListから、cellIndexが一致するエントリを除去する。
１３．３＞受信measObjectがcellsToAddModListを含む場合、
４＞cellsToAddModListに含まれる各cellIndex値に関して、
５＞cellIndexが一致するエントリがcellsToAddModListに存在する場合、
６＞このcellIndexに関して受信された値でエントリを置き換える。
５＞そうでなければ、
６＞受信cellIndexの新しいエントリをcellsToAddModListに追加する。
１４．３＞受信measObjectがblackCellsToRemoveListを含む場合、
４＞blackCellsToRemoveListに含まれる各cellIndexに関して、
５＞blackCellsToAddModListから、cellIndexが一致するエントリを除去する。
注１：セルの重畳範囲に関与するblackCellsToRemoveListに含まれる各cellIndexに関して、それを含むすべてのセル指標が除去された場合にのみ、セルのブラックリストからセルが除去される。
１５．３＞受信measObjectがblackCellsToAddModListを含む場合、
４＞blackCellsToAddModListに含まれる各cellIndexに関して、
５＞cellIndexが一致するエントリがblackCellsToAddModListに含まれる場合、
６＞このcellIndexに関して受信された値でエントリを置き換える。
５＞そうでなければ、
６＞受信cellIndexの新しいエントリをblackCellsToAddModListに追加する。
１６．３＞受信measObjectがwhiteCellsToRemoveListを含む場合、
４＞whiteCellsToRemoveListに含まれる各cellIndexに関して、
５＞whiteCellsToAddModListから、cellIndexが一致するエントリを除去する。
注２：セルの重畳範囲に関与するwhiteCellsToRemoveListに含まれる各cellIndexに関して、それを含むすべてのセル指標が除去された場合にのみ、セルのホワイトリストからセルが除去される。
１７．３＞受信measObjectがwhiteCellsToAddModListを含む場合、
４＞whiteCellsToAddModListに含まれる各cellIndexに関して、
５＞cellIndexが一致するエントリがwhiteCellsToAddModListに含まれる場合、
６＞このcellIndexに関して受信された値でエントリを置き換える。
５＞そうでなければ、
６＞受信cellIndexの新しいエントリをwhiteCellsToAddModListに追加する。
１８．３＞受信measObjectがaltTTT-CellsToRemoveListを含む場合、
４＞altTTT-CellsToRemoveListに含まれる各cellIndexに関して、
５＞altTTT-CellsToAddModListから、cellIndexが一致するエントリを除去する。
注３：セルの重畳範囲に関与するaltTTT-CellsToRemoveListに含まれる各cellIndexに関して、それを含むすべてのセル指標が除去された場合にのみ、セルのリストからセルが除去される。
１９．３＞受信measObjectがaltTTT-CellsToAddModListを含む場合、
４＞altTTT-CellsToAddModListに含まれる各cellIndex値に関して、
５＞cellIndexが一致するエントリがaltTTT-CellsToAddModListに存在する場合、
６＞このcellIndexに関して受信された値でエントリを置き換える。
５＞そうでなければ、
６＞受信cellIndexの新しいエントリをaltTTT-CellsToAddModListに追加する。
２０．３＞受信measObjectがmeasSubframePatternConfigNeighを含む場合、
４＞VarMeasConfig内のmeasSubframePatternConfigNeighを受信フィールドの値に設定する。
２１．３＞受信measObjectがmeasDS-Configを含む場合、
４＞measDS-Configがsetupに設定されている場合、
５＞受信measDS-ConfigがmeasCSI-RS-ToRemoveListを含む場合、
６＞measCSI-RS-ToRemoveListに含まれる各measCSI-RS-Idに関して、
７＞measCSI-RS-ToAddModListから、measCSI-RS-Idが一致するエントリを除去する。
５＞measCSI-RS-ToAddModListに含まれる各measCSI-RS-Id値に関して、受信measDS-ConfigがmeasCSI-RS-ToAddModListを含む場合、
６＞measCSI-RS-Idが一致するエントリがmeasCSI-RS-ToAddModListに存在する場合、
７＞このmeasCSI-RS-Idに関して受信された値でエントリを置き換える。
６＞そうでなければ、
７＞受信measCSI-RS-Idの新しいエントリをmeasCSI-RS-ToAddModListに追加する。
５＞VarMeasConfig内のmeasDS-Configの他のフィールドを受信フィールドの値に設定する。
５＞第５．５．２．１０項に指定されるように、ディスカバリ信号測定タイミング設定手順を実行する。
４＞そうでなければ、
５＞ディスカバリ信号設定を解除する。
２２．３＞VarMeasConfig内のmeasIdListにおいてこのmeasObjectIdと関連付けられた各measIdが存在する場合は、これに関して、
４＞このmeasIdの測定レポートエントリが含まれる場合、それをVarMeasReportListから除去する。
４＞周期的なレポートタイマー又はタイマーＴ３２１のどちらが動作していてもこれを停止し、このmeasIdの関連する情報（例えば、timeToTrigger）をリセットする。
２３．３＞受信measObjectがwlan-ToAddModListを含む場合、
４＞wlan-ToAddModListに含まれる各ＷＬＡＮ識別子に関して、
５＞受信ＷＬＡＮ識別子の新しいエントリをwlan-ToAddModListに追加する。
２４．３＞受信measObjectがwlan-ToRemoveListを含む場合、
４＞wlan-ToRemoveListに含まれる各ＷＬＡＮ識別子に関して、
５＞wlan-ToAddModListから、ＷＬＡＮ識別子が一致する新しいエントリを除去する。
注３ａ：ＷＬＡＮ識別子が一致するためには、すべてのＷＬＡＮ識別子フィールドが同じである必要がある。
２＞そうでなければ、
２５．３＞受信measObjectの新しいエントリをVarMeasConfig内のmeasObjectListに追加する。
注４：ＵＥは、cgi-Infoの報告後、cellForWhichToReportCGIをmeasObjectに保持する必要がない。
５．５．２．６  レポート設定の除去
ＵＥは、
１＞VarMeasConfigにおける現在のＵＥ設定の一部である受信reportConfigToRemoveListに含まれる各reportConfigIdに関して、
２＞VarMeasConfig内のreportConfigListから、reportConfigIdが一致するエントリを除去する。
２＞reportConfigIdと関連付けられたmeasIdが存在する場合は、VarMeasConfig内のmeasIdListからすべてのmeasIdを除去する。
２＞measIdがmeasIdListから除去された場合、
２６．３＞このmeasIdの測定レポートエントリが含まれる場合、それをVarMeasReportListから除去する。
２７．３＞周期的なレポートタイマー又はタイマーＴ３２１のどちらが動作していてもこれを停止し、このmeasIdの関連する情報（例えば、timeToTrigger）をリセットする。
注：ＵＥは、現在のＵＥ設定の一部ではない任意のreportConfigId値をreportConfigToRemoveListが含む場合、メッセージをエラーとは考えない。
５．５．２．７  レポート設定の追加／変更
ＵＥは、
１＞受信reportConfigToAddModListに含まれる各reportConfigIdに関して、
２＞reportConfigIdが一致するエントリがVarMeasConfig内のreportConfigListに存在する場合、このエントリについて、
２８．３＞このreportConfigに関して受信された値でエントリを再設定する。
２９．３＞VarMeasConfig内のmeasIdListに含まれるこのreportConfigIdと関連付けられた各measIdが存在する場合は、これに関して、
４＞このmeasIdの測定レポートエントリが含まれる場合、それをVarMeasReportListから除去する。
４＞周期的なレポートタイマー又はタイマーＴ３２１のどちらが動作していてもこれを停止し、このmeasIdの関連する情報（例えば、timeToTrigger）をリセットする。
２＞そうでなければ、
３０．３＞受信reportConfigの新しいエントリをVarMeasConfig内のreportConfigListに追加する。
５．５．２．８  数量設定
ＵＥは、
１＞受信quantityConfigがパラメータを含む各ＲＡＴに関して、
２＞VarMeasConfig内のquantityConfigの対応するパラメータを受信quantityConfigパラメータの値に設定する。
１＞VarMeasConfig内のmeasIdListに含まれる各measIdに関して、
２＞このmeasIdの測定レポートエントリが含まれる場合、それをVarMeasReportListから除去する。
２＞周期的なレポートタイマー又はタイマーＴ３２１のどちらが動作していてもこれを停止し、このmeasIdの関連する情報（例えば、timeToTrigger）をリセットする。
５．５．２．９  測定ギャップ設定
ＵＥは、
１＞measGapConfigがsetupに設定されている場合、
２＞測定ギャップ設定が既に設定済みである場合は、測定ギャップ設定を解除する。
２＞受信gapOffsetに従ってmeasGapConfigにより示された測定ギャップ設定を行う。すなわち、各ギャップの最初のサブフレームは、以下の条件を満たすＳＦＮ及びサブフレーム（ＭＣＧセルのＳＦＮ及びサブフレーム）にて発生する。
ＳＦＮ  ｍｏｄ  Ｔ＝ＦＬＯＯＲ（gapOffset／１０）
サブフレーム＝gapOffset  ｍｏｄ  １０
３１．  ＴＳ  ３６．１３３［１６］に規定されるように、Ｔ＝ＭＧＲＰ／１０とする。
注：ＵＥは、ＤＣが設定された場合であっても、タイミングがＭＣＧセルに相対する単一のギャップを適用する。
１＞そうでなければ、
２＞測定ギャップ設定を解除する。
５．５．２．１０  ディスカバリ信号測定タイミング設定
ＵＥは、受信dmtc-PeriodOffsetに従って、ディスカバリ信号測定タイミング設定（ＤＭＴＣ）を行うものとする。すなわち、各ＤＭＴＣ機会の最初のサブフレームは、以下の条件を満たすＰＣｅｌｌのＳＦＮ及びサブフレームにて発生する。
ＳＦＮ  ｍｏｄ  Ｔ＝ＦＬＯＯＲ（dmtc-Offset／１０）
サブフレーム＝dmtc-Offset  ｍｏｄ  １０
Ｔ＝dmtc-Periodicity／１０である。
該当する周波数において、ＵＥは、ＤＭＴＣ機会の外側のサブフレームのディスカバリ信号送信を考慮しないものとする。
５．５．２．１１  ＲＳＳＩ測定タイミング設定
ＵＥは、当該ＵＥによってランダムに設定或いは決定された受信rmtc-Period、rmtc-SubframeOffsetに従って、ＲＳＳＩ測定タイミング設定（ＲＭＴＣ）を行うものとする。すなわち、各ＲＭＴＣ機会の最初のシンボルは、以下の条件を満たすＰＣｅｌｌのＳＦＮ及びサブフレームの最初のシンボルにて発生する。
ＳＦＮ  ｍｏｄ  Ｔ＝ＦＬＯＯＲ（rmtc-SubframeOffset／１０）
サブフレーム＝rmtc-SubframeOffset  ｍｏｄ  １０
Ｔ＝rmtc-Period／１０である。
該当する周波数において、ＵＥは、ＲＳＳＩ及びチャネル占有測定に関してmeasDurationにわたって継続する設定ＲＭＴＣ機会の外側のＲＳＳＩ測定を考慮しないものとする。
５．５．３  測定の実行
５．５．３．１  概要
ＵＥ  Ｒｘ−Ｔｘ時間差測定、ＱＣＩ当たりのＲＳＳＩ  ＵＬ  ＰＤＣＰパケット遅延測定、チャネル占有測定、並びに帯域、搬送波情報、有効流入容量、バックホール帯域幅、チャネル利用、及び基地局カウントのＷＬＡＮ測定を除いて、ＵＥは、測定結果を用いたレポート基準の評価又は測定レポートに先立って、第５．５．３．２項に指定されるように、レイヤ３フィルタリングを適用する。
ＵＥは、
１＞ＵＥがmeasConfigを有する場合はいつでも、以下のように、各サービングセルに関してＲＳＲＰ及びＲＳＲＱ測定を実行する。
２＞ＰＣｅｌｌの場合、measSubframePatternPCellが設定された場合はこれに従って、時間領域測定リソース制限を適用する。
２＞ＵＥがＣＲＳベースのディスカバリ信号測定をサポートする場合、
３２．３＞非アクティブ化状態の各ＳＣｅｌｌに関して、ＳＣｅｌｌの周波数に対応するmeasObject内でmeasDS-Configが設定された場合はこれに従って、ディスカバリ信号測定タイミング設定を適用する。
１＞rs-sinr-Configが設定されたmeasConfigをＵＥが有する場合は、以下のように（関連するreportConfigに示されるように）ＲＳ−ＳＩＮＲを実行する。
２＞必要に応じて有効アイドル期間又は自律ギャップを用いることにより、関連するmeasObjectに示された周波数に関して対応する測定を実行する。
１＞VarMeasConfig内のmeasIdListに含まれる各measIdに関して、
２＞関連するreportConfigの目的がreportCGIに設定された場合、
３３．３＞関連するreportConfigに対してsi-RequestForHOが設定された場合、
４＞必要に応じて自律ギャップを用いることにより、関連するmeasObjectに示された周波数及びＲＡＴに関して対応する測定を実行する。
３４．３＞そうでなければ、
４＞必要に応じて有効アイドル期間又は自律ギャップを用いることにより、関連するmeasObjectに示された周波数及びＲＡＴに関して対応する測定を実行する。
注１：測定の実行に自律ギャップが用いられる場合、ＵＥは、すべてのサービングセルとの通信を一時的にアボート（abort）することが許可される。すなわち、自律ギャップを生成して、ＴＳ  ３６．１３３［６］に指定の限界内で対応する測定を実行することが許可される。そうでなければ、ＵＥは、Ｅ−ＵＴＲＡＮが十分なアイドル期間を提供した場合に限って、reportCGIに設定された目的で測定をサポートするのみである。
３５．３＞該当するセルから関連するシステム情報を取得することにより、関連するmeasObjectにおいてcellForWhichToReportCGIにより示されたセルのグローバルセル識別を取得しようとする。
３６．３＞関連するmeasObjectに含まれるcellForWhichToReportCGIにより示されたセルがＥ−ＵＴＲＡＮセルである場合、
４＞該当するセルにおいてＣＳＧ識別がブロードキャストされた場合は、ＣＳＧ識別を取得しようとする。
４＞該当するセルにおいてtrackingAreaCodeを取得しようとする。
４＞該当するセルにおいて複数のＰＬＭＮ識別がブロードキャストされた場合は、plmn-IdentityListに含まれる付加的なＰＬＭＮ識別のリストを取得しようとする。
４＞includeMultiBandInfoが設定された場合、
５＞該当するセルのSystemInformationBlockType1においてfreqBandIndicatorを取得しようとする。
５＞該当するセルのSystemInformationBlockType1に複数の周波数帯インジケータが含まれる場合は、multiBandInfoListに含まれる付加的な周波数帯インジケータのリストを取得しようとする。
５＞該当するセルのSystemInformationBlockType1にfreqBandIndicatorPriorityが含まれる場合は、freqBandIndicatorPriorityを取得しようとする。
注２：「主」ＰＬＭＮは、グローバルセル識別の一部である。
３７．３＞関連するmeasObjectに含まれるcellForWhichToReportCGIにより示されたセルがＵＴＲＡＮセルである場合、
４＞該当するセルにおいて複数のＰＬＭＮ識別がブロードキャストされた場合は、ＬＡＣ、ＲＡＣ、及び付加的なＰＬＭＮ識別のリストを取得しようとする。
４＞該当するセルにおいてＣＳＧ識別がブロードキャストされた場合は、ＣＳＧ識別を取得しようとする。
３８．３＞関連するmeasObjectに含まれるcellForWhichToReportCGIにより示されたセルがＧＥＲＡＮセルである場合、
４＞該当するセルにおいてＲＡＣを取得しようとする。
３９．３＞関連するmeasObjectに含まれるcellForWhichToReportCGIにより示されたセルがＣＤＭＡ２０００セルであり、measObjectに含まれるcdma2000-TypeがtypeHRPDである場合、
４＞該当するセルにおいてセクターＩＤを取得しようとする。
４０．３＞関連するmeasObjectに含まれるcellForWhichToReportCGIにより示されたセルがＣＤＭＡ２０００セルであり、measObjectに含まれるcdma2000-Typeがtype1XRTTである場合、
４＞該当するセルにおいて基地局ＩＤ、ＳＩＤ、及びＮＩＤを取得しようとする。
２＞関連するreportConfigに対してul-DelayConfigが設定された場合、
４１．３＞measObjectを無視する。
４２．３＞ＰＤＣＰレイヤを設定して、ＱＣＩ当たりのＵＬ  ＰＤＣＰパケット遅延測定を実行する。
２＞そうでなければ、
４３．３＞測定ギャップ設定が行われた（setup）場合、又は
４４．３＞該当する測定の実行にＵＥが測定ギャップを必要としない場合、
４＞s-Measureが設定されていない場合、又は
４＞s-Measureが設定され、レイヤ３のフィルタリング後、ＰＣｅｌｌ  ＲＳＲＰがこの値よりも低い場合、又は
４＞関連するmeasObjectにおいてmeasDS-Configが設定された場合、
５＞ＵＥがＣＳＩ−ＲＳベースのディスカバリ信号測定をサポートする場合、及び
５＞関連するreportConfigのeventIdがeventC1若しくはeventC2に設定された場合又は関連するreportConfigにreportStrongestCSI-RSsが含まれる場合、
６＞該当するmeasObjectにおいて示された周波数に関してＣＳＩ−ＲＳリソースの対応する測定を実行し、該当するmeasObjectのmeasDS-Configに従って、ディスカバリ信号測定タイミング設定を適用する。
６＞関連するreportConfigにreportCRS-Measが含まれる場合は、以下のように、関連するmeasObjectにおいて示された周波数に関して隣接セルの対応する測定を実行する。
７＞主周波数上の隣接セルに関して、measSubframePatternConfigNeighが該当するmeasObjectにおいて設定された場合はこれに従って、時間領域測定リソース制限を適用する。
７＞該当するmeasObjectのmeasDS-Configに従って、ディスカバリ信号測定タイミング設定を適用する。
５＞そうでなければ、
６＞以下のように、関連するmeasObjectにおいて示された周波数及びＲＡＴに関して隣接セルの対応する測定を実行する。
７＞主周波数上の隣接セルに関して、measSubframePatternConfigNeighが該当するmeasObjectにおいて設定された場合はこれに従って、時間領域測定リソース制限を適用する。
７＞ＵＥがＣＲＳベースのディスカバリ信号測定をサポートする場合は、measDS-Configが該当するmeasObjectに設定された場合はこれに従って、ディスカバリ信号測定タイミング設定を適用する。
４＞関連するreportConfigにおいてue-RxTxTimeDiffPeriodicalが設定された場合、
５＞ＰＣｅｌｌに関して、ＵＥ  Ｒｘ−Ｔｘ時間差測定を実行する。
４＞関連するreportConfigにおいて、reportSSTD-Measがtrueに設定された場合、
５＞ＰＣｅｌｌとＰＳＣｅｌｌとの間でＳＳＴＤ測定を実行する。
４＞関連するreportConfigにおいてmeasRSSI-ReportConfigが設定された場合、
５＞関連するmeasObjectにおいて示された周波数に関してＲＳＳＩ及びチャネル占有測定を実行する。
２＞第５．５．４項に指定されるように、レポート基準の評価を実行する。
注３：s-Measureは、ＵＥが測定の実行を要する場合を規定する。ただし、ＵＥは、ＰＣｅｌｌ  ＲＳＲＰがs-Measureを超えた場合にも測定を実行することが許可され、例えば、ＴＳ  ３６．３０４［４］に規定されるように、自律検索機能の使用後にＣＳＧ識別をブロードキャストするセルを測定することが許可される。
注４：ＵＥは、例えばＴＳ  ２３．４０２［７５］に指定されるユーザ選好に基づく別のＷＬＡＮとの接続又はＷＬＡＮのオフに起因して、設定されたＷＬＡＮ測定を実行しなくてもよい。
５．５．３．２  レイヤ３フィルタリング
ＵＥは、
１＞第５．５．３．１項に従ってＵＥが測定を実行する各測定数量に関して、
注１：これは、ＵＥ  Ｒｘ−Ｔｘ時間差、ＳＳＴＤ測定及びＲＳＳＩ、チャネル占有測定、帯域、搬送波情報、有効流入容量、バックホール帯域幅、チャネル利用、及び基地局カウントのＷＬＡＮ測定、並びにＱＣＩ当たりのＵＬ  ＰＤＣＰパケット遅延測定すなわちＵＥがtriggerQuantity及びreportQuantityを無視する種類の測定に対してのみ設定された数量を含まない。
２＞レポート基準の評価又は測定レポートへの利用に先立って、以下の式により測定結果をフィルタリングする。
Ｆｎ＝（１−ａ）・Ｆｎ−１＋ａ・Ｍｎ
ここで、
Ｍｎは、物理レイヤから最後に受信された測定結果であり、
Ｆｎは、レポート基準の評価又は測定レポートに用いられる更新フィルタリング測定結果であり、
Ｆｎ−１は、古いフィルタリング測定結果であって、物理レイヤから最初の測定結果が受信された場合にＦ０がＭ１に設定され、
ａ＝１／２（ｋ／４）であって、ｋはquantityConfigにより受信された対応する測定数量のfilterCoefficientである。
２＞filterCoefficient  ｋが２００ｍｓに等しいサンプルレートを仮定していることを確認して、フィルタの時間特性が異なる入力レートで保たれるようにフィルタを適応させる。
注２：ｋが０に設定された場合は、レイヤ３フィルタリングを適用できない。
注３：フィルタリングは、レポート基準の評価又は測定レポートに用いられるのと同じ領域で実行される。すなわち、対数測定の場合の対数フィルタリングである。
注４：フィルタ入力レートは、実施態様によって決まり、［１６］に設定された実行要件を満たす。物理レイヤ測定の詳細については、ＴＳ  ３６．１３３［１６］を参照。
５．５．４  測定レポートの開始
５．５．４．１  概要
セキュリティが上手くアクティブ化された場合、ＵＥは、
１＞VarMeasConfig内のmeasIdListに含まれる各measIdに関して、
２＞reportStrongestCellsForSONに設定された目的を対応するreportConfigが含む場合、
４５．３＞関連する周波数上で検出された任意の隣接セルを適用可能と考える。
２＞或いは、reportCGIに設定された目的を対応するreportConfigが含む場合、
４６．３＞VarMeasConfig内の対応するmeasObjectに含まれるcellForWhichToReportCGIの値に一致した物理セル識別を有する関連する周波数／周波数セット（ＧＥＲＡＮ）上で検出された任意の隣接セルを適用可能と考える。
２＞そうでなければ、
４７．３＞対応するmeasObjectがＥ−ＵＴＲＡに関与する場合、
４＞対応するreportConfigにおいてue-RxTxTimeDiffPeriodicalが設定された場合、
５＞ＰＣｅｌｌのみを適用可能と考える。
４＞或いは、対応するreportConfigにおいて、reportSSTD-Measがtrueに設定された場合、
５＞ＰＳＣｅｌｌを適用可能と考える。
４＞或いは、対応するreportConfigにおいて、eventA1又はeventA2が設定された場合、
５＞サービングセルのみを適用可能と考える。
４＞或いは、対応するreportConfigにおいてeventC1若しくはeventC2が設定された場合又は対応するreportConfigにreportStrongestCSI-RSsが含まれる場合、
５＞このmeasIdに関して、VarMeasConfig内に規定されたmeasCSI-RS-ToAddModListに該当するＣＳＩ−ＲＳリソースが含まれる場合は、関連する周波数上のＣＳＩ−ＲＳリソースを適用可能と考える。
４＞或いは、対応するreportConfigにおいてmeasRSSI-ReportConfigが設定された場合、
５＞関連する周波数上でrmtc-Configにより示されたリソースを適用可能と考える。
４＞そうでなければ、
５＞useWhiteCellListがTRUEに設定された場合、
６＞このmeasIdに関して、VarMeasConfig内に規定されたwhiteCellsToAddModListに該当するセルが含まれる場合は、関連する周波数上で検出された任意の隣接セルを適用可能と考える。
５＞そうでなければ、
６＞このmeasIdに関して、VarMeasConfig内に規定されたblackCellsToAddModListに該当するセルが含まれない場合は、関連する周波数上で検出された任意の隣接セルを適用可能と考える。
５＞ある周波数上にサービングセルを伴い、別の周波数上に隣接セルを伴うイベントの場合、他方の周波数上のサービングセルを隣接セルと考える。
４＞対応するreportConfigがalternativetimeToTriggerを含み、ＵＥがalternativetimeToTriggerをサポートする場合、
５＞対応するmeasObjectのaltTTT-CellsToAddModListに含まれるセルの対応するreportConfigにおけるtimeToTriggerの値の代わりに、alternativetimeToTriggerの値を開始するための時間として使用する。
４８．３＞或いは、対応するmeasObjectがＵＴＲＡ又はＣＤＭＡ２０００に関与する場合、
４＞このmeasIdに関して、VarMeasConfig内に規定されたcellsToAddModListに該当するセルが含まれる場合（すなわち、セルがホワイトリストに含まれる場合）は、関連する周波数上の隣接セルを適用可能と考える。
注０：また、ＵＥは、対応するmeasObjectUTRAに設定された場合、このmeasIdに関して、VarMeasConfig内のcsg-allowedReportingCellsに該当するセルが含まれる場合（すなわち、レポートが許可された物理セル識別の範囲にセルが含まれる場合）は、関連するＵＴＲＡ周波数上の隣接セルを適用可能と考えるようにしてもよい。
４９．３＞或いは、対応するmeasObjectがＧＥＲＡＮに関与する場合、
４＞このmeasIdに関して、VarMeasConfig内に規定されたncc-Permittedに該当するセルが一致する場合は、関連する周波数セット上の隣接セルを適用可能と考える。
５０．３＞或いは、対応するmeasObjectがＷＬＡＮに関与する場合、
４＞このmeasIdに関して、wlan-Id-List内の少なくとも１つのエントリのすべてのＷＬＡＮ識別子にＷＬＡＮが一致する場合は、carrierFreqにより示された関連する周波数セット又はcarrierFreqが存在しない場合のすべてのＷＬＡＮ周波数上のＷＬＡＮを適用可能と考える。
２＞triggerTypeがイベントに設定されるとともに、VarMeasConfig内のこのイベントに関して規定されたtimeToTrigger中のレイヤ３フィルタリング後のすべての測定の１つ又は複数の適用可能なセルに対して、このイベントに適用可能なエントリ条件すなわちVarMeasConfig内の対応するreportConfigのeventIdに対応するイベントが満たされる一方、このmeasIdに関して、VarMeasReportListが測定レポートエントリを含まない（第１のセルがイベントを開始する）場合、
５１．３＞このmeasIdに関して、測定レポートエントリをVarMeasReportList内に含む。
５２．３＞このmeasIdに関して、VarMeasReportList内に規定されたnumberOfReportsSentを０に設定する。
５２．３＞このmeasIdに関して、VarMeasReportList内に規定されたcellsTriggerListに該当するセルを含む。
５４．３＞ＵＥがＴ３１２をサポートし、このイベントに関してuseT312が含まれ、Ｔ３１０が動作している場合、
４＞Ｔ３１２が動作していない場合、
５＞対応するmeasObjectに設定された値でタイマーＴ３１２を開始する。
５５．３＞第５．５．５項に指定されるように、測定レポート手順を開始する。
２＞triggerTypeがイベントに設定されるとともに、VarMeasConfig内のこのイベントに関して規定されたtimeToTrigger中のレイヤ３フィルタリング後のすべての測定のcellsTriggeredListに含まれない１つ又は複数の適用可能なセルに対して、このイベントに適用可能なエントリ条件すなわちVarMeasConfig内の対応するreportConfigのeventIdに対応するイベントが満たされる（次のセルがイベントを開始する）場合、
５６．３＞このmeasIdに関して、VarMeasReportList内に規定されたnumberOfReportsSentを０に設定する。
５７．３＞このmeasIdに関して、VarMeasReportList内に規定されたcellsTriggerListに該当するセルを含む。
５８．３＞ＵＥがＴ３１２をサポートし、このイベントに関してuseT312が含まれ、Ｔ３１０が動作している場合、
４＞Ｔ３１２が動作していない場合、
５＞対応するmeasObjectに設定された値でタイマーＴ３１２を開始する。
５９．３＞第５．５．５項に指定されるように、測定レポート手順を開始する。
２＞triggerTypeがイベントに設定されるとともに、このイベントのVarMeasConfig内に規定されたtimeToTrigger中のレイヤ３フィルタリング後のすべての測定に関して、このmeasIdのVarMeasReportList内に規定されたcellsTriggeredListに含まれるセルのうちの１つ又は複数に対して、このイベントに適用可能な中止条件（leaving  condition）が満たされる場合、
６０．３＞このmeasIdに関して、VarMeasReportList内に規定されたcellsTriggerListに該当するセルを除去する。
６１．３＞ＵＥがＴ３１２をサポートし、このイベントに関してuseT312が含まれ、Ｔ３１０が動作している場合、
４＞Ｔ３１２が動作していない場合、
５＞対応するmeasObjectに設定された値でタイマーＴ３１２を開始する。
６２．３＞対応するレポート設定に関してreportOnLeaveがTRUEに設定された場合又は対応するレポート設定に関してa6-ReportOnLeaveがTRUEに設定された場合、
４＞第５．５．５項に指定されるように、測定レポート手順を開始する。
６３．３＞このmeasIdに関して、VarMeasReportList内に規定されたcellsTriggeredListが空である場合、
４＞このmeasIdに関して、VarMeasReportList内の測定レポートエントリを除去する。
４＞このmeasIdに関して、周期的なレポートタイマーが動作している場合はこれを停止する。
２＞triggerTypeがイベントに設定されるとともに、VarMeasConfig内のこのイベントに関して規定されたtimeToTrigger中のレイヤ３フィルタリング後のすべての測定の１つ又は複数の適用可能なＣＳＩ−ＲＳリソースに対して、このイベントに適用可能なエントリ条件すなわちVarMeasConfig内の対応するreportConfigのeventIdに対応するイベントが満たされる一方、このmeasIdに関して、VarMeasReportListが測定レポートエントリを含まない（すなわち、第１のＣＳＩ−ＲＳリソースがイベントを開始する）場合、
６４．３＞このmeasIdに関して、測定レポートエントリをVarMeasReportList内に含む。
６５．３＞このmeasIdに関して、VarMeasReportList内に規定されたnumberOfReportsSentを０に設定する。
６６．３＞このmeasIdに関して、VarMeasReportList内に規定されたcsi-RS-TriggerListに該当するＣＳＩ−ＲＳリソースを含む。
６７．３＞第５．５．５項に指定されるように、測定レポート手順を開始する。
２＞triggerTypeがイベントに設定されるとともに、VarMeasConfig内のこのイベントに関して規定されたtimeToTrigger中のレイヤ３フィルタリング後のすべての測定のcsi-RS-TriggeredListに含まれない１つ又は複数の適用可能なＣＳＩ−ＲＳリソースに対して、このイベントに適用可能なエントリ条件すなわちVarMeasConfig内の対応するreportConfigのeventIdに対応するイベントが満たされる（すなわち、次のＣＳＩ−ＲＳリソースがイベントを開始する）場合、
６８．３＞このmeasIdに関して、VarMeasReportList内に規定されたnumberOfReportsSentを０に設定する。
６９．３＞このmeasIdに関して、VarMeasReportList内に規定されたcsi-RS-TriggerListに該当するＣＳＩ−ＲＳリソースを含む。
７０．３＞第５．５．５項に指定されるように、測定レポート手順を開始する。
２＞triggerTypeがイベントに設定されるとともに、このイベントのVarMeasConfig内に規定されたtimeToTrigger中のレイヤ３フィルタリング後のすべての測定に関して、このmeasIdのVarMeasReportList内に規定されたcsi-RS-TriggeredListに含まれるＣＳＩ−ＲＳリソースのうちの１つ又は複数に対して、このイベントに適用可能な中止条件が満たされる場合、
７１．３＞このmeasIdに関して、VarMeasReportList内に規定されたcsi-RS-TriggerList中の該当するＣＳＩ−ＲＳリソースを除去する。
７２．３＞対応するレポート設定に関してc1-ReportOnLeaveがTRUEに設定された場合又は対応するレポート設定に関してc2-ReportOnLeaveがTRUEに設定された場合、
４＞第５．５．５項に指定されるように、測定レポート手順を開始する。
７３．３＞このmeasIdに関して、VarMeasReportList内に規定されたcsi-RS-TriggeredListが空である場合、
４＞このmeasIdに関して、VarMeasReportList内の測定レポートエントリを除去する。
４＞このmeasIdに関して、周期的なレポートタイマーが動作している場合はこれを停止する。
２＞measRSSI-ReportConfigが含まれるとともに、（第１の）測定結果が利用可能な場合、
７４．３＞このmeasIdに関して、測定レポートエントリをVarMeasReportList内に含む。
７５．３＞このmeasIdに関して、VarMeasReportList内に規定されたnumberOfReportsSentを０に設定する。
７６．３＞第１のＬ１測定持続時間後、物理レイヤによってＲＳＳＩサンプル値が報告されたら直ちに、第５．５．５項に指定されるように、測定レポート手順を開始する。
２＞或いは、目的が含まれるとともにreportStrongestCells又はreportStrongestCellsForSONに設定され、（第１の）測定結果が利用可能な場合、
７７．３＞このmeasIdに関して、測定レポートエントリをVarMeasReportList内に含む。
７８．３＞このmeasIdに関して、VarMeasReportList内に規定されたnumberOfReportsSentを０に設定する。
７９．３＞目的がreportStrongestCellsに設定され、reportStrongestCSI-RSが含まれない場合、
４＞triggerTypeが周期性に設定され、対応するreportConfigがul-DelayConfigを含む場合、
５＞より低いレイヤによって第１の測定結果が報告された直後に、第５．５．５項に指定されるように、測定レポート手順を開始する。
４＞或いは、reportAmountが１を超えた場合、
５＞報告対象の数量をＰＣｅｌｌで利用可能となった直後に、第５．５．５項に指定されるように、測定レポート手順を開始する。
４＞或いは（すなわち、reportAmountが１に等しい場合）、
５＞報告対象の数量をＰＣｅｌｌ及び適用可能なセルのうちの最も強いセルで利用可能となった直後又はＳＳＴＤ測定においてＰＣｅｌｌ及びＰＳＣｅｌｌの対で利用可能となった直後に、第５．５．５項に指定されるように、測定レポート手順を開始する。
８０．３＞そうでなければ、
４＞関連する周波数上で最も強いセルを決定した場合は、第５．５．５項に指定されるように、測定レポート手順を開始する。
２＞このmeasIdに関して、周期的なレポートタイマーの満了に際して、
８１．３＞第５．５．５項に指定されるように、測定レポート手順を開始する。
２＞目的が含まれるとともにreportCGIに設定され、要求されたセルに関して、cgi-Infoのすべてのフィールドの設定に必要な情報をＵＥが取得した場合、
８２．３＞このmeasIdに関して、測定レポートエントリをVarMeasReportList内に含む。
８３．３＞このmeasIdに関して、VarMeasReportList内に規定されたnumberOfReportsSentを０に設定する。
８４．３＞タイマーＴ３２１を停止する。
８５．３＞第５．５．５項に指定されるように、測定レポート手順を開始する。
２＞このmeasIdに関して、Ｔ３２１の満了に際して、
８６．３＞このmeasIdに関して、測定レポートエントリをVarMeasReportList内に含む。
８７．３＞このmeasIdに関して、VarMeasReportList内に規定されたnumberOfReportsSentを０に設定する。
８８．３＞第５．５．５項に指定されるように、測定レポート手順を開始する。
注２：ＵＥは、ＰＣｅｌｌ  ＲＳＲＰがs-Measure以上であること又は測定ギャップが設定されていないことに起因して、対応する測定が実行されない間、triggerTypeがイベント又は周期性にセットされた周期的なレポートを停止しない。
注３：ＵＥにＤＲＸが設定された場合、ＵＥは、ＴＳ  ３６．３２１［６］に規定されたアクティブ時間まで、イベント開始測定及び周期的開始測定の測定レポートを遅延させるようにしてもよい。
５．５．４．２  イベントＡ１（サービングが閾値よりも良くなる）
ＵＥは、
１＞以下に指定されるように、条件Ａ１−１が満たされる場合、このイベントの開始条件が満足されるものと考える。
１＞以下に指定されるように、条件Ａ１−２が満たされる場合、このイベントの中止条件が満足されるものと考える。
１＞この測定の場合は、関連するmeasObjectEUTRAに示される周波数上で設定された主セル又は副セルをサービングセルと考える。
不等式Ａ１−１（開始条件）
Ｍｓ−Ｈｙｓ＞Ｔｈｒｅｓｈ
不等式Ａ１−２（中止条件）
Ｍｓ＋Ｈｙｓ＜Ｔｈｒｅｓｈ
式中の変数は、以下のように定義される。
Ｍｓは、オフセットを一切考慮しないサービングセルの測定結果である。
Ｈｙｓは、このイベントのヒステリシスパラメータ（すなわち、このイベントのreportConfigEUTRA内で規定されたヒステリシス）である。
Ｔｈｒｅｓｈは、このイベントの閾値パラメータ（すなわち、このイベントのreportConfigEUTRA内で規定されたa1-Threshold）である。
Ｍｓは、ＲＳＲＰの場合はｄＢｍで表され、ＲＳＲＱ及びＲＳ−ＳＩＮＲの場合はｄＢで表される。
Ｈｙｓは、ｄＢで表される。
Ｔｈｒｅｓｈは、Ｍｓと同じ単位で表される。
５．５．４．３  イベントＡ２（サービングが閾値よりも悪くなる）
ＵＥは、
１＞以下に指定されるように、条件Ａ２−１が満たされる場合、このイベントの開始条件が満足されるものと考える。
１＞以下に指定されるように、条件Ａ２−２が満たされる場合、このイベントの中止条件が満足されるものと考える。
１＞この測定の場合は、関連するmeasObjectEUTRAに示される周波数上で設定された主セル又は副セルをサービングセルと考える。
不等式Ａ２−１（開始条件）
Ｍｓ＋Ｈｙｓ＜Ｔｈｒｅｓｈ
不等式Ａ２−２（中止条件）
Ｍｓ−Ｈｙｓ＞Ｔｈｒｅｓｈ
式中の変数は、以下のように定義される。
Ｍｓは、オフセットを一切考慮しないサービングセルの測定結果である。
Ｈｙｓは、このイベントのヒステリシスパラメータ（すなわち、このイベントのreportConfigEUTRA内で規定されたヒステリシス）である。
Ｔｈｒｅｓｈは、このイベントの閾値パラメータ（すなわち、このイベントのreportConfigEUTRA内で規定されたa2-Threshold）である。
Ｍｓは、ＲＳＲＰの場合はｄＢｍで表され、ＲＳＲＱ及びＲＳ−ＳＩＮＲの場合はｄＢで表される。
Ｈｙｓは、ｄＢで表される。
Ｔｈｒｅｓｈは、Ｍｓと同じ単位で表される。
５．５．４．４  イベントＡ３（隣接がＰＣｅｌｌ／ＰＳＣｅｌｌよりもオフセットだけ良くなる）
ＵＥは、
１＞以下に指定されるように、条件Ａ３−１が満たされる場合、このイベントの開始条件が満足されるものと考える。
１＞以下に指定されるように、条件Ａ３−２が満たされる場合、このイベントの中止条件が満足されるものと考える。
１＞対応するreportConfigのusePSCellがtrueに設定された場合、
２＞Ｍｐ、Ｏｆｐ、及びＯｃｐにＰＳＣｅｌｌを使用する。
１＞そうでなければ、
２＞Ｍｐ、Ｏｆｐ、及びＯｃｐにＰＣｅｌｌを使用する。
注：イベントを開始するセルは、ＰＣｅｌｌ／ＰＳＣｅｌｌによって用いられる周波数と異なり得る関連measObjectに示された周波数上にある。
不等式Ａ３−１（開始条件）
Ｍｎ＋Ｏｆｎ＋Ｏｃｎ−Ｈｙｓ＞Ｍｐ＋Ｏｆｐ＋Ｏｃｐ＋Ｏｆｆ
不等式Ａ３−２（中止条件）
Ｍｎ＋Ｏｆｎ＋Ｏｃｎ＋Ｈｙｓ＜Ｍｐ＋Ｏｆｐ＋Ｏｃｐ＋Ｏｆｆ
式中の変数は、以下のように定義される。
Ｍｎは、オフセットを一切考慮しない隣接セルの測定結果である。
Ｏｆｎは、隣接セルの周波数の周波数固有のオフセット（すなわち、隣接セルの周波数に対応するmeasObjectEUTRA内に規定されたoffsetFreq）である。
Ｏｃｎは、隣接セルのセル固有のオフセット（すなわち、隣接セルの周波数に対応するmeasObjectEUTRA内に規定されたcellIndividualOffset）であり、隣接セルに対して設定されていない場合はゼロに設定される。
Ｍｐは、オフセットを一切考慮しないＰＣｅｌｌ／ＰＳＣｅｌｌの測定結果である。
Ｏｆｐは、ＰＣｅｌｌ／ＰＳＣｅｌｌの周波数の周波数固有のオフセット（すなわち、ＰＣｅｌｌ／ＰＳＣｅｌｌの周波数に対応するmeasObjectEUTRA内に規定されたoffsetFreq）である。
Ｏｃｐは、ＰＣｅｌｌ／ＰＳＣｅｌｌのセル固有のオフセット（すなわち、ＰＣｅｌｌ／ＰＳＣｅｌｌの周波数に対応するmeasObjectEUTRA内に規定されたcellIndividualOffset）であり、ＰＣｅｌｌ／ＰＳＣｅｌｌに対して設定されていない場合はゼロに設定される。
Ｈｙｓは、このイベントのヒステリシスパラメータ（すなわち、このイベントのreportConfigEUTRA内で規定されたヒステリシス）である。
Ｏｆｆは、このイベントのオフセットパラメータ（すなわち、このイベントのreportConfigEUTRA内で規定されたa3-Offset）である。
Ｍｎ、Ｍｐは、ＲＳＲＰの場合はｄＢｍで表され、ＲＳＲＱ及びＲＳ−ＳＩＮＲの場合はｄＢで表される。
Ｏｆｎ、Ｏｃｎ、Ｏｆｐ、Ｏｃｐ、Ｈｙｓ、Ｏｆｆは、ｄＢで表される。
＜・・・＞
５．３  ＤＬ−ＳＣＨデータ転送
５．３．１  ＤＬ割り当て受信
ＰＤＣＣＨ上で送信されたダウンリンク割り当ては、特定のＭＡＣエンティティに関してＤＬ−ＳＣＨ上の送信が存在するか否かを示しており、関連するＨＡＲＱ情報を提供する。
ＭＡＣエンティティがＣ−ＲＮＴＩ、半持続性スケジューリングＣ−ＲＮＴＩ、又は一時的Ｃ−ＲＮＴＩを有する場合、ＭＡＣエンティティは、ＰＤＣＣＨをモニタリングする各ＴＴＩ及び各サービングセルに対して、
−  このＴＴＩ及びこのサービングセルのダウンリンク割り当てがＭＡＣエンティティのＣ−ＲＮＴＩ又は一時的Ｃ−ＲＮＴＩに関してＰＤＣＣＨ上で受信されている場合、
−この一時的Ｃ−ＲＮＴＩの最初のダウンリンク割り当てである場合は、
●−  ＮＤＩが切り換えられているものと考える。
−  ダウンリンク割り当てがＭＡＣエンティティのＣ−ＲＮＴＩ用であり、同じＨＡＲＱプロセスのＨＡＲＱエンティティに対して示された過去のダウンリンク割り当てが、ＭＡＣエンティティの半持続性スケジューリングＣ−ＲＮＴＩに関して受信されたダウンリンク割り当て又は設定されたダウンリンク割り当てであった場合、
●−  ＮＤＩの値に関わらず、ＮＤＩが切り換えられているものと考える。
−  ダウンリンク割り当ての存在を示すとともに、このＴＴＩにおいて、関連するＨＡＲＱ情報をＨＡＲＱエンティティに伝達する。
−  或いは、このサービングセルがＳｐＣｅｌｌであり、ＭＡＣエンティティの半持続性スケジューリングＣ−ＲＮＴＩに関して、このＴＴＩのダウンリンク割り当てがＳｐＣｅｌｌのＰＤＣＣＨ上でＳｐＣｅｌｌに対して受信されている場合、
−  受信ＨＡＲＱ情報におけるＮＤＩが１である場合、
●−  ＮＤＩが切り換えられていないものと考える。
●−  ダウンリンク割り当ての存在を示すとともに、このＴＴＩにおいて、関連するＨＡＲＱ情報をＨＡＲＱエンティティに伝達する。
−  或いは、受信ＨＡＲＱ情報におけるＮＤＩが０である場合、
●−  ＰＤＣＣＨコンテンツがＳＰＳリリースを示す場合、
−  設定ダウンリンク割り当てをクリアする（存在する場合）。
−  ｐＴＡＧと関連付けられたtimeAlignmentTimerが動作している場合、
−  物理レイヤに対するダウンリンクＳＰＳリリースの肯定応答を示す。
●−  そうでなければ、
−  ダウンリンク割り当て及び関連するＨＡＲＱ情報を設定ダウンリンク割り当てとして格納する。
−  このＴＴＩで開始するとともに第５．１０．１項の規則に従って再度発生するように、設定ダウンリンク割り当てを初期化（アクティブでない場合）又は再初期化（既にアクティブの場合）する。
−  ＨＡＲＱプロセスＩＤをこのＴＴＩと関連付けられたＨＡＲＱプロセスＩＤに設定する。
−  ＮＤＩビットが切り換えられているものと考える。
−  設定されたダウンリンク割り当ての存在を示すとともに、このＴＴＩにおいて、格納されたＨＡＲＱ情報をＨＡＲＱエンティティに伝達する。
−  或いは、このサービングセルがＳｐＣｅｌｌであり、このＴＴＩのダウンリンク割り当てがＳｐＣｅｌｌに対して設定されるとともに、このＴＴＩに測定ギャップが存在せず、このＴＴＩに受信用のサイドリンクディスカバリギャップが存在しない場合、
−  このＴＴＩがＳｐＣｅｌｌのＭＢＳＦＮサブフレームでない場合又はＭＡＣエンティティにＳｐＣｅｌｌ上の送信モードtm9又はtm10が設定された場合、
−  このＴＴＩにおいて、設定ダウンリンク割り当てに従ってＤＬ−ＳＣＨ上で伝送ブロックを受信するとともに、ＨＡＲＱエンティティに伝達するように物理レイヤに命令する。
−  ＨＡＲＱプロセスＩＤをこのＴＴＩと関連付けられたＨＡＲＱプロセスＩＤに設定する。
−  ＮＤＩビットが切り換えられているものと考える。
−  設定されたダウンリンク割り当ての存在を示すとともに、このＴＴＩにおいて、格納されたＨＡＲＱ情報をＨＡＲＱエンティティに伝達する。
設定ダウンリンク割り当てに関して、このＴＴＩと関連付けられたＨＡＲＱプロセスＩＤは、以下の式により導出される。
ＨＡＲＱプロセスＩＤ＝［ｆｌｏｏｒ（ＣＵＲＲＥＮＴ＿ＴＴＩ／semiPersistSchedIntervalDL）］  ｍｏｄｕｌｏ  numberOfConfSPS-Processes
ここで、ＣＵＲＲＥＮＴ＿ＴＴＩ＝［（ＳＦＮ＊１０）＋サブフレーム番号］である。
ＭＡＣエンティティがＢＣＣＨを読む必要がある場合、ＭＡＣエンティティは、ＲＲＣからのスケジューリング情報に基づいて、
−  このＴＴＩのダウンリンク割り当てがＳＩ−ＲＮＴＩのＰＤＣＣＨ上で受信されている場合、
−  冗長バージョンがＰＤＣＣＨフォーマットに規定されていない場合、
●−  このＴＴＩの受信ダウンリンク割り当ての冗長バージョンは、ＲＶＫ＝ｃｅｉｌｉｎｇ（３／２＊ｋ）  ｍｏｄｕｌｏ  ４により決定され、ｋはシステム情報メッセージの種類によって決まり、SystemInformationBlockType1メッセージの場合はｋ＝（ＳＦＮ／２）  ｍｏｄｕｌｏ  ４であり、ＳＦＮはシステムフレーム番号であって、SystemInformationメッセージの場合はｋ＝ｉ  ｍｏｄｕｌｏ  ４、ｉ  ＝０、１、・・・、ｎｓｗ−１であり、ｉはＳＩウィンドウｎｓｗ内のサブフレーム番号を表す。
−  このＴＴＩのＨＡＲＱエンティティに対する専用ブロードキャストＨＡＲＱプロセスのダウンリンク割り当て及び冗長バージョンを示す。
ＭＡＣエンティティがＳＣ−ＲＮＴＩ及び／又はＧ−ＲＮＴＩを有する場合、ＭＡＣエンティティは、ＰＤＣＣＨをモニタリングする各ＴＴＩにおいて、［８］に指定されるＳＣ−ＲＮＴＩ及び第５．７ａ項に指定されるＧ−ＲＮＴＩ及び各サービングセルの場合に、
−  このＴＴＩ及びこのサービングセルのダウンリンク割り当てがＭＡＣエンティティのＳＣ−ＲＮＴＩ又はＧ−ＲＮＴＩに関してＰＤＣＣＨ上で受信されている場合、
−  受信データを復号化しようとする。
−  ＭＡＣエンティティが復号化しようとしたデータがこのＴＢに関して上手く復号化された場合、
−  復号化されたＭＡＣ  ＰＤＵを分解・逆多重化エンティティに伝達する。
＜・・・＞
８．１．２．１  ＵＥ測定能力
周波数間及び／又はＲＡＴ間セルを識別及び測定するのにＵＥが測定ギャップを要する場合、以下の各項における要件が当てはまるように、Ｅ−ＵＴＲＡＮは、すべての周波数レイヤ及びＲＡＴの同時モニタリングのため、ギャップ持続時間が一定の単一の測定ギャップパターンを提供する必要がある。
測定ギャップにおいて、ＵＥは、
−  如何なるデータも送信しないものとし、
−  ＰＣｅｌｌ及び任意のＳｃｅｌｌのＥ−ＵＴＲＡＮは搬送波周波数のいずれにおいても、その受信機の調節が期待されず、
−  ＰＣｅｌｌ、ＰＳＣｅｌｌ、及びＳｃｅｌｌのＥ−ＵＴＲＡＮは搬送波周波数のいずれにおいても、その受信機の調節が期待されない。
デュアルコネクティビティをサポートするＵＥにＰＳＣｅｌｌが設定された場合、図３２（３ＧＰＰ  ＴＳ  ３６．１３３  Ｖ１３．４．０の図８．１．２．１−１の再現）に示される総中断時間において、ＵＥは、ＳＣＧにおいて、如何なるデータも送受信しないものとする。
測定ギャップの直後に発生するアップリンクサブフレームにおいて、
−  以下の条件が満たされる場合は、ＵＥがデータを送信可能であるか否かはＵＥの実施態様次第である。
−−  すべてのサービングセルがＥ−ＵＴＲＡＮ  ＴＤＤに属する。
−−  測定ギャップの直前に発生するサブフレームがアップリンクサブフレームである場合。
−  それ以外の場合、ＵＥは、データを一切送信しないものとする。
測定ギャップの直後に発生するアップリンクサブフレームにおける上記ＵＥ挙動の決定において、ＵＥは、特殊サブフレームが測定ギャップの直前に発生する場合、特殊サブフレームをアップリンクサブフレームとして取り扱うものとする。本項における周波数間及びＲＡＴ間測定要件は、ギャップなしで測定を実施できるものとＵＥがシグナリングしてない場合、１つの測定ギャップパターンが設定されたＵＥに依拠する。ＵＥは、その測定能力に関連する図３１（３ＧＰＰ  ＴＳ  ３６．１３３  Ｖ１３．４．０の表８．１．２．１−１の再現）に一覧化された測定ギャップパターンのみをサポートするものとする。
Ｐｒｏｓｅ可能なＵＥは、周波数間及びＲＡＴ間測定に関して第８項に指定された要件が満たされる場合、測定に用いられない測定ギャップにおいてＰｒｏＳｅ送信を実行することが許可される。
注１：周波数間ＲＳＴＤ測定が設定され、このような測定の実行のためにＵＥが測定ギャップを要する場合は、ギャップパターン０のみ使用可能である。周波数間及びＲＡＴ間要件の規定のため、Ｔｉｎｔｅｒ１＝３０ｍｓが仮定されるものとする。
注２：測定ギャップは、ＭＣＧサービングセルサブフレームのうち、測定ギャップの直前に発生する最後のサブフレームの最後に開始となる。
注３：ＭＧＬは、調節開始から再調節終了までの時間であり、ＭＣＧとＳＣＧとの間に置かれている。
注４：同期デュアルコネクティビティの場合、ＳＣＧ上の総中断時間は６つのサブフレームであり、非同期デュアルコネクティビティの場合、ＳＣＧ上の総中断時間は７つのサブフレームである。図３２（３ＧＰＰ  ＴＳ  ３６．１３３  Ｖ１３．４．０の図８．１．２．１−１の再現）に示されるように、同期デュアルコネクティビティの場合はｊ＋１〜ｊ＋６のＳＣＧサブフレームと併せて、非同期デュアルコネクティビティの場合はｊ＋１〜ｊ＋７のＳＣＧサブフレームと併せて、ｉ＋１〜ｉ＋６のＭＣＧサブフレームが総中断時間に含まれる。
注５：図８．１．２．１−１（ｂ）に示される非同期デュアルコネクティビティの場合は、サブフレームｊがＳＣＧに関して測定ギャップの直前に発生するサブフレームと見なされ、同様に、サブフレームｊ＋８がＳＣＧに関して測定ギャップの直後に発生するサブフレームと見なされる。
ギャップなしで周波数間及び／又はＲＡＴ間セルを識別及び測定可能なＵＥは、ギャップパターンＩＤ＃０が用いられた場合のように、要件に従うものとし、対応する要件に対して、６０ｍｓの最小有効時間Ｔｉｎｔｅｒ１が仮定されるものとする。
最大４つのＳＣＣが設定された場合にＥ−ＵＴＲＡキャリアアグリゲーションをサポートするＵＥがＰＣＣ上のセルの測定、周波数間測定、又はＲＡＴ間測定を実行しており、第８．３項に従って非アクティブ化ＳＣｅｌｌによりＳＣＣ上のセルに実行される測定のため、ＰＣｅｌｌ又は任意の非アクティブ化ＳＣｅｌｌ又は両者で中断が発生する場合、ＵＥは、各測定に関して第８項及び第９項に指定される要件を満足するものとする。
ＰＳＣｅｌｌが設定された場合にＥ−ＵＴＲＡデュアルコネクティビティをサポートするＵＥがＰＣＣ上のセルの測定、周波数間測定、又はＲＡＴ間測定を実行している場合、ＵＥは、各測定に関して第８項及び第９項に指定される要件を満足するものとする。
［２，３１］の能力に従って増大ＵＥ搬送波モニタリングＥ−ＵＴＲＡへのサポートを示すとともに、ギャップなしで周波数間及び／又はＲＡＴ間セルを識別及び測定可能なＵＥは、第８．１．２．１．１．１ａ項に規定される最大レイヤ数をモニタリング可能であるとともに、第８．１．２．１．１ａ項に係る設定搬送波の要件に対して、緩和を規定するMeasScaleFactor［２］を提供可能である。
【００３６】
ＮＲに関しては、下位互換性が必ずしも求められない。ヌメロロジを調整可能であるため、ＴＴＩのシンボル数を減らすことだけがＴＴＩ長を変更する手段とはならない。一例として、ＬＴＥヌメロロジを使用する場合、これは、１ｍｓに１４個のＯＦＤＭシンボルを含み、副搬送波間隔が１５ｋＨｚである。同じ高速フーリエ変換（ＦＦＴ）サイズ及び同じ巡回プレフィックス（ＣＰ）構造を仮定して、副搬送波間隔が３０ｋＨｚになると、１ｍｓのＯＦＤＭシンボル数は２８個となる。同等に、ＴＴＩ中のＯＦＤＭシンボルが同数に保たれると、ＴＴＩは０．５ｍｓになる。これは、副搬送波間隔に対するスケーラビリティを良好にして、異なるＴＴＩ長間の設計を共通に保てることを示唆している。当然のことながら、ＦＦＴサイズ、物理リソースブロック（ＰＲＢ）の定義／数、ＣＰの設計、又はサポート可能なシステム帯域幅等、副搬送波間隔の選択には常に、トレードオフが存在する。ＮＲは、より大きなシステム帯域幅及びより大きなコヒーレンス帯域幅を考慮しているものの、より大きな副搬送波間隔を含むことも考えられる。
【００３７】
上述の通り、単一のヌメロロジで多様な要件をすべて満たすのは非常に難しい。したがって、初期の３ＧＰＰ  ＲＡＮ１ミーティングでは、２つ以上のヌメロロジの採用が認められた。標準化及び実装の試みのほか、様々なヌメロロジ間の多重化能力も考慮して、様々なヌメロロジ間には、整数倍関係等の何らかの関係があると有益である。３ＧＰＰミーティングにおいては、複数のヌメロロジファミリが立ち上げられており、１つのヌメロロジファミリはＬＴＥ  １５ｋＨｚに基づくが、他のヌメロロジ（以下に開示される選択肢２〜４を参照）では、１ｍｓに２のＮ乗個のシンボルが可能である。
・  ＮＲの場合、２つ以上の副搬送波間隔の値をサポートする必要がある。
−  副搬送波間隔の値は、副搬送波間隔の特定の値に整数Ｎを乗じて導出される。
・  選択肢１：副搬送波間隔の値には、１５ｋＨｚの副搬送波間隔を含む（すなわち、ＬＴＥベースのヌメロロジ）。
・  選択肢２：副搬送波間隔の値には、ＣＰ長を含むシンボル持続時間が均一な１７．５ｋＨｚの副搬送波間隔を含む。
・  選択肢３：副搬送波間隔の値には、ＣＰ長を含むシンボル持続時間が均一な１７．０６ｋＨｚの副搬送波間隔を含む。
・  選択肢４：副搬送波間隔の値は、２１．３３ｋＨｚである。
・  注：他の選択肢も除外されない。
・別途検討事項（ＦＦＳ）：Ｎの特定値及び可能値の厳密値
−  考え得る副搬送波間隔の値は、ＲＡＮ１＃８５において、さらに狭められる。
【００３８】
また、３ＧＰＰ  ＲＡＮ１ミーティングにおいては、所与のヌメロロジファミリの乗数に対する制限が存在するか否かについても論じられた。２の指数（以下に開示される選択肢１）は、異なるヌメロロジが時間領域で多重化される場合に大きなオーバヘッドを導入することなく、異なるヌメロロジを容易に多重化可能であることから、何らかの関心を引いた。
ＲＡＮ１は、さらに検討を続け、次のミーティングにおいて、以下の選択肢の間で結論を見出す。
−  選択肢１：
＞  ＮＲスケーラブルなヌメロロジの副搬送波間隔は、以下のようにスケーリングされるものとする。
＞  ｆｓｃ＝ｆ０＊２ｍ
＞  ここで、
−  ｆ０は、ＦＦＳであり、
−  ｍは、考え得る値の集合から選定される整数である。
選択肢２：
＞  ＮＲスケーラブルなヌメロロジの副搬送波間隔は、以下のようにスケーリングされるものとする。
＞  ｆｓｃ＝ｆ０＊Ｍ
＞  ここで、
＞  ｆ０は、ＦＦＳであり、
＞  Ｍは、考え得る正の値の集合から選定される整数である。
【００３９】
通例、ＲＡＮ１は、帯域に依存せず作用するため、方式／特徴は、すべての周波数帯に適用可能と仮定される。以下のＲＡＮ４において、グループは、一部の組み合わせが非現実的であるか否か、又は、展開が合理的になされ得るか否かを考慮した関連する試験ケースを導出する。この規則は、ＮＲにおいても依然として仮定されるが、ＮＲの周波数範囲がかなり高いため、制約が存在すると見る企業もある。
ＮＲの研究に関して、ＲＡＮ１は、複数の（ただし、必ずしもすべてではない）ＯＦＤＭヌメロロジが同じ周波数範囲に当てはまり得ると仮定している。
注：ＲＡＮ１は、非常に低い値の副搬送波間隔を非常に高い搬送波周波数に適用することは仮定していない。
【００４０】
上述のＮＲ用途では、データレート、待ち時間、及びサービスエリアの観点で、多様な要件がある。高度モバイルブロードバンド（ｅＭＢＢ）は、国際モバイル通信（ＩＭＴ）アドバンストの３倍程度のピークデータレート（ダウンリンクで２０Ｇｂｐｓ、アップリンクで１０Ｇｂｐｓ）及びユーザ体験データレートをサポートすることが期待される。一方、超高信頼性低遅延通信（ＵＲＬＬＣ）の場合は、超低遅延（ユーザプレーン待ち時間に関して、ＵＬ及びＤＬそれぞれで０．５ｍｓ）及び高信頼性（１ｍｓ内に１−１０−５）に関するより厳しい要件が課される。最後に、大規模マシンタイプ通信（ｍＭＴＣ）では、高接続密度（都市環境において１，０００，０００機器／ｋｍ２）、過酷環境における大きなサービスエリア（［１６４ｄＢ］最大結合損失（ＭＣＬ））、及び機器の低コスト化のための極長寿命バッテリ（１５年）を必要とする。
【００４１】
一選択肢としては、用途固有の要件に従って様々な副搬送波の値が選定される単一のシステム帯域幅において副搬送波ヌメロロジが異なる（すなわち、副搬送波間隔の値が異なり、それに対応して、ＯＦＤＭシンボル長が異なる）サブフレーム及び／又はサブバンドに対して、様々な種類のＦＤＭ／ＴＤＭがある。この場合、ＵＥには、場合により当該ＵＥの能力、ＵＥのカテゴリ、及びＵＥにサポートされる用途に応じて、単一の副搬送波ヌメロロジが設定されていてもよいし、複数の副搬送波ヌメロロジが設定されていてもよい。
【００４２】
ネットワークは、１００ＭＨｚ又は２００ＭＨｚ等、システム帯域幅全体の特定の帯域幅及び特定の周波数位置に所与のヌメロロジを与えていてもよい。帯域幅及び周波数位置は、図３３に示されるように、各ヌメロロジに求められるトラヒック量等の特定の条件に従って調整されるようになっていてもよい。なお、図３３は、例示を目的としているに過ぎず、所与のヌメロロジの帯域幅は、周波数領域においても同様に、不連続であってもよい。リソース配分と関連付けられたデータ送信の場合、ＵＥは、配分リソースの外側のヌメロロジを把握することなく、適正なヌメロロジで配分リソース上のデータを受信可能であることから、正確なヌメロロジ帯域幅を必要としない。したがって、ヌメロロジのリソース配分を導出するように仮定された帯域幅は、当該帯域幅全体のすべてのリソースブロックにヌメロロジを含んでいなくてもよい。ＵＥは、特定の帯域幅にわたる測定の実行を要する場合があり、所与のリソースブロックに適用されるヌメロロジを決定する方法を考える必要がある。
【００４３】
例示的な一実施形態の第１の態様において、ＵＥは、特定のヌメロロジで測定を実行する。一実施形態において、この特定のヌメロロジは、ＵＥによってデータ受信に用いられるヌメロロジとは異なる。
【００４４】
例示的な一実施形態の第２の態様においては、様々な種類の測定が様々なヌメロロジで実行される。一態様においては、いくつかの種類の測定が第１のヌメロロジ上で実行され、いくつかの種類の測定が第２のヌメロロジ上で実行される。別の態様において、第１のヌメロロジは、ＵＥが同期信号を検出する特定のヌメロロジである。さらに別の態様において、第２のヌメロロジは、データ送信用に設定されたヌメロロジである。
【００４５】
例示的な一実施形態の第３の態様においては、ＵＥに対して２つの帯域幅が設定される。第１の帯域幅は、データ受信用のリソース配分の導出に利用される。第２の帯域幅は、測定の実行に利用される。
【００４６】
例示的な一実施形態の第４の態様においては、周波数リソース内で、測定用のデータチャネル及び基準信号が異なるヌメロロジを有する。より具体的に、基準信号は、システム帯域幅全体にわたって、信号ヌメロロジを利用する。異なる周波数リソース上の異なるＵＥのデータチャネルは、異なるヌメロロジを使用する。
【００４７】
例示的な一実施形態の第５の態様において、ＵＥは、その情報に従って、対応するヌメロロジで測定を実行し、ネットワークは、誤ったヌメロロジ情報から導出された結果を省略又は無視する。
【００４８】
例示的な一実施形態の第６の態様においては、測定用の基準信号が送信されたサブフレームにおけるリソース配分を導出する帯域幅内でネットワークが送信可能であるという制約がヌメロロジに存在する。例えば、基準信号が送信されたサブフレームにおいて、ネットワークは、ＵＥのリソース配分の導出に用いられた帯域幅を介して、ＵＥ用に設定されたヌメロロジを送信するものとする。代替的には、基準信号が送信されていないサブフレームにおいて、ネットワークは、ＵＥのリソース配分の導出に用いられた帯域幅内のリソースブロック上で、ＵＥがそのリソースブロック上でデータ受信を実行していない限り、ＵＥ用に設定されたヌメロロジと異なる別のヌメロロジを送信可能である。
【００４９】
例示的な一実施形態の第７の態様において、ＵＥは、考え得るすべてのヌメロロジを仮定した測定を実行する。一実施形態において、ＵＥは、考え得るすべてのヌメロロジに従って、測定結果を生成するとともに、どのヌメロロジが正しいものか決定する。そして、正しいヌメロロジと関連付けられた結果は、測定の次のレポートにおいて考慮／送信される。
【００５０】
当業者には当然のことながら、上記開示された態様のいずれかの組み合わせによって、新しい方法を構成し得ることも考えられる。
【００５１】
一実施形態において、ＵＥは、第１のヌメロロジでデータを受信し、第２のヌメロロジで測定を実行する。一選択肢において、第１のヌメロロジ及び第２のヌメロロジは、異なるヌメロロジである。別の選択肢において、第１のヌメロロジは、ネットワークによって設定される。さらに別の選択肢において、第１のヌメロロジの送信に用いられるリソースは、ネットワークによって配分される。別の選択肢において、第２のヌメロロジは、所定のヌメロロジである。より具体的に、所定のヌメロロジは、既定ヌメロロジ等、同期の実行に用いられるヌメロロジである。
【００５２】
一実施形態において、測定は、特定の時間周波数リソース上で実行される。より具体的に、この時間周波数リソースは、同期信号から導出される。代替的には、時間周波数リソースは、同期信号送信の時間周波数リソースと同じである。別の選択肢において、時間周波数リソースは、物理ブロードキャストチャネル（ＰＢＣＨ）に関する情報等のシステム情報から導出される。別の選択肢において、時間周波数リソースは、ＰＢＣＨ送信用の時間周波数リソース等、システム情報送信用の時間周波数リソースと同じである。
【００５３】
一実施形態において、ＵＥが第２のヌメロロジ上で測定を実行する場合は、データ受信が利用不可能であってもよい。より具体的に、ＵＥは、測定が実行される場合、ダウンリンク制御チャネルをモニタリングしない。代替的には、測定が実行される場合、ＵＥには、測定ギャップが設定される。一選択肢において、測定は、無線リンクモニタリング（ＲＬＭ）測定である。代替的には、測定は、無線リソース管理（ＲＲＭ）測定である。別の選択肢において、ＲＲＭ測定は、周波数内ＲＲＭ測定である。
【００５４】
別の実施形態においては、第１の種類の測定が第１のヌメロロジで実行され、第２の種類の測定が第２のヌメロロジで実行される。一実施形態において、第１のヌメロロジ及び第２のヌメロロジは、異なる。一実施形態において、第１のヌメロロジは、所定のヌメロロジである。
【００５５】
より具体的に、所定のヌメロロジは、デフォルトのヌメロロジ等、同期の実行に用いられるヌメロロジである。一実施形態において、第１の測定は、特定の時間周波数リソース上で実行される。別の実施形態において、この時間周波数リソースは、同期信号から導出される。一実施形態において、時間周波数リソースは、同期信号送信の時間周波数リソースと同じである。代替的には、時間周波数リソースは、ＰＢＣＨに関する情報等のシステム情報から導出される。より具体的に、時間周波数リソースは、ＰＢＣＨ送信用の時間周波数リソース等、システム情報送信用の時間周波数リソースと同じである。一実施形態において、第１の種類の測定は、無線リンクモニタリング（ＲＬＭ）測定である。別の実施形態において、第１の種類の測定は、無線リソース管理（ＲＲＭ）測定である。
【００５６】
一実施形態において、第２のヌメロロジは、データ受信用に設定されたヌメロロジである。代替的には、第２の種類の測定は、チャネル状態情報（ＣＳＩ）測定である。別の選択肢において、第２の種類の測定は、ＣＳＩ−ＲＳが設定された時間領域リソースで実行される。さらに別の実施形態において、第２の種類の測定は、システム帯域幅全体にわたって実行される。代替的には、第２に種類の測定は、ネットワークにより設定された帯域幅にわたって実行される。
【００５７】
別の実施形態において、基準信号は、システム帯域幅全体にわたって、単一のヌメロロジで送信される。より具体的に、同じ周波数リソース内のデータチャネルに用いられるヌメロロジに関わらず、単一のヌメロロジが送信される。例えば、同じ周波数リソース内で、基準信号及びデータチャネルは異なるヌメロロジを有する。
【００５８】
一実施形態において、基準信号及びデータチャネルは時間領域において多重化され、例えば、異なるシンボル上で別個に送信される。例えば、制御チャネルは、単一のヌメロロジを使用し、同じシンボル上で基準信号と多重化される。別の実施形態において、データチャネル及び基準信号は、同じリソース、例えば、同じシンボル上で多重化される。例えば、周波数領域においては、データチャネルのヌメロロジ及び基準信号のヌメロロジが異なる何らかの余裕が未使用で残されている。例えば、ＵＥは、データチャネルのレートマッチングを実行する場合、未使用リソースの周囲でレートマッチングするものとする（例えば、未使用リソースを受信しない）。
【００５９】
本実施形態のいくつかの例示が図３４〜図３６に示される。なお、図３４〜図３６においては、例示を目的として、基準信号がヌメロロジ４で送信されるが、すべてのサポートされるヌメロロジのうち、その他任意のヌメロロジを使用することができる。また、図３４において、制御シンボルは、すべての周波数領域に関して、異なるヌメロロジのデータチャネルと同じ数である。また、異なる周波数領域が異なる数の制御シンボルを有することも可能であり、例えば、データヌメロロジ領域ごとに、制御シンボル数が同じである。一実施形態において、ＵＥは、基準信号で測定を実行する。一実施形態において、測定は、ＣＳＩ測定であってもよい。
【００６０】
別の実施形態において、ＵＥには、２つの帯域幅が設定される。第１の帯域は、リソース配分を導出し、第２の帯域幅は、測定の実行に用いられる。一実施形態において、測定は、ＣＳＩ測定である。一実施形態において、ＵＥは、第２の帯域幅においてＣＳＩ測定を実行する。別の実施形態において、第２の帯域幅は、ＵＥ用に設定されたヌメロロジの最大帯域幅である。
【００６１】
一実施形態において、ＵＥには、セルの総システム帯域幅である第３の帯域幅が設定される。一実施形態において、第１の帯域幅及び第２の帯域幅は、第３の帯域幅内である。別の実施形態において、第１の帯域幅及び第２の帯域幅は、互いに重なる。さらに別の実施形態において、第２の帯域幅は、第１の帯域幅内である。すなわち、第２の帯域幅は、第１の帯域幅のリソースサブセットである。
【００６２】
別の実施形態において、ＣＳＩ−ＲＳは、複数のヌメロロジで送信されるようになっていてもよい。一実施形態において、ＣＳＩ−ＲＳヌメロロジ帯域幅は、ＲＲＣの設定帯域幅に従う。別の実施形態において、ＲＲＣの設定帯域幅は、ヌメロロジの一部又は全部に関する帯域幅の位置を記述する。いくつかの周波数リソースにおいて、基準信号及びデータチャネルのヌメロロジは異なる。一実施形態において、所与のヌメロロジに対するデータを受信するため、異なるリソースの基準信号ヌメロロジが異なる場合は、異なるリソースに異なるレートマッチング動作が求められる。図３７は、一例を示している。
【００６３】
図３８は、ＵＥ側の例示的な一実施形態に係るフローチャート３８００である。ステップ３８０５において、ＵＥは、複数のヌメロロジをサポートするセルによってサービングされる。ステップ３８１０において、ＵＥには、データ受信用の第１のヌメロロジが設定される。ステップ３８１５において、ＵＥは、第２のヌメロロジで測定を実行する。
【００６４】
一実施形態において、第１及び第２のヌメロロジは異なる。一実施形態において、第２のヌメロロジは、所定のヌメロロジである。所定のヌメロロジは、固定ヌメロロジであってもよいし、既定ヌメロロジであってもよいし、同期を得るのに用いられるヌメロロジであってもよいし、ＵＥが同期信号を受信するのに用いるヌメロロジであってもよい。
【００６５】
一実施形態において、ＵＥは、特定の時間周波数リソースに対する測定を実行する。一選択肢において、この特定の時間周波数は、同期信号から導出される。代替的には、特定の時間周波数リソースは、同期信号と同じＴＴＩにある。別の選択肢において、特定の時間周波数リソースは、同期信号が送信された時間周波数リソースである。さらに別の選択肢において、特定の時間周波数リソースは、システム情報から導出される。代替的には、特定の時間周波数リソースは、システム情報と同じＴＴＩにある。代替的には、特定の時間周波数リソースは、システム情報が送信された時間周波数リソースである。
【００６６】
一実施形態において、システム情報は、マスタ情報ブロック（ＭＩＢ）である。代替的には、システム情報は、システム情報ブロック（ＳＩＢ）である。
【００６７】
種々実施形態において、特定の時間周波数リソースは、物理ブロードキャストチャネル（ＰＢＣＨ）の送信に用いられる時間周波数リソースである。
【００６８】
種々実施形態において、ＵＥは、測定が実行される場合、ダウンリンク制御チャネルをモニタリングしない。別の実施形態において、ＵＥには、測定用の測定ギャップが設定される。
【００６９】
一実施形態において、測定は、無線リンクモニタリング（ＲＬＭ）測定である。代替的には、測定は、無線リソース管理（ＲＲＭ）測定である。別の実施形態において、ＲＲＭ測定は、周波数内ＲＲＭ測定である。
【００７０】
図３９は、ＵＥ側の別の例示的な実施形態に係るフローチャート３９００である。ステップ３９０５において、ＵＥは、第１のヌメロロジで第１の種類の測定を実行する。ステップ３９１０において、ＵＥは、第２のヌメロロジで第２の種類の測定を実行する。
【００７１】
一実施形態において、第１のヌメロロジは、所定のヌメロロジである。所定のヌメロロジは、固定ヌメロロジ、既定ヌメロロジ、同期を得るのに用いられるヌメロロジ、又はＵＥが同期信号を受信するのに用いるヌメロロジである。
【００７２】
一実施形態において、ＵＥは、特定の時間周波数リソースに対する測定を実行する。一選択肢において、この特定の時間周波数は、同期信号から導出される。代替的には、特定の時間周波数リソースは、同期信号と同じＴＴＩにある。別の選択肢において、特定の時間周波数リソースは、同期信号が送信された時間周波数リソースである。さらに別の選択肢において、特定の時間周波数リソースは、システム情報から導出される。代替的には、特定の時間周波数リソースは、システム情報と同じＴＴＩにある。代替的には、特定の時間周波数リソースは、システム情報が送信された時間周波数リソースである。
【００７３】
一実施形態において、システム情報は、マスタ情報ブロック（ＭＩＢ）である。代替的には、システム情報は、システム情報ブロック（ＳＩＢ）である。
【００７４】
種々実施形態において、特定の時間周波数リソースは、物理ブロードキャストチャネル（ＰＢＣＨ）の送信に用いられる時間周波数リソースである。
【００７５】
種々実施形態において、第２のヌメロロジは、データ受信用に設定されたヌメロロジである。
【００７６】
種々実施形態において、第２の種類の測定は、サービングセルのシステム帯域幅全体にわたって実行される。代替的には、第２に種類の測定は、設定された帯域幅部分にわたって実行される。一実施形態において、この帯域幅部分の帯域幅は、第２のヌメロロジの最大帯域幅に等しい。
【００７７】
一実施形態において、第１の種類の測定は、ＲＬＭ測定、ＲＲＭ測定、又はＣＳＩ測定である。別の実施形態において、第２の種類の測定は、ＣＳＩ測定である。
【００７８】
種々実施形態において、第１及び第２のヌメロロジは、異なる周波数上で送信される。代替的には、第１及び第２のヌメロロジは、異なるリソースブロック上で送信される。
【００７９】
図４０は、ＵＥ側の例示的な一実施形態に係るフローチャート４０００である。ステップ４００５において、ＵＥには、データ受信用の第１のヌメロロジが設定される。ステップ４０１０において、ＵＥは、固定ヌメロロジで基準信号のＣＳＩ測定を実行する。
【００８０】
一実施形態において、データチャネル及び基準信号は、同じリソースブロック上で送信される。代替的には、データチャネル及び基準信号は、異なるシンボル上で送信される。
【００８１】
別の態様において、一方法は、チャネル及び基準信号の送信に関する。この方法において、セルは、複数のヌメロロジをサポートする。セルは、第１のヌメロロジにより、第１の周波数リソースにおいて第１のデータチャネルを送信する。セルは、第２のヌメロロジにより、第２の周波数リソースにおいて第２のデータチャネルを送信する。セルは、第３のヌメロロジにより、第１の周波数リソース及び第２の周波数リソースにおいて基準信号を送信する。
【００８２】
一実施形態において、第３のヌメロロジは、第１のヌメロロジと同じである。代替的には、第３のヌメロロジは、第２のヌメロロジと同じである。一実施形態において、第１のヌメロロジは、第２のヌメロロジと異なる。別の実施形態において、第１のヌメロロジ、第２のヌメロロジ、及び第３のヌメロロジは異なる。
【００８３】
種々実施形態において、基準信号は、ＣＳＩ測定、ＲＬＭ測定、又はＲＲＭ測定用である。一実施形態において、基準信号は、セルのシステム帯域幅全体にわたって送信される。別の実施形態において、基準信号は、設定された帯域幅にわたって送信される。
【００８４】
一実施形態において、第１のデータチャネル及び第２のデータチャネルは、異なるＵＥに送信される。
【００８５】
本明細書においては、測定を実行する別の方法が開示される。この方法において、ＵＥは、複数のヌメロロジをサポートするセルによってサービングされる。ＵＥには、第１のヌメロロジ用のリソース配分を導出する第１の帯域幅が設定される。ＵＥには、測定を実行するための第２のリソースが設定され、この測定はＣＳＩ測定である。
【００８６】
別の実施形態において、ＵＥには、セルの総システム帯域幅である第３の帯域幅が設定される。一実施形態において、第１の帯域幅は、第１のヌメロロジの最大帯域幅である。一実施形態において、第２の帯域幅は、第１の帯域幅より狭い。別の実施形態において、第２の帯域幅は、第１の帯域幅のサブセットである。
【００８７】
別の方法は、測定の実行に関する。この方法において、ＵＥは、複数のヌメロロジをサポートするセルによってサービングされる。ＵＥには、データ受信用の第１のヌメロロジが設定される。ＵＥは、第１の一連のリソースブロック及び第２の一連のリソースブロック上で第１のヌメロロジによりデータを受信し、第１の一連のリソースブロックが第１のヌメロロジに対応し、第２の一連のリソースブロックが第２のヌメロロジに対応する。追加的に、第２のリソースブロックの基準信号は、第２のヌメロロジで送信される。
【００８８】
別の実施形態において、測定は、ＣＳＩ測定である。別の実施形態において、第１の一連のリソースブロック上で送信される基準信号は、第１のヌメロロジにより送信される。さらに別の方法において、ＵＥは、第１の一連のリソースブロック及び第２の一連のリソースブロック状のデータチャネルに対して、異なるレートマッチング方法を適用する。
【００８９】
図３及び図４を再び参照するに、一実施形態において、機器３００は、メモリ３１０に格納されたプログラムコード３１２を含む。ＣＰＵ３０８は、プログラムコード３１２を実行することによって、（ｉ）ＵＥが複数のヌメロロジをサポートするセルによりサービングされ、（ｉｉ）ＵＥにデータ受信用の第１のヌメロロジが設定され、（ｉｉｉ）ＵＥが第２のヌメロロジで測定を実行することができる。
【００９０】
別の実施形態において、ＣＰＵ３０８は、プログラムコード３１２を実行することによって、（ｉ）ＵＥが第１の種類の測定を第１のヌメロロジで実行し、（ｉｉ）ＵＥが第２の種類の測定を第２のヌメロロジで実行することができる。
【００９１】
さらに別の実施形態において、ＣＰＵ３０８は、プログラムコード３１２を実行することによって、（ｉ）ＵＥにデータ受信用の第１のヌメロロジが設定され、（ｉｉ）ＵＥが基準信号のＣＳＩ測定を固定ヌメロロジで実行することができる。
【００９２】
さらに、ＣＰＵ３０８は、プログラムコード３１２を実行することによって、上述のすべての動作及びステップ又は本明細書に記載される他の方法を実行することができる。
【００９３】
以上、本開示の種々態様が記載された。当然のことながら、本明細書の教示内容は、多種多様な形態で具現化されてもよく、本明細書に開示されている如何なる特定の構造、機能、又は両者も代表に過ぎない。本明細書の教示内容に基づいて、当業者には当然のことながら、本明細書に開示される態様は、他の如何なる態様とも独立に実装されていてもよく、これら態様のうちの２つ以上が種々組み合わされていてもよい。例えば、本明細書に記載された態様のうちの任意の数の態様を用いて、装置が実装されるようになっていてもよいし、方法が実現されるようになっていてもよい。また、本明細書に記載された態様のうちの１つ又は複数の追加又は代替で、他の構造、機能、又は構造と機能を用いて、このような装置が実装されるようになっていてもよいし、このような方法が実現されるようになっていてもよい。上記概念の一部の一例として、いくつかの態様においては、パルス繰り返し周波数に基づいて、同時チャネルが確立されるようになっていてもよい。いくつかの態様においては、パルス位置又はオフセットに基づいて、同時チャネルが確立されるようになっていてもよい。いくつかの態様においては、時間ホッピングシーケンスに基づいて、同時チャネルが確立されるようになっていてもよい。
【００９４】
当業者であれば、多様な異なるテクノロジ及び技術のいずれかを用いて、情報及び信号が表され得ることを理解するであろう。例えば、上記説明全体で言及され得るデータ、命令、コマンド、情報、信号、ビット、シンボル、及びチップは、電圧、電流、電磁波、磁場若しくは粒子、光場若しくは粒子、又はこれらの任意の組み合わせによって表されるようになっていてもよい。
【００９５】
さらに、当業者には当然のことながら、本明細書に開示される態様に関連して記載された種々例示的な論理ブロック、モジュール、プロセッサ、手段、回路、及びアルゴリズムステップは、電子的ハードウェア（例えば、ソースコーディング又はその他何らかの技術を用いて設計可能なデジタル実装、アナログ実装、又はこれら２つの組み合わせ）、命令を含む種々形態のプログラム若しくは設計コード（本明細書においては便宜上、「ソフトウェア」又は「ソフトウェアモジュール」と称される場合もある）、又は両者の組み合わせとして実装されるようになっていてもよい。このハードウェア及びソフトウェアの互換性を明確に示すため、種々例示的な構成要素、ブロック、モジュール、回路、及びステップが大略それぞれの機能の観点で上述された。このような機能がハードウェアとして実装されるかソフトウェアとして実装されるかは、特定の用途及びシステム全体に課される設計上の制約によって決まる。当業者であれば、特定の各用途に対して、上記機能を様々に実装可能であるものの、このような実装の決定は、本開示の範囲からの逸脱の原因として解釈されないものとする。
【００９６】
また、本明細書に開示される態様に関連して記載された種々例示的な論理ブロック、モジュール、及び回路は、集積回路（「ＩＣ」）、アクセス端末、又はアクセスポイント内で実装されるようになっていてもよいし、これらによって実行されるようになっていてもよい。ＩＣとしては、汎用プロセッサ、デジタルシグナルプロセッサ（ＤＳＰ）、特定用途向け集積回路（ＡＳＩＣ）、フィールドプログラマブルゲートアレイ（ＦＰＧＡ）等のプログラマブル論理デバイス、ディスクリートゲート若しくはトランジスタロジック、ディスクリートハードウェアコンポーネント、電気部品、光学部品、機械部品、又は本明細書に記載される機能を実行するように設計されたこれらの任意の組み合わせが挙げられ、ＩＣ内、ＩＣ外、又は両者に存在するコード又は命令を実行するようになっていてもよい。汎用プロセッサは、マイクロプロセッサであってもよいが、代替として、プロセッサは、従来の任意のプロセッサ、コントローラ、マイクロコントローラ、又は状態機械であってもよい。また、プロセッサは、ＤＳＰとマイクロプロセッサとの組み合わせ、複数のマイクロプロセッサ、ＤＳＰコアと協働する１つ又は複数のマイクロプロセッサ、又はその他任意のこのような構成等、コンピュータ機器の組み合わせとして実装されていてもよい。
【００９７】
任意の開示プロセスにおけるステップの如何なる特定の順序又は階層についても、実例的な手法の一例であることが了解される。設計の選好に基づいて、各プロセスにおけるステップの特定の順序又は階層は、本開示の範囲内に留まりつつ、再構成可能であることが了解される。添付の方法の請求項は、種々ステップの要素を実例的な順序で示しており、提示の特定順序又は階層に限定されるものではない。
【００９８】
本明細書に開示される態様に関連して記載された方法又はアルゴリズムのステップは、ハードウェアにおいて直接具現化されてもよいし、プロセッサにより実行されるソフトウェアモジュールにおいて具現化されてもよいし、これら２つの組み合わせにおいて具現化されてもよい。ソフトウェアモジュール（例えば、実行可能な命令及び関連するデータを含む）及び他のデータは、ＲＡＭメモリ、フラッシュメモリ、ＲＯＭメモリ、ＥＰＲＯＭメモリ、ＥＥＰＲＯＭメモリ、レジスタ、ハードディスク、リムバーブルディスク、ＣＤ−ＲＯＭ等のデータメモリ、又は当技術分野において知られているその他任意の形態のコンピュータ可読記憶媒体に存在していてもよい。実例的な記憶媒体がコンピュータ／プロセッサ（本明細書においては便宜上、「プロセッサ」と称される場合もある）等の機械に結合されていてもよい、このようなプロセッサは、記憶媒体からの情報（例えば、コード）の読み出し及び記憶媒体への情報の書き込みが可能である。実例的な記憶媒体は、プロセッサと一体化されていてもよい。プロセッサ及び記憶媒体は、ＡＳＩＣに存在していてもよい。ＡＳＩＣは、ユーザ機器に存在していてもよい。代替として、プロセッサ及び記憶媒体は、ディスクリートコンポーネントとしてユーザ機器に存在していてもよい。さらに、いくつかの態様においては、任意適当なコンピュータプログラム製品が、本開示の態様のうちの１つ又は複数に関連するコードを含むコンピュータ可読媒体を備えていてもよい。いくつかの態様において、コンピュータプログラム製品は、パッケージング材料を含んでいてもよい。
【００９９】
以上、種々態様に関連して本発明の説明がなされたが、本発明は、さらに改良可能であることが了解される。本願は、一般的に本発明の原理に従うとともに、本発明が関係する技術分野における既知且つ慣習的な実施となるような本開示からの逸脱を含む本発明の任意の変形、使用、又は適応を網羅することが意図される。
【図１】
2018026819.tif 000074
【図２】
2018026819.tif 000075
【図３】
2018026819.tif 000076
【図４】
2018026819.tif 000077
【図５】
2018026819.tif 000078
【図６】
2018026819.tif 000079
【図７】
2018026819.tif 000080
【図８】
2018026819.tif 000081
【図９】
2018026819.tif 000082
【図１０】
2018026819.tif 000083
【図１１】
2018026819.tif 000084
【図１２】
2018026819.tif 000085
【図１３】
2018026819.tif 000086
【図１４】
2018026819.tif 000087
【図１５】
2018026819.tif 000088
【図１６】
2018026819.tif 000089
【図１７】
2018026819.tif 000090
【図１８】
2018026819.tif 000091
【図１９】
2018026819.tif 000092
【図２０】
2018026819.tif 000093
【図２１】
2018026819.tif 000094
【図２２】
2018026819.tif 000095
【図２３】
2018026819.tif 000096
【図２４】
2018026819.tif 000097
【図２５】
2018026819.tif 000098
【図２６−１】
2018026819.tif 000099
【図２６−２】
2018026819.tif 000100
【図２７】
2018026819.tif 000101
【図２８】
2018026819.tif 000102
【図２９】
2018026819.tif 000103
【図３０】
2018026819.tif 000104
【図３１】
2018026819.tif 000105
【図３２】
2018026819.tif 000106
【図３３】
2018026819.tif 000107
【図３４】
2018026819.tif 000108
【図３５】
2018026819.tif 000109
【図３６】
2018026819.tif 000110
【図３７】
2018026819.tif 000111
【図３８】
2018026819.tif 000112
【図３９】
2018026819.tif 000113
【図４０】
2018026819.tif 000114
【外国語明細書】
2018026819000001.pdf